(57)【特許請求の範囲】
【請求項１】
遊技者が操作可能な位置に固定される基部と、前記基部に対して相対変位可能に組み付けられる操作部と、遊技者が前記操作部を操作する場合に遊技者の手が接触する位置に設けられたタッチ部と、前記操作部の変位量を検出可能な変位量検出手段とを具備する操作手段と、
前記タッチ部と電気的に接続され、遊技者が前記タッチ部へ接触したことを検出可能なタッチ検出手段と、
前記タッチ検出手段により前記タッチ部への接触が検出されている場合に、前記変位量検出手段により検出された前記操作部の変位量に応じた強さで遊技球を発射させる発射手段とを備えた遊技機であって、
前記操作手段は、
導電性を有する材料によって構成され、電気的に接地されているとともに、前記タッチ部とは電気的に絶縁されている静電気誘導手段を備え、
前記静電気誘導手段は、前記操作部が非操作状態にある場合でも、遊技者が接触可能な位置に設けられ、
前記タッチ部は、前記操作部が非操作状態にある場合に、遊技者が接触不可能または困難な位置に設けられ、
遊技者が前記操作部を操作することで、前記タッチ部が遊技者の手と接触可能となるように露出することを特徴とする遊技機。
【発明の詳細な説明】
【技術分野】
【０００１】
本発明は、パチンコ機等の遊技機に関するものである。
【背景技術】
【０００２】
従来、遊技機の一種として、例えばパチンコ機等が知られている。パチンコ機は、遊技球を用いて遊技が行われ、当該遊技球が移動可能な遊技領域を備えるとともに、発射装置にて発射された遊技球がかかる遊技領域に案内される構成となっている。また、パチンコ機の前面側にはハンドルが設けられている。ハンドルは、回動操作可能な回転操作体と、回転操作体の回動量を検出可能な可変抵抗器とを備えている。また、近年のハンドルには、ハンドルを操作する遊技者の手が触れる位置にタッチ部が設けられ、遊技者がハンドルに触れていることが電気的に検出されている場合に、遊技球の発射が許容されるようになっている（例えば、特許文献１参照）。
【先行技術文献】
【特許文献】
【０００３】
【特許文献１】特開２００６−２７１４８０号公報
【発明の概要】
【発明が解決しようとする課題】
【０００４】
ところで、遊技者に静電気が帯電していると、かかる静電気によって、遊技者の手がハンドルに触れていることを電気的に検出するタッチ検出回路に悪影響を及ぼす（静電破壊等）おそれがある。
【０００５】
本発明は、上記例示した問題点等を解決するためになされたものであり、その目的は、静電気に起因する不具合を抑制することのできる遊技機を提供することにある。
【課題を解決するための手段】
【０００６】
本発明の遊技機は、
遊技者が操作可能な位置に固定される基部と、前記基部に対して相対変位可能に組み付けられる操作部と、遊技者が前記操作部を操作する場合に遊技者の手が接触する位置に設けられたタッチ部と、前記操作部の変位量を検出可能な変位量検出手段とを具備する操作手段と、
前記タッチ部と電気的に接続され、遊技者が前記タッチ部へ接触したことを検出可能なタッチ検出手段と、
前記タッチ検出手段により前記タッチ部への接触が検出されている場合に、前記変位量検出手段により検出された前記操作部の変位量に応じた強さで遊技球を発射させる発射手段とを備えた遊技機であって、
前記操作手段は、
導電性を有する材料によって構成され、電気的に接地されているとともに、前記タッチ部とは電気的に絶縁されている静電気誘導手段を備え、
前記静電気誘導手段は、前記操作部が非操作状態にある場合でも、遊技者が接触可能な位置に設けられ、
前記タッチ部は、前記操作部が非操作状態にある場合に、遊技者が接触不可能または困難な位置に設けられ、
遊技者が前記操作部を操作することで、前記タッチ部が遊技者の手と接触可能となるように露出することを特徴としている。
【発明の効果】
【０００７】
本発明によれば、静電気に起因する不具合を抑制することができる。
【図面の簡単な説明】
【０００８】
【図１】一実施形態におけるパチンコ機を示す正面図である。
【図２】パチンコ機を示す斜視図である。
【図３】内枠及び前面枠セットを開放した状態を示す斜視図である。
【図４】内枠および遊技盤等の構成を示す正面図である。
【図５】パチンコ機の構成を示す背面図である。
【図６】内枠及び裏パックユニット等を開放した状態を示す斜視図である。
【図７】第１実施形態のハンドルを示し、（ａ）はハンドルの斜視図であり、（ｂ）はハンドルの側面図である。
【図８】ハンドルの各構成部材を示す分解斜視図である。
【図９】ハンドルの各構成部材を示す分解斜視図である。
【図１０】各種部材が組み付けられたハンドル基部を示す正面図である。
【図１１】回転操作体の本体部を示す模式正面図である。
【図１２】回転操作体の本体部を示す模式正面図である。
【図１３】回転操作体の本体部を示す模式正面図である。
【図１４】回転操作体の操作カバーを示す背面図である。
【図１５】パチンコ機の主な電気的構成を示すブロック図である。
【図１６】第２実施形態におけるハンドルの分解斜視図である。
【図１７】別の実施形態における回転操作体等を示す模式斜視図である。
【図１８】第３実施形態のハンドルを示し、（ａ）はハンドルの斜視図であり、（ｂ）はハンドルの側面図である。
【図１９】第３実施形態のハンドルの各構成部材を示す分解斜視図である。
【図２０】第３実施形態のハンドルの各構成部材を示す分解斜視図である。
【図２１】第３実施形態における各種部材が組み付けられたハンドル基部を示す正面図である。
【発明を実施するための形態】
【０００９】
以下、パチンコ遊技機（以下、単に「パチンコ機」という）の一実施形態を、図面に基づいて詳細に説明する。図３等に示すように、パチンコ機１０は、当該パチンコ機１０の外郭を構成する外枠１１を備えており、この外枠１１の一側部に内枠１２が開閉可能に支持されている。尚、図３では便宜上、遊技盤３０面上に配設される釘や役物、前面枠セット１４に取付けられるガラスユニット１３７等を省略して示している。
【００１０】
外枠１１は、図６等に示すように、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００１１】
左辺枠構成部１１ｃの上下端部には、それぞれ上ヒンジ８１及び下ヒンジ８２が取着されている（図１参照）。当該上ヒンジ８１及び下ヒンジ８２にて、内枠１２の上下部が回動可能に支持されており、これにより内枠１２が開閉可能となる。そして、外枠１１の内側に形成される空間部に内枠１２等が収容される。
【００１２】
また、右辺枠構成部１１ｄには、その幅方向後端部近傍から外枠１１内側へ向け突出した延出壁部８３が形成されている。延出壁部８３は、内枠１２の右側部背面側に設けられる施錠装置６００（図６参照）に対応する上下区間全域を内枠１２の背面側から覆っている（図５参照）。加えて、図３に示すように、延出壁部８３の前面側には、施錠装置６００の係止部材が係止される上下一対の受部８４，８５が設けられている。また、下側の受部８５には、後述する内枠開放検知スイッチ９２に当接する押圧部８６が、外枠１１内側に向けて突設されている。
【００１３】
さらに、下辺枠構成部１１ｂには樹脂製の幕板飾り８７が取着されている。幕板飾り８７の上面奥部には、上方に突出するリブ８８が一体形成されている。これにより内枠１２との間に隙間が形成されにくくなっている。
【００１４】
図３に示すように、内枠１２の開閉軸線は、パチンコ機１０の正面からみて左側において上下に沿って設定されており、この開閉軸線を軸心として内枠１２が前方側に開放できるようになっている。内枠１２は、外形が矩形状をなす樹脂ベース３８を主体に構成されており、当該樹脂ベース３８の中央部には略楕円形状の窓孔３９が形成されている。
【００１５】
また、内枠１２の前面側には前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００１６】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００１７】
図１、図２等に示すように、前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。加えて、下皿１５の左部には、ＬＥＤが内蔵された演出ボタン１２５が設けられている。演出ボタン１２５は、遊技者の演出ボタン１２５の操作を各種演出等に反映させることで、遊技者の興趣を向上させる目的で設けられたものであり、具体的には、演出ボタン１２５の操作に応じて、後述する装飾図柄表示装置４２の表示内容を変更したり、対応する音声を流したりする等の何らかの変化を生じさせる制御が行われる。
【００１８】
下皿１５の右方には、手前側に突出した操作手段としての遊技球発射ハンドル（以下、単にハンドルという）１８が設けられている。尚、ハンドル１８には、詳しくは後述するタッチセンサ４５１や、ハンドル１８の操作部の操作量を検出するための可変抵抗器４４５が設けられている（図８等参照）。
【００１９】
下皿１５の上方には上皿１９が設けられている。上皿１９は、遊技球を一旦貯留し、一列に整列させながら後述する発射手段としての遊技球発射装置（以下、単に発射装置という）６０の方へ案内する球受皿である。尚、上皿１９が遊技球で満杯になった状態では、払出される遊技球は、後述する下皿連通路７１及び排出口１６を介して、下皿１５へと案内される。尚、本実施形態では、下皿１５やハンドル１８が前面枠セット１４に設けられているが、前面枠セット１４を、下皿１５やハンドル１８が設けられる部位とそれ以外の部位とに分け、それぞれ独立して開閉可能に構成してもよい。
【００２０】
上皿１９には球貸しボタン１２１と返却ボタン１２２とが設けられている。これにより、遊技ホール等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２１】
さらに、上皿１９には、球抜きボタン１２３が設けられている。球抜きボタン１２３が押圧操作されることで、上皿１９の球案内路の下流側に設けられ、下皿１５に連通する連通孔（図示略）が開口し、上皿１９に貯留されていた遊技球が下皿１５へと案内される（落下する）。つまり、遊技者は、球抜きボタン１２３を操作することで、上皿１９にある遊技球をいつでも下皿１５に移すことができる。
【００２２】
また、前面枠セット１４の前面にはその周囲に各種ランプ等の発光手段が設けられている。これら発光手段は、大当たり時や所定のリーチ時等における遊技状態の変化に応じて点灯、点滅といった発光態様が変更制御され遊技中の演出効果を高める役割を果たすものである。例えば、窓部１０１の周縁には、ＬＥＤ等の発光手段を内蔵した環状電飾部１０２が設けられている。また、該環状電飾部１０２の両側部には、所定のエラー時に点灯するエラー表示ランプ１０４が設けられている。尚、環状電飾部１０２のうち各エラー表示ランプ１０４の上方部位には、前面枠セット１４の背面に設けられるスピーカＳＰ（図３参照）に対応して細かな透孔が多数形成されている。
【００２３】
前面枠セット１４の背面側にはガラスユニット１３７が取付けられている。ガラスユニット１３７は、従来の前後一対の矩形状の板ガラスが前後対をなして別々に取着されるものではなく、全体として丸形をなし、アッセンブリ化された上で取付けられている。
【００２４】
次に、内枠１２（樹脂ベース３８）について図４を参照して説明する。上述した通り、内枠１２（樹脂ベース３８）には、窓孔３９の後側において遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２５】
また、内枠１２（樹脂ベース３８）の前面下部、すなわち窓孔３９（遊技盤３０）の下方位置には、発射装置６０及び当該発射装置６０より発射された直後の遊技球を案内する発射レール６１が取付けられている。本実施形態では、発射装置６０としてソレノイド式発射装置を採用している。また、発射装置６０の上方には、上皿１９から案内される遊技球を、内蔵された駆動手段（例えばソレノイド）の駆動により、１球ずつ発射装置６０の発射位置へと案内する球送り装置６３が設けられている。
【００２６】
次に、遊技盤３０の構成について図４を参照して説明する。遊技盤３０には、一般入賞口３１、可変入賞装置３２、始動入賞ユニット（始動口）３３、スルーゲート３４、可変表示装置ユニット３５、第１特別表示装置４３Ｌ及び第２特別表示装置４３Ｒ等がルータ加工によって形成された貫通孔に配設され、遊技盤３０前面側から木ネジ等により取付けられている。周知の通り一般入賞口３１、可変入賞装置３２、始動入賞ユニット３３などの各種入賞口に遊技球が入球（入賞）すると、各種検出スイッチにより検出され、上皿１９（又は下皿１５）へ所定数の賞球が払い出される。例えば、始動入賞ユニット３３への入球があった場合には３個、一般入賞口３１への入球があった場合には１０個、可変入賞装置３２への入球があった場合には１５個の遊技球が上皿１９（下皿１５）に払出される。その他に、遊技盤３０にはアウト口３６が設けられており、一般入賞口３１等の各種入賞口に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００２７】
始動入賞ユニット３３は、始動入球手段としての上入賞口３３ａ（第１始動入球手段）及び下入賞口３３ｂ（第２始動入球手段）と、下入賞口３３ｂの両側部に設けられた開閉する一対の開閉部材３３ｃを備えている。上入賞口３３ａは、遊技球が常時入球可能となっているのに対し、下入賞口３３ｂは、開閉部材３３ｃが所定条件の成立に応じて開閉動作することにより、遊技領域を流下する遊技球が入球可能な開状態と、遊技球が入球不可能な閉状態との間で状態変化可能に構成されている。尚、詳しくは後述するが、始動入賞ユニット３３は、上入賞口３３ａ、下入賞口３３ｂに入球した遊技球をそれぞれ検知する条件成立検出手段（入球検知手段）としての第1始動入賞スイッチ２２４ａ、第２始動入賞スイッチ２２４ｂを備えており、当該始動入賞スイッチ２２４ａ、２２４ｂにて遊技球が検知された場合に、大当たり状態を発生させるか否かの当否抽選が行われるとともに、特別表示装置４３Ｌ、４３Ｒ（及び後述する装飾図柄表示装置４２）にて変動表示が行われる構成となっている。そして、当否抽選にて当選した場合には、大当たり状態（特別遊技状態）が付与される。
【００２８】
本実施形態では、大当たり状態の種別として、「確変大当たり」、「通常大当たり」、及び「特殊確変」がある。「確変大当たり」及び「通常大当たり」の大当たり状態においては、可変入賞装置３２が３０秒間開放状態とされる、又は、可変入賞装置３２に８個の遊技球が入賞することを１ラウンドとして、これが１５回繰り返される。一方、「特殊確変」の大当たり状態においては、可変入賞装置３２が０．４秒間開放状態とされることを１ラウンドとして、これが２回繰り返される。すなわち、「確変大当たり」及び「通常大当たり」の大当たり状態は、遊技球の大幅な増加が望めるのであるが、「特殊確変」の大当たり状態は、大当たり状態中に獲得可能な遊技球の数が著しく少ない（遊技球の増加がほぼ望めない）ものとなる。
【００２９】
さらに、「確変大当たり」又は「特殊確変」が発生した場合には、大当たり状態の終了後に高確率状態（確変モード）が付与される。一方、「通常大当たり」が発生した場合、大当たり状態の終了後に低確率状態（時間短縮モード、通常モード）が付与される。
【００３０】
尚、詳しくは後述するが、本実施形態では、遊技球が上入賞口３３ａに入球した場合と、下入賞口３３ｂに入賞した場合とで、当否抽選にて当選した場合に付与される大当たり状態の種別の振分けが異なるようになっている。上入賞口３３ａへの遊技球の入球を契機とする当否抽選に当選した場合には、「確変大当たり」、「通常大当たり」、及び「特殊確変」のいずれかに振分けられ、下入賞口３３ｂへの遊技球の入球を契機とする当否抽選に当選した場合には、「確変大当たり」、及び「通常大当たり」のどちらかに振分けられることとなる。
【００３１】
第１及び第２特別表示装置４３Ｌ、４３Ｒは、７セグメント表示装置により構成され、可変入賞装置３２の右方に設置されている。そして、始動入賞ユニット３３の上入賞口３３ａへの遊技球の入球を契機として第１特別表示装置４３Ｌにて切替表示（変動表示）が行われ、下入賞口３３ｂへの遊技球の入球を契機として第２特別表示装置４３Ｒにて切替表示（変動表示）が行われる構成となっている。尚、特別表示装置４３Ｌ、４３Ｒは、後述する主制御手段としての主制御装置２６１によって表示内容が直接的に制御される。
【００３２】
また、第１及び第２特別表示装置４３Ｌ、４３Ｒにて変動表示が行われた後、当該変動表示が停止したときの表示態様（例えば、文字）により、大当たりか否かが確定的に表示される。例えば、上入賞口３３ａに遊技球が入賞すると、対応する第１特別表示装置４３Ｌにて、「−」→「７」→「３」→「２」→「−」→・・・という具合に高速で（例えば４ｍｓｅｃ毎に）切替表示（変動表示）がなされ、所定時間が経過すると、いずれかの表示態様を停止表示（例えば数秒間停止）する。そして、大当たり抽選に当選した場合には、「７」、「３」、「２」のいずれかが変動停止時に表示され、大当たり状態が発生する。
【００３３】
具体的に、「確変大当たり」が付与される場合には、第１又は第２特別表示装置４３Ｌ、４３Ｒにおいて「７」が停止表示され、「通常大当たり」が付与される場合には、第１又は第２特別表示装置４３Ｌ、４３Ｒにおいて「３」が停止表示され、「特殊確変」が付与される場合には第１特別表示装置４３Ｌにおいて「２」が停止表示される（第２特別表示装置４３Ｒにおいては「２」は表示されない）。
【００３４】
また、第１特別表示装置４３Ｌ、第２特別表示装置４３Ｒのどちらか一方において、変動表示又は決定表示が行われている場合には、他方が消灯状態とされており（「−」を表示しておいてもよい）、どちらにおいても変動表示及び決定表示が行われていない場合には、両方においてそれぞれ「−」が表示される。
【００３５】
また、第１又は第２特別表示装置４３Ｌ、４３Ｒの変動表示中に新たに遊技球が始動入賞ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では、上入賞口３３ａに入賞した遊技球、及び下入賞口３３ｂに入賞した遊技球に対応して、それぞれ４回までの変動表示（合計８回の変動表示）が保留される。また、その保留回数が第１保留ランプ４６ａ、第２保留ランプ４６ｂにて点灯表示されるようになっている。尚、大当たり状態中に新たに遊技球が始動入賞ユニット３３に入賞した場合、その分の変動表示についても保留される。
【００３６】
尚、基本的に、上入賞口３３ａへの入賞を契機とする変動表示は、対応する遊技球が上入賞口３３ａへ入球した順に記憶されるとともに入球した順に消化され、下入賞口３３ｂへの入賞を契機とする変動表示は、対応する遊技球が下入賞口３３ｂへ入球した順に記憶されるとともに入球した順に消化される。但し、上入賞口３３ａへの入賞を契機とする変動表示、及び、下入賞口３３ｂへの入球を契機とする変動表示の両方が保留されている場合（第１保留ランプ４６ａ及び第２保留ランプ４６ｂがそれぞれ１つ以上点灯している場合）には、下入賞口３３ｂへの入球を契機とする変動表示が優先的に消化される。すなわち、下入賞口３３ｂへの入賞を契機とする変動表示が全て消化された状態でなければ、上入賞口３３ａへの入球を契機とする変動表示が行われない構成となっている。例えば、第１保留ランプ４６ａが１つ点灯している状態において、下入賞口３３ｂに遊技球が入球し、第２保留ランプ４６ｂが１つ点灯した場合、上入賞口３３ａへの入球を契機とする変動表示が後回しにされ、先に下入賞口３３ｂへの入球を契機とする変動表示が行われることとなる。以下、説明の便宜上、上入賞口３３ａへの入球を契機とする変動表示を「第１変動表示」とも称し、下入賞口３３ｂへの入球を契機とする変動表示を「第２変動表示」とも称する。
【００３７】
また、スルーゲート３４は、遊技領域を流下する遊技球が１球ずつ通過可能に構成されている。詳しくは後述するが、スルーゲート３４は、当該スルーゲート３４を通過する遊技球を検知可能なスルーゲートスイッチ２２５を備えており、当該スルーゲートスイッチ２２５にて遊技球が検知された場合に、始動入賞ユニット３３を開状態とするか否かの開放抽選が行われるとともに、普通図柄表示装置４１にて変動表示が行われる構成となっている。そして、開放抽選にて当選した場合には、始動入賞ユニット３３（開閉部材３３ｃ）が規定時間だけ開状態とされる。
【００３８】
可変表示装置ユニット３５には、スルーゲート３４の通過を契機として変動表示する普通図柄表示装置４１と、第１及び第２特別表示装置４３Ｌ、４３Ｒによる変動表示に合わせて変動表示する装飾図柄表示装置４２とが設けられている。さらに、可変表示装置ユニット３５には、装飾図柄表示装置４２にて行われている変動表示が上入賞口３３ａ及び下入賞口３３ｂのうちどちらの入球に対応するものであるかを示す変動特定ランプ４０と、上記第１保留ランプ４６ａ及び第２保留ランプ４６ｂと、保留ランプ４４とが設けられている。尚、本実施形態では、特別表示装置４３Ｌ、４３Ｒ、変動特定ランプ４０、及び装飾図柄表示装置４２が可変表示装置を構成する。
【００３９】
普通図柄表示装置４１は、普通図柄として「○」又は「×」を点灯表示可能に構成されており、遊技球がスルーゲート３４を通過する毎に例えば普通図柄を「○」→「×」→「○」→・・・という具合に高速で切換表示（変動表示）する。そして、その変動表示が「○」図柄（当選図柄）で数秒間停止した場合には、始動入賞ユニット３３が所定時間だけ開状態となる。この普通図柄表示装置４１は、後述する主制御装置２６１によって直接的に表示内容が制御される。
【００４０】
また、普通図柄表示装置４１の変動表示中に、新たに遊技球がスルーゲート３４を通過した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００４１】
装飾図柄表示装置４２は液晶表示装置として構成されており、後述するサブ制御手段としてのサブ制御装置２６２及び表示制御装置４５によって表示内容が制御される。すなわち、装飾図柄表示装置４２においては、第１及び第２特別表示装置４３Ｌ、４３Ｒにて表示される結果に対応させるように、主制御装置２６１からのコマンドに基づき、サブ制御装置２６２によって補助的な表示内容が決定され、後述する表示制御装置４５によって表示が行われる。
【００４２】
装飾図柄表示装置４２には、例えば、上、中及び下の３つの図柄表示領域が設けられ、各図柄表示領域において複数種類の図柄（数字）が順次表示され（変動表示され）、その後、図柄表示領域毎に順番に（例えば、上図柄表示領域→下図柄表示領域→中図柄表示領域の順に）図柄が停止表示されるようになっている。例えば、主制御装置２６１にて大当たりが確定すると、第１又は第２特別表示装置４３Ｌ、４３Ｒにて大当たりに対応する表示がなされるとともに、装飾図柄表示装置４２にて図柄が大当たりに対応する組合わせで停止表示され（例えば、上図柄表示領域、中図柄表示領域、及び下図柄表示領域にて停止表示される図柄が同一となり）、大当たり状態が開始される。
【００４３】
また、図柄が大当たりに対応する組合わせで停止表示される場合には、その前段階として、例えば、上図柄表示領域及び下図柄表示領域において同一の図柄が停止表示されることとなる。このように上図柄表示領域及び下図柄表示領域にて同一図柄が停止表示されるとともに、中図柄表示領域において未だ変動表示が行われている状態がリーチ状態である。
【００４４】
尚、リーチ状態が発生しても、大当たり状態が発生しない場合には、上図柄表示領域及び下図柄表示領域において停止表示された図柄とは異なる図柄が中図柄表示領域において停止表示される。また、「確変大当たり」又は「通常大当たり」となる場合には、上記のように装飾図柄表示装置４２においてゾロ目の数字が停止表示されるのではあるが、「特殊確変」となる場合には、ゾロ目ではなく、予め定められた特定の数字の組み合わせ（以下、チャンス図柄と称する）が停止表示される（例えば、上・中・下図柄表示領域において、「３」・「４」・「１」が停止表示される）。
【００４５】
加えて、変動特定ランプ４０は、発光色が青色のＬＥＤ及び発光色が赤色のＬＥＤを備えており、装飾図柄表示装置４２において、上入賞口３３ａへの入球を契機とする変動表示が行われている場合には青色に発光し、下入賞口３３ｂへの入球を契機とする変動表示が行われている場合には赤色に発光する。
【００４６】
また、可変表示装置ユニット３５には、装飾図柄表示装置４２を囲むようにしてセンターフレーム４７が配設されている。センターフレーム４７の上部には入球口１５１が設けられており、該入球口１５１に入球した遊技球は、センターフレーム４７の内部に形成され、装飾図柄表示装置４２の側部に沿って上下に延びるワープ流路１５２を介して、装飾図柄表示装置４２の下方に形成されたステージ１５３上に案内される。ステージ１５３上に案内された遊技球は、ステージ１５３上から前方の遊技領域に転落したり、ステージ１５３上を転動した後ステージ１５３の中央奥側に形成されたポケット１５４に入球したりする。尚、ポケット１５４は、始動入賞ユニット３３（上入賞口３３ａ）の直上方の遊技領域へと通じる案内通路１５５と連通しており、該ポケット１５４に入球した遊技球は、比較的高い確率で始動入賞ユニット３３（上入賞口３３ａ）に入球するようになっている。
【００４７】
可変入賞装置３２は、通常は遊技球が入賞できない閉状態になっており、大当たり（特別遊技状態の発生）の際に、遊技球が入賞可能な開状態とされる。
【００４８】
また、遊技盤３０には、内レール構成部５１と外レール構成部５２とからなり、発射装置６０から発射された遊技球を遊技盤３０上部へ案内するレール５０が取付けられている。これにより、ハンドル１８の回動操作に伴い発射された遊技球は発射レール６１及びレール５０を通じて、遊技盤３０とガラスユニット１３７との間に形成される遊技領域内に案内される。
【００４９】
内レール構成部５１の先端部分（図４の左上部）には戻り球防止部材５３が取着されている。これにより、一旦、レール５０から遊技領域へと案内された遊技球が再度レール５０内に戻ってしまうといった事態が防止される。
【００５０】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、発射装置６０にて打出された遊技球が、戻り球防止部材５３を通過するまでは、レール５０を逆流する場合があるため、内外レール構成部５１，５２の並行部分は遊技領域から除かれる。
【００５１】
図３に示すように、前面枠セット１４の背面側には、窓部１０１の下方において、球通路ユニット７０が設けられている。球通路ユニット７０は、後述する払出機構部３５２から下皿１５の排出口１６へ繋がる下皿連通路７１と、払出機構部３５２から上皿１９へ繋がる上皿連通路７３と備えている。また、内枠１２に設けられた発射レール６１とレールユニット５０（外レール構成部５２）との間には所定間隔の隙間があり、球通路ユニット７０には、前記隙間より落下した遊技球を下皿１５へと案内するファール球通路７２が形成されている。これにより、仮に、発射装置６０から発射された遊技球が戻り球防止部材５３まで至らずファール球としてレール５０を逆戻りする場合には、そのファール球がファール球通路７２を介して下皿１５に排出される。
【００５２】
また、図３及び図４中の符号６７は後述する払出機構部３５２により払出された遊技球を内枠１２の前方に案内するための払出通路であり、上皿連通路７３（上皿１９）に通じる通路と、下皿連通路７１（下皿１５）に通じる通路とに分かれている。払出通路６７の下方にはシャッタ６８が設けられており、前面枠セット１４を開放した状態では、バネ等の付勢力によりシャッタ６８が前方に突出して払出通路６７の出口をほぼ閉鎖するようになっている。また、前面枠セット１４を閉じた状態では、下皿連通路７１の入口側後端部によってシャッタ６８が押し開けられるようになっている。尚、下皿連通路７１及び上皿連通路７３の入口（球流入部）が隣接するとともに、前面枠セット１４の閉状態において当該各入口と払出通路６７とが所定距離だけ離間しており、両者間の隙間を遊技球が通過可能となっている。このため、上皿１９及び上皿連通路７３が遊技球で満杯となると、払出される遊技球が下皿連通路７１側に流れ（下皿連通路７１の入口側に溢れ）、下皿連通路７１を通って下皿１５に払出されることとなる。
【００５３】
加えて、球通路ユニット７０には、下皿連通路７１内に位置する遊技球を検知する満杯検知スイッチ（図示略）が設けられている。当該満杯検知スイッチの存在により、下皿１５が遊技球で満杯になっていること（下皿１５が遊技球で満杯となり、下皿連通路７１において遊技球が滞留していること）を把握することができる。本実施形態では、満杯検知スイッチによって所定時間継続して遊技球が検知されることに基づき、発射装置６０の打出しを禁止するといった制御が行われる。尚、下皿連通路７１における遊技球の滞留が解消され、満杯検知スイッチにより遊技球が検知されなくなると（所定時間継続して検知されなくなると）発射装置６０の打出しが許容される。
【００５４】
次に、パチンコ機１０の背面構成について図５、図６等を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取り付けられている。払出機構及び保護カバーは１ユニットとして一体化されており、一般に樹脂部分を裏パックと称することもあるため、ここではそのユニットを「裏パックユニット２０３」と称する。
【００５５】
まず、遊技盤３０の背面構成について説明する。図６に示すように、遊技盤３０中央の貫通孔に対応して配設された可変表示装置ユニット３５（図４参照）の背面側には、センターフレーム４７を背後から覆う樹脂製のフレームカバー２１３が後方に突出して設けられている。また、フレームカバー２１３の背面側には、フレームカバー２１３の開口部から前方に臨む液晶表示装置たる装飾図柄表示装置４２、表示制御装置４５及びサブ制御装置２６２が前後に重ねられた状態で着脱可能に取り付けられている。
【００５６】
装飾図柄表示装置４２は、当該装飾図柄表示装置４２の表示部（液晶画面）をパチンコ機１０の前面側に露出させるための開口部が形成された収容ボックス４２ａに収容されてフレームカバー２１３の背面側に固定されている。表示制御装置４５は基板ボックス４５ａに収容されて装飾図柄表示装置４２（収容ボックス４２ａ）の背面側に固定されている。サブ制御装置２６２は基板ボックス２６２ａに収容されて表示制御装置４５（基板ボックス４５ａ）の背面側に固定されている。尚、フレームカバー２１３内には、センターフレーム４７に内蔵されたＬＥＤ等を駆動するＬＥＤ制御基板等が配設されている。また、収容ボックス４２ａ及び基板ボックス４５ａ，２６２ａは透明樹脂材料等により構成され、内部が視認可能となっている。
【００５７】
フレームカバー２１３の下方には裏枠セット２１５が、一般入賞口３１、可変入賞装置３２及び始動入賞ユニット３３等を背後から覆うようにして遊技盤３０に取付けられている。裏枠セット２１５は、各種入賞口に入賞した遊技球を回収するための球回収機構を備えている（図示略）。この球回収機構により回収された遊技球は、後述する排出通路部２１７に案内され、排出通路部２１７の排出シュートからパチンコ機１０外部に排出される。
【００５８】
また、本実施形態では、裏枠セット２１５が主制御装置２６１の取付台として機能する。より詳しくは、主制御装置２６１を搭載した基板ボックス２６３が、裏枠セット２１５に対し回動可能に軸支され、後方に開放可能となっている。
【００５９】
主制御装置２６１は透明樹脂材料等よりなる基板ボックス２６３に収容されている。基板ボックス２６３は、ボックスベースと該ボックスベースの開口部を覆うボックスカバーとを備え、これらボックスベースとボックスカバーとが封印部材によって連結されている。封印部材によって連結された基板ボックス２６３は、所定の痕跡を残さなければ開封できない構成となっている。これにより、基板ボックス２６３が不正に開封された旨を容易に発見することができる。
【００６０】
また、遊技盤３０には、入球手段としての一般入賞口３１等の各種入賞口に対応して、当該各種入賞口へ入球した遊技球を検出する入球検出スイッチ（入球検出手段）が設けられている。具体的には、図４に示すように、一般入賞口３１に対応する位置には入賞口スイッチ２２１が設けられ、可変入賞装置３２にはカウントスイッチ２２３が設けられている。また、始動入賞ユニット３３には、上入賞口３３ａ及び下入賞口３３ｂそれぞれに対応して第１始動入賞スイッチ２２４ａ（第１条件成立検出手段）、第２始動入賞スイッチ２２４ｂ（第２条件成立検出手段）が設けられている。さらに、スルーゲート３４に対応する位置にはスルーゲートスイッチ２２５が設けられている。
【００６１】
また、図示は省略するが、裏枠セット２１５には、入賞口スイッチ２２１、カウントスイッチ２２３及びスルーゲートスイッチ２２５とケーブルコネクタを介して電気的に接続される第１盤面中継基板が設けられている。この第１盤面中継基板は、入賞口スイッチ２２１等と、主制御手段としての主制御装置２６１とを中継するものであり、ケーブルコネクタを介して主制御装置２６１と電気的に接続されている。
【００６２】
これに対し、始動入賞ユニット３３（上入賞口３３ａ又は下入賞口３３ｂ）への入球を検出する始動入賞スイッチ２２４ａ，２２４ｂは中継基板を経ることなくコネクタケーブルを介して直接主制御装置２６１に接続されている。
【００６３】
各種入球検出スイッチにて各々検出された検出結果は、主制御装置２６１に取り込まれる。そして、該主制御装置２６１よりその都度の入賞状況に応じた払出指令（遊技球の払出個数）が払出制御装置３１１に送信され、該払出制御装置３１１からの出力信号に基づき所定数の遊技球の払出しが実施される（スルーゲートスイッチ２２５により検出された場合を除く。）
この他、遊技盤３０の裏面には、図示は省略するが、可変入賞装置３２にて大入賞口を開放する大入賞口用ソレノイドが設けられ、始動入賞ユニット３３にて一対の開閉部材３３ｃを開閉駆動する入賞口用ソレノイドが設けられている。また、裏枠セット２１５には、これらソレノイドと主制御装置２６１とを中継する第２盤面中継基板（図示略）も設けられている。
【００６４】
次に、裏パックユニット２０３の構成を説明する。図５に示すように、裏パックユニット２０３は、樹脂成形された裏パック３５１と、遊技球の払出機構部３５２とを一体化したものである。また、裏パックユニット２０３は、内枠１２の左側部（図５では右側）に対して開閉可能に支持されており、上下方向に沿って延びる開閉軸線を軸心として後方に開放できるようになっている。加えて、裏パックユニット２０３の左上部（図５では右上部）には外部端子板２４０が設けられている。
【００６５】
外部端子板２４０は、遊技ホールのホールコンピュータなどへの各種情報送信を中継するためのものであり、複数の外部接続端子が設けられている。例えば、現在の遊技状態（大当たり状態や高確率状態等）に関する情報を出力するための端子、後述する開放検知スイッチ９１，９２によって検出される前面枠セット１４や内枠１２の開放に関する情報を出力するための端子、入球エラー、下皿満タンエラー、タンク球無しエラー、払出しエラーなど各種エラー状態に関する情報を出力するための端子、払出制御装置３１１から払出される賞球数に関する情報を出力するための端子などが設けられている。
【００６６】
裏パック３５１は例えばＡＢＳ樹脂により一体成形されており、パチンコ機１０の後方に突出して略直方体形状をなす保護カバー部３５４を備えている。保護カバー部３５４は左右側面及び上面が閉塞され且つ下面のみが開放された形状をなし、少なくともフレームカバー２１３を覆うのに十分な大きさを有する。但し、本実施形態では、保護カバー部３５４が基板ボックス２６３の上部及び右部（図５では左側の部位）も合わせて覆う構成となっている。これにより、裏パックユニット２０３の閉鎖状態において、基板ボックス２６３の右部に設けられた封印部材、及び主制御装置２６１の上縁部に沿って設けられた端子部（基板側コネクタ）が覆われることとなる。
【００６７】
払出機構部３５２は、保護カバー部３５４を迂回するようにして配設されている。すなわち、保護カバー部３５４の上方には、上側に開口したタンク３５５が設けられており、このタンク３５５には遊技ホールの島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払出された遊技球は上皿１９等に供給される。
【００６８】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００６９】
裏パックユニット２０３（基板ボックス２６３）の下方には、内枠１２の左側部（図５では右側）にて軸支され、後方に開放可能な下枠セット２５１が設けられている。図６に示すように、下枠セット２５１には、上述した球回収機構により回収された遊技球が流入する排出通路部２１７が形成され、排出通路部２１７の最下流部には、遊技球をパチンコ機１０外部へ排出する排出シュート（図示略）が形成されている。つまり、一般入賞口３１等の各入賞口に入賞した遊技球は、裏枠セット２１５の球回収機構を介して集合し、さらに排出通路部２１７の排出シュートを通じてパチンコ機１０外部に排出される。なお、アウト口３６も同様に排出通路部２１７に通じており、何れの入賞口にも入賞しなかった遊技球も排出シュートを介してパチンコ機１０外部に排出される。尚、本実施形態では、裏パックユニット２０３と下枠セット２５１とが別体として構成され、それぞれ独立して開閉可能であるが、裏パックユニット２０３と下枠セット２５１とが一体的に形成されることとしてもよい。
【００７０】
また、図５に示すように、下枠セット２５１の背面側には、払出制御装置３１１、発射制御装置３１２、電源装置３１３及びカードユニット接続基板３１４が前後に重ねられた状態で着脱可能に取り付けられている。
【００７１】
発射制御装置３１２及び電源装置３１３は基板ボックス３１３ａに収容されて下枠セット２５１の背面側に固定されている。尚、発射制御装置３１２及び電源装置３１３は、便宜上それぞれ独立した制御装置として説明するが、実際には１つの基板（プリント基板）により構成される。
【００７２】
また、払出制御装置３１１は、基板ボックス３１１ａに収容されて、基板ボックス３１３ａ（発射制御装置３１２及び電源装置３１３）の背面側に固定されている。尚、払出制御装置３１１が収容される基板ボックス３１１ａには、上述した主制御装置２６１が収容される基板ボックス２６３と同様に封印部材が設けられ、基板ボックス３１１ａの開封された痕跡が残るようになっている。
【００７３】
加えて、カードユニット接続基板３１４は、基板ボックス３１４ａに収容されて、基板ボックス３１３ａ（発射制御装置３１２及び電源装置３１３）の背面側に固定されている。
【００７４】
なお、上記各基板ボックス３１１ａ，３１３ａ，３１４ａは透明樹脂材料等により構成されており、内部が視認可能となっている。
【００７５】
また、払出制御装置３１１には基板ボックス３１１ａから外方に突出する状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００７６】
さらに、電源装置３１３には基板ボックス３１３ａから外方に突出するＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技ホールの営業終了時に）電源遮断すると電源遮断前の状態が記憶保持されることから、電源投入時に初期状態に戻したい場合には、ＲＡＭ消去スイッチ３２３を押しながら電源を投入する。
【００７７】
また、図６に示すように、内枠１２の右側部背面側には施錠装置６００が設けられている。施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４を解錠できるようになっている。本実施形態では、内枠１２は外枠１１に対し施錠され、前面枠セット１４は内枠１２に対し施錠される。
【００７８】
尚、上記のように、外枠１１の右辺枠構成部１１ｄには、施錠装置６００に対応する上下区間全域を内枠１２の背面側から覆う延出壁部８３が形成されている（図５参照）。これにより、外枠１１の背面側から線材等を進入させ、当該線材等により施錠装置６００を操作することが困難となる。結果として、防御性能の向上を図ることができる。さらに、延出壁部８３は、裏パックユニット２０３及び下枠セット２５１の右端部（図５では左側の端部）を背面側から覆う構成となっており、内枠１２の閉状態においては、裏パックユニット２０３及び下枠セット２５１を開放できない構成となっている。
【００７９】
また、図４に示すように、内枠１２の前面側右下部（発射装置６０の右側）には、前面枠セット１４の開放を検知するための前面枠開放検知スイッチ９１が設けられ、図５に示すように、内枠１２の背面側右下部（図５では左下）には、内枠１２の開放を検知するための内枠開放検知スイッチ９２が設けられている。前面枠開放検知スイッチ９１及び内枠開放検知スイッチ９２は、それぞれスイッチ本体部に対して出没可能な検知部を備えており、前面枠開放検知スイッチ９１は検知部が前方に向くように設けられ、内枠開放検知スイッチ９２は検知部が後方へ向くように設けられる。そして、検知部がスイッチ本体部から突出した状態にある場合にはオン信号を主制御装置２６１に出力し、検知部がスイッチ本体部側に押圧され、スイッチ本体部に没入した状態ではオフ信号を主制御装置２６１に出力する構成となっている。つまり、前面枠開放検知スイッチ９１は前面枠セット１４の閉鎖時において検知部が前面枠セット１４の背面で押圧されてオフ状態となり、前面枠セット１４の開放時には、検知部が突出状態に戻ってオン状態となる。同様に、内枠開放検知スイッチ９２は内枠１２の閉鎖時において検知部が外枠１１の受部８５に一体形成された押圧部８６によって押圧されてオフ状態となり、内枠１２の開放時には検知部が突出状態に戻ってオン状態となる。
【００８０】
次に、本実施形態において特徴的構成を備えてなる操作手段としてのハンドル１８について、図７〜図１４を参照して説明する。
【００８１】
図７〜図１０に示すように、ハンドル１８は、前面枠セット１４に固定されたハンドル基部４０１と、ハンドル基部４０１に対して回動可能に組付けられた操作部としての回転操作体４０２と、回転操作体４０２の前面側においてハンドル基部４０１に固定された略半球状のカバー４０３と、表面にメッキ加工が施されたタッチリング４０４とを備えている。また、回転操作体４０２に固定された第１のギヤ体４６６と、変位量検出手段としての可変抵抗器４４５と、第１のギヤ体４６６と可変抵抗器４４５とを連動させる第２のギヤ体４４８と、タッチ検出手段としてのタッチセンサ４５１を備えている。さらに、回転操作体４０２をアースさせるための静電気消散用金具４０６と、回転操作体４０２を反時計回り方向に付勢するゼンマイばね４７５と、遊技球の発射を停止させるためのストップスイッチ４５５と、ストップスイッチ４５５の操作に用いられるストップレバー４５８とを備えている。
【００８２】
（ハンドル基部４０１）
図８、図９に示すように、ハンドル基部４０１は、全体として略円筒状をなしており、後側に位置する小径部４１１と前側に位置する大径部４１２とが隔壁部４１３により隔てられている。さらに、大径部４１２には、部分的に切り欠かれることで形成されてなる第１切欠き部４１４ａ（図１０で左下の部位）が設けられている。また、隔壁部４１３の中心には、筒状の中央ボス４１５が一体形成されている。中央ボス４１５の前部は前方に向けて縮径するテーパ状に形成されるとともに、当該中央ボス４１５の前部の一部には切欠凹部４１６が形成されている。
【００８３】
さらに、隔壁部４１３には、第１、第２、及び第３の取付用ボス４１７、４１８、４１９が前方に突出形成されている。第１及び第２の取付用ボス４１７、４１８は、隔壁部４１３から前方に突出形成された台座部４２１上において互いに近接する位置に形成されており、第３の取付用ボス４１９は、中央ボス４１５を挟んで台座部４２１とは反対側の位置に形成されている。また、台座部４２１には、第１及び第２の取付用ボス４１７、４１８の間において、ねじ穴４２２が形成されている。
【００８４】
また、隔壁部４１３からは、第３の取付用ボス４１９の近傍位置（上方）において、支軸４２３が前方に突出形成されている。さらに、隔壁部４１３には、各種配線等を後側へ導くための図示しない挿通孔が形成されている。尚、ハンドル基部４０１は絶縁体（ＡＢＳ等）で構成されている。
【００８５】
（回転操作体４０２）
本実施形態の回転操作体４０２は、本体部７０１と、本体部７０１の前面側を覆う操作カバー７０２とにより構成されており、本体部７０１と操作カバー７０２との間にタッチリング４０４が配置されている。尚、説明の便宜上、本体部７０１については次に述べるが、操作カバー４０４については、回転操作体４０２のその他の部材の説明をした後に説明する。
【００８６】
（本体部７０１）
本体部７０１は、円環状のリング部４３１と、リング部４３１の外周において突出形成された複数の指掛け凸部４３２と、リング部４３１の中心に位置するセンター取付部４３３と、センター取付部４３３から相反する２方向に延び、端部がリング部４３１にそれぞれ連結されてなる連結部４３４ａ、４３４ｂとを備えている。本実施形態では、本体部７０１は、静電気拡散性を有する静電気拡散性材料としての導電性樹脂材料（表面抵抗率が１０5〜１０9Ω／ｓｑ）により構成されている。つまり、本体部７０１は、静電気が帯電している物体に接触された場合に静電気放電（ＥＳＤ）を起こすことなく、かつ、物体に帯電している静電気を比較的速やかに逃がすことのできる程度の導電性を有している。
【００８７】
リング部４３１は、回転操作体４０２の外周面を形成する円筒状の外壁部４３１ａと、外壁部４３１ａの内周側において外壁部４３１ａとの間に所定の隙間が形成されるようにして設けられた円筒状の内壁部４３１ｂと、外壁部４３１ａと内壁部４３１ｂとの前縁部同士を連結する前壁部４３１ｃと、内壁部４３１ｂを前方に延長させるようにして前壁部４３１ｃよりも前方に突出する内リブ４３１ｅとを備えている。外壁部４３１ａ及び内壁部４３１ｂは互いに同心円となっており、外壁部４３１ａ及び内壁部４３１ｂ間の隙間によって、リング部４３１の後面側にハンドル基部４０１の大径部４１２が挿入可能な後面側環状溝４３０ａが形成されている（図９参照）。また、詳しくは後述するが、内リブ４３１ｅは、カバー４０３の後端縁（後述するガイドリブ４４１）の内周側に挿入される。
【００８８】
尚、指掛け凸部４３２は、遊技者が指を引っ掛けて回転操作体４０２を把持・回動操作を行いやすくするためのものである。本実施形態の指掛け凸部４３２は、主として親指が掛けられる第１指掛け凸部４３２ａと、主として人指し指が掛けられる第２指掛け凸部４３２ｂと、主として中指が掛けられる第３指掛け凸部４３２ｃとからなる。また、本実施形態では、遊技球を発射させる際に、回転操作体４０２を正面視で時計回り方向に回動させるよう構成されているため、当該回動操作に際して遊技者の指に押圧される各指掛け凸部４３２の反時計回り方向側の面（操作面）は、ハンドル１８の遠心方向に沿って延びている（リング部４３１の外周面に対してほぼ垂直に延びている。さらに、各指掛け凸部４３２は後方に開口した形状をなしている（図９参照）。尚、回転操作体４０２を基準位置に戻すときには、遊技者が回転操作体４０２を反時計回り方向に回動させなくても、ゼンマイばね４７５の付勢力によって戻るため、指掛け凸部４３２の時計回り方向側の面は緩斜面となっている。
【００８９】
また、本実施形態では、内リブ４３１ｅよりも外周側の本体部７０１の前面（リング部４３１の前壁部４３１ｃ及び指掛け凸部４３２ａ、４３２ｂ、４３２ｃの前面）が平坦面（面一）となっている。さらに、本実施形態では、本体部７０１は、その周方向において部分的に、内リブ４３１ｅからリング部４３１の外周縁までの距離（前壁部４３１ｃの幅）が異なっている。この詳細については後述する。加えて、第１指掛け凸部４３２ａ、第２指掛け凸部４３２ｂ、及び第３指掛け凸部４３２ｃには、それぞれ前後に貫通する留め孔７１１が形成されている。
【００９０】
さらに、本実施形態では、本体部７０１のうち前面側（前壁部４３１ｃ及び指掛け凸部４３２ａ、４３２ｂ、４３２ｃの前面、及び内リブ４３１ｅの外周面）は絶縁材料でコーティングされている。尚、当該絶縁処理の方法は特に限定されるものではなく、本体部７０１のうち詳しくは後述するタッチリング４０４に接触する部位が絶縁材料で構成されていればよい。例えば、本体部７０１の前面に塗膜を形成する以外にも、絶縁材料を本体部７０１の前面に取着（貼着）したり、本体部７０１の前面側を絶縁材料で構成したりする方法が挙げられる。加えて、本実施形態では、本体部７０１が静電気誘導手段に相当する。
【００９１】
センター取付部４３３は、円盤状のベース板４３５と、ベース板４３５の外周縁から後方に延出する周壁部４３６（図９参照）と、周壁部４３６の内周側においてベース板４３５から後方に突出成形された第１のギヤ体用ボス４３７（図９参照）とを備えている。本実施形態では、第１のギヤ体用ボス４３７は２箇所に形成され、それぞれ後側に向かって開口形成されるとともに内周に雌ねじ部を有している。また、２つの連結部４３４ａ、４３４ｂのうち一方の連結部４３４ａには、後側に向かって開口形成されるとともに内周に雌ねじ部を有するばね用ボス４３８（図９参照）が設けられている。
【００９２】
かかる構成下、センター取付部４３３の外周面と、連結部４３４ａ、４３４ｂの両側面と、リング部４３１の内周面とによって略円弧状をなす第１開口部４３９Ａ及び第２開口部４３９Ｂが形成されている。本実施形態では、ハンドル１８の組付け状態において、第２開口部４３９Ｂに対して第１及び第２の取付用ボス４１７、４１８が挿通され、第１開口部４３９Ａに対して第３の取付用ボス４１９が挿通された状態となる。開口部４３９Ｂは、回転操作体４０２の回動方向において、開口部４３９Ａよりも形成幅が大きく、本実施形態では、第２の取付用ボス４１８と正面視右側（第３指掛け凸部４３２ｃ側）の連結部４３４ｂとが当接した場合、第３の取付用ボス４１９と正面視左側（第１指掛け凸部４３２ａ側）の連結部４３４ａとが当接し、第１の取付用ボス４１７と正面視左側の連結部４３４ａとが当接した場合、第３の取付用ボス４１９と正面視右側の連結部４３４ｂとが当接するようになっている。また、ハンドル１８の組付け状態においては、各取付用ボス４１７、４１８、４１９の前端縁と、開口部４３９Ａ、４３９Ｂの周縁部（ベース板４３５の前面、連結部４３４ａ、４３４ｂの前縁部等）とが略面一となる。
【００９３】
（カバー４０３）
カバー部４０３は、略半球状をなすカバー本体４４０と、カバー本体４４０の後縁部よりも若干内周側においてカバー本体４４０から後方に延出する円筒状のガイドリブ４４１と、前記ハンドル基部４０１の第１〜第３の取付用ボス４１７〜４１９に相対向するようにして、カバー本体４４０から後方に突出成形され、内周に雌ねじ部を有するカバーボス４４２、４４３、４４４とを備えている。ガイドリブ４４１の外径は、カバー本体４４０の後端縁の外径よりも若干小さくなっている。また、ガイドリブ４４１には、部分的に切り欠かれることで形成されてなる挿通凹部７３１が形成されている。さらに、ガイドリブ４４１には、ガイドリブ４４１の周方向において所定間隔毎に、ガイドリブ４４１の外周面から外周側に突出する係合凹部７３２が形成されている。加えて、カバー本体４４０には、カバーボス４４２、４４３間の部位から挿通凹部７３１にまで延在するようにして、カバー本体４４０の後面から後方に突出する金具固定部７３３（図９参照）が形成されている。
【００９４】
そして、本体部７０１の開口部４３９Ａ，４３９Ｂに挿通された第１〜第３の取付用ボス４１７、４１８、４１９と、カバーボス４４２、４４３、４４３とを位置合わせした後（カバーボス４４２、４４３、４４４の後端部を取付用ボス４１７、４１８、４１９に挿入した後）、ハンドル基部４０１（隔壁部４１３）の後面側からねじで固定することで、カバー４０３がハンドル基部４０１に取付けられる。尚、カバー４０３は絶縁体（ＡＢＳ等）で構成されている。
【００９５】
また、ガイドリブ４４１の内径は、回転操作体４０２を構成する本体部７０１の内リブ４３１ｅの外径よりも大きくなっており、カバー４０３がハンドル基部４０１に固定されることで、ガイドリブ４４１が内リブ４３１ｅの外周面を囲うようにして相対配置される。尚、後面側環状溝４３０ａに大径部４１２の前縁部が相対的に挿通された状態にある本体部７０１と、カバー４０３のガイドリブ４４１との間には、ハンドル基部４０１等に対して本体部７０１が相対的に回転可能となる程度の隙間が形成されている。以上のようにして、カバー４０３がハンドル基部４０１に取付けられることで、本体部７０１が、ハンドル基部４０１とカバー４０３（及びタッチリング４０４）とに挟まれるようにして、ハンドル基部４０１に対し、回転可能に取付けられることとなる。
【００９６】
（中継金具７４１）
本実施形態のカバー本体４４０の後面側には、中継金具７４１が取付けられている。中継金具７４１は、カバー本体４４０の後面側に形成された金具固定部７３３に固定される金具本体７４３と、金具本体７４３の一端部から後方に向けて傾斜して延びる板バネ部７４５とを備えている。金具本体７４３には、カバー本体４４０（金具固定部７３３）に対してねじ固定するための固定孔７４４が２つ形成されている。
【００９７】
（タッチリング４０４）
図８、図９、図１１等に示すように、タッチリング４０４は、円環状のリング本体４９１と、リング本体４９１から内周側に突出し、カバー４０３のガイドリブ４４１に形成された挿通凹部７３１に挿通される端子部４９２とを備えるとともに、本体部７０１の第１指掛け凸部４３２ａ、第２指掛け部４３２ｂ、及び第３指掛け凸部４３２ｃに対応して、リング本体４９１から外周側に突出する第１接触部７２１、第２接触部７２２、及び第３接触部７２３と、リング本体４９１の内周面に形成され、カバー４０３のガイドリブ４４１に形成された係合凹部７３２に嵌入する係合突起７２５とを備えている。また、端子部４９２には、前後に貫通する端子孔４９３が形成されている。タッチリング４０４は、樹脂により形成されているものの、その表面全域は、導電性を有する金属メッキ層で覆われている。本実施形態では、タッチリング４０４の表面に形成された金属メッキ層がタッチ部に相当する。
【００９８】
また、リング本体４９１の内径は、カバー４０３のガイドリブ４４１の外径とほぼ同じ（若干大きい）となっている。そして、カバー４０３の挿通凹部７３１と、タッチリング４０４の端子部４９２とを位置合わせした上で、タッチリング４０４のリング本体４９１の内周側にカバー４０３のガイドリブ４４１を嵌め込むことで、タッチリング４０４の係合突起７２５がカバー４０３の係合凹部７３２に嵌入する。これにより、タッチリング４０４とカバー４０３とが組み付けられている。
【００９９】
さらに、カバー本体４４０の後端縁の外径は、リング本体４９１の外径とほぼ同じとなっており、当該組付け状態においては、タッチリング４０４のリング本体４９１の前縁部が、カバー本体４４０の後縁部により覆われる。また、当該組付け状態においては、カバー４０３のガイドリブ４４１の後端縁とタッチリング４０４のリング本体４９１の後端縁とが略面一となっている。
【０１００】
加えて、当該組付け状態においては、端子部４９２の端子孔４９３と、中継金具７４１の金具本体７４３に形成された２つの固定孔７４４のうち一方の固定孔７４４とが位置合わせされ、金具本体７４３及び端子部４９２ともどもカバー本体４４０（金具固定部７３３）にねじ固定される。これにより、タッチリング４０４と中継金具７４１とが電気的に接続されている。
【０１０１】
また、本実施形態では、タッチリング４０４の後側から第３接触部７２３、第２接触部７２２、第１接触部７２１となるように各接触部７２１、７２２、７２３の形成位置が前後にずれている（第１接触部７２１が一番手前で第３接触部７２３が一番奥）。すなわち、本実施形態では、前後方向において（前方から見ると）第１接触部７２１と第２接触部７２２とが一部重なり、第２接触部７２２と第３接触部７２３とが一部重なっているが、各接触部７２１、７２２、７２３の形成位置を前後にずらすことで、各接触部７２１、７２２、７２３を独立（分離）させている。
【０１０２】
さらに、各接触部７２１、７２２、７２３のリング本体４９１からの突出長が、第１接触部７２１、第２接触部７２２、第３接触部７２３の順に大きくなっている（第１接触部７２１が一番小さく第３接触部７２３が一番大きい）。
【０１０３】
（タッチセンサ４５１）
タッチセンサ４５１は、例えば静電容量の変化に基づき、人手が触れたことを検知することができるものである。図１０に示すように、本実施形態のタッチセンサ４５１は、第１の取付用ボス４１７及び第２の取付用ボス４２８が突出形成された台座部４２１と、大径部４１２との間の部位に組み付けられている。タッチセンサ４５１は、金属製のリード部４５２を備えており、当該リード部４５２はハンドル１８の組付け状態において回転操作体４０２の開口部４３９Ｂを貫通するとともに、その前端部がカバー本体４４０の後面近傍に位置している。
【０１０４】
さらに、本実施形態では、リード部４５２の前端部の位置と、中継金具７４１の板バネ部７４５の略先端部の位置とが対応しており、カバー４０３をハンドル基部４０１に組み付けると、板バネ部７４５が若干撓みつつ、リード部４５２の前端部と板バネ部７４５とが当接するようになっている。これにより、特段に接続作業を要することなく、中継金具７４１とリード部４５２とを電気的に接続することができる。結果的に、タッチリング４０４が、中継金具７４１を介してタッチセンサ４５１と電気的に接続され、タッチセンサ４５１によりタッチリング４０４に対して遊技者の手が触れたことを検知可能に構成されている。
【０１０５】
尚、リード部４５２は、第１の取付用ボス４１７と第２の取付用ボス４２８との間の部位から前方に延出しているため、リード部４５２によって回転操作体４０２（本体部７０１）の回動が妨げられることはない。また、本実施形態では、ハンドル１８の組付け状態において、中継金具７４１の金具本体７４３（タッチリング４０４の端子部４９２）と、タッチセンサ４５１のリード部４５２とが、カバーボス４４２、４４３（第１及び第２の取付用ボス４１７、４１８）を挟んで反対側に位置するため、中継金具７４１の板バネ部７４５は、タッチセンサ４５１のリード部４５２との接触を図るべく、カバーボス４４２、４４３間の隙間を介して、リード部４５２が位置するカバーボス４４２、４４３の右側にまで延在している。
【０１０６】
（第１のギヤ体４６６）
第１のギヤ体４６６は、円板状のベース部４６７と、ベース部４６７から後側に向けて突出する略円筒状の筒壁部４６８と、筒壁部４６８よりも内周側において、ベース部４６７の中心から後側へ突出する組付用ボス４６９とを備えている。ベース部４６７には、回転操作体４０２のセンター取付部４３３に設けられた２箇所の第１のギヤ体用ボス４３７に相対するようにして透孔４７０が形成されており、これら透孔４７０と第１のギヤ体用ボス４３７の雌ねじ部とが位置合わせされた状態でねじ止め固定されている。また、前記筒壁部４６８には、前記２箇所の透孔４７０に対応するようにしてスリット４７１（図９参照）が形成されている。これにより、筒壁部４６８は、２つに分断されている。２つの筒壁部４６８のうち、一方の筒壁部４６８の外周には外歯４７２が設けられている。
【０１０７】
また、組付用ボス４６９の先端部には、位置決め用突起４７３が外周方向に突出するようにして形成されている。ハンドル基部４０１に対する回転操作体４０２の組み付けに際しては、組付用ボス４６９が前記ハンドル基部４０１の中央ボス４１５に内挿されるのであるが、当該内挿は、前記中央ボス４１５のスリット状の切欠凹部４１６に対し位置決め用突起４７３が位置合わせされない限り、不可能となっている。尚、内挿が完了した場合には、前記位置決め用突起４７３が前記隔壁部４１３の後側へと臨むため、組付用ボス４６９の中央ボス４１５に対する相対回動、つまり、ハンドル基部４０１に対する回転操作体４０２の相対回動が可能となる。
【０１０８】
（可変抵抗器４４５）
可変抵抗器４４５は、抵抗器本体４４６と、抵抗器本体４４６から突出する回転軸４４７とを有している。そして、ハンドル基部４０１の隔壁部４１３に形成された連通孔４２６（図１０参照）に対して回転軸４４７を挿通させるようにして、抵抗器本体４４６が隔壁部４１３の後面側に設けられた図示しない設置部に取付けられている。また、回転軸４４７は、断面非円形状（略Ｄ字状）をなし、抵抗器本体４４６に対し３６０゜自由回転可能となっている。抵抗器本体４４６は、前記回転軸４４７の回転角度に応じて抵抗値を可変とし、その抵抗値に関する信号を出力可能となっている。
【０１０９】
（第２のギヤ体４４８）
可変抵抗器４４５の回転軸４４７には、第２のギヤ体４４８が挿通状態で嵌合されている。第２のギヤ体４４８の外周領域のうち４分の３ほどの区間には、外歯４４９が形成されている。尚、ハンドル基部４０１に対し回転操作体４０２が組み付けられた場合には、第１のギヤ体４６６の外歯４７２と前記第２のギヤ体４４８の外歯４４９とが噛合するようになっている。
【０１１０】
（静電気消散用金具４０６）
中央ボス４１５と台座部４２１との間には、静電気消散用金具４０６が設けられている。静電気消散用金具４０６は、その両端部が互いに反対方向に折り曲げ形成されるとともに、折り曲げられた両端部においてそれぞれ接続孔４９９ａ、４９９ｂが形成されている。当該静電気消散用金具４０６は、一端部に形成された接続孔４９９ａが、台座部４２１に形成されたねじ穴４２２と合致するようにして配置されている。さらに、静電気消散用金具４０６の他端部は、ハンドル基部４０１の隔壁部４１３にねじ固定されるとともに、図示しない配線を介して、前面枠セット１４の後面側に設けられ、電気的に接地されている補強用板金２８（図３参照）と電気的に接続されている。本実施形態では、静電気消散用金具４０６や補強用板金２８等が接地手段を構成する。
【０１１１】
（ゼンマイばね４７５）
付勢手段としてのゼンマイばね４７５は、導電性を有する金属素材よりなり、図９に示すように、コイル状に巻回されたコイル部４７６と、コイル部４７６の両端から外方に向けて延び、先端が環状に曲げられたフック部４７７、４７８とを備えている。コイル部４７６は、第１のギヤ体４６６の組付用ボス４６９と筒壁部４６８との間に形成された収容溝内に収容されている。そして、一方のフック部４７７が、本体部７０１の一方の連結部４３４ａに形成されたばね用ボス４３８（図９参照）の雌ねじ部に位置合わせされた状態で金属製のねじで固定されている。さらに、他方のフック部４７８は、ハンドル基部４０１の台座部４２１のねじ穴４２２（図８参照）に対し、静電気消散用金具４０６の一端部を挟んだ状態で（接続孔４９９ａとともに）金属製のねじで固定されている。これにより、本体部７０１（回転操作体４０２）がゼンマイばね４７５の付勢力によって反時計回り方向に付勢されるとともに、電気的に接地されている静電気消散用金具４０６と回転操作体４０２とが電気的に接続され、結果的に、回転操作体４０２が電気的に接地される（アースされる）こととなる。尚、ゼンマイばね４７５は、フック部４７７、４７８において金属部分が露出しているが、中間部位の表面には絶縁処理が施されていることとしてもよい。
【０１１２】
また、ゼンマイばね４７５の付勢力により、反時計回り方向に回動応力を受ける回転操作体４０２は、非操作状態において、一方の連結部４３４ｂが第２の取付用ボス４１８に当接するとともに、他方の連結部４３４ａが第３の取付用ボス４１９に当接することで、回転操作体４０２のそれ以上の反時計回り方向への回動が規制される。尚、このときの第２のギヤ体４４８（回転軸４４７）の相対回動位置が、回動操作量ゼロの基準状態となり、この状態における可変抵抗器４４５の抵抗器本体４４６の抵抗値が、回動操作量ゼロに対応した値となる。
【０１１３】
一方、遊技者がゼンマイばね４７５の付勢力に抗して回転操作体４０２を時計回り方向へと回動操作させると、回転操作体４０２のセンター取付部４３３に取付けられた第１のギヤ体４６６も時計回り方向へと回動する。第１のギヤ体４６６の外歯４７２には、第２のギヤ体４４８の外歯４４９が噛合しているので、第１のギヤ体４６６の回動に伴い、第２のギヤ体４４８は反時計方向へと回動する。第２のギヤ体４４８が回動すると、回転軸４４７も回動することとなり、可変抵抗器４４５の抵抗器本体４４６は、回転軸４４７の回転角度に応じた抵抗値をとることとなり、その抵抗値に関する信号が出力される。
【０１１４】
尚、回転操作体４０２と静電気消散用金具４０６とをゼンマイばね４７５によって電気的に接続することにより、両者間をケーブル等の配線で電気的に接続する場合に比べ、ハンドル基部４０１内部の煩雑化を防止したり、ケーブル等の引き回し等の煩雑さを解消したりすることができ、結果的に作業性の向上を図ることができる。
【０１１５】
（ストップスイッチ４５５）
図１０に示すように、ストップスイッチ４５５は、舌片状の押圧操作部４５６と、突出部４５７とを備え、前記大径部４１２内（中央ボス４１５の上側）において隔壁部４１３に対しねじ固定されている。突出部４５７は、ストップスイッチ４５５に内蔵されたばねの付勢力によって常には突出状態に維持されており、これにより、押圧操作部４５６が突出方向へと押し出された状態となっている。一方、押圧操作部４５６が押された場合には、突出部４５７が付勢力に抗して没入することとなる。
【０１１６】
（ストップレバー４５８）
図１０等に示すように、ストップレバー４５８は、ハンドル基部４０１の隔壁部４１３から前方に突出形成された支軸４２３に軸支される軸孔４６４と、第３の取付用ボス４１９に挿通される長孔４６５とを有するレバー本体部４５９と、レバー本体部４５９からハンドル１８の外周側に延出し、大径部４１２の第１切欠き部４１４ａを介して大径部４１２よりも外側に突出する操作部４６１と、ストップスイッチ４５５の押圧操作部４５６と当接可能な押圧作用部４６２とを備えている。そして、操作部４６１がハンドル１８内周側に押圧操作されると、ストップレバー４５８は支軸４２３を中心に回動し、押圧作用部４６２によって押圧操作部４５６の先端が押圧される。押圧操作部４５６が押されることで突出部４５７が没入し、これによりストップスイッチ４５５によってストップレバー４５８の押圧操作が検出される。
【０１１７】
さらに、ストップレバー４５８には、レバー本体部４５９から前方に突出する引っ掛け部４６０（図８参照）が設けられている。回転操作体４０２の非操作状態においては、ゼンマイばね４７５によって常に反時計回り方向に付勢される回転操作体４０２の後面側に形成された押圧部４２７（図９参照）と当該引っ掛け部４６０とが圧接するとともに、これに伴って押圧作用部４６２と押圧操作部４５６とが圧接し、突出部４５７が没入させられこととなる。つまり、回転操作体４０２が基準位置にある場合には、（遊技者がタッチリング４０４に手を触れても）遊技球が発射されないようになっている。
【０１１８】
（操作カバー７０２）
次に、回転操作体４０２の前面側を構成する操作カバー７０２について、図８、図９、図１４等を参照して説明する。操作カバー７０２は、本体部７０１のリング部４３１（前壁部４３１ａ）の前面側を覆う被覆リング７５１と、本体部７０１の第１指掛け凸部４３２ａ、第２指掛け凸部４３２ｂ、及び第３指掛け凸部４３２ｃの前面側を覆う第１被覆凸部７６１、第２被覆凸部７６２、及び第３被覆凸部７６３とを備えており、操作カバー７０２によって本体部７０１の前面全体が覆われている。また、操作カバー７０２は絶縁材料（ＡＢＳ等）により構成されている。尚、図１４は、操作カバー７０２を後側から見た背面図である。
【０１１９】
被覆リング７５１は、中央が開口した円盤状の正面壁部７５２と、正面壁部７５２の外周縁から後方に延出する略円筒状の囲い壁部７５３とを備えている。正面壁部７５２の内径は、カバー本体４４０の後端縁の外径よりも若干大きくなっている。また、囲い壁部７５３から外周側に突出する第１被覆凸部７６１、第２被覆凸部７６２、及び第３被覆凸部７６３の後面は、本体部７０１の第１指掛け凸部４３２ａ、第２指掛け凸部４３２ｂ、及び第３指掛け凸部４３２ｃの前面と面で当接可能に構成されるとともに、かかる被覆凸部７６１、７６２、７６３の後面には、指掛け凸部４３２ａ、４３２ｂ、４３２ｃの留め孔７１１に対応してねじ穴７５９（図１４参照）が形成されている。そして、タッチリング４０４が固定されたカバー４０３がハンドル基部４０１に取付けられた後、カバー４０３を内側に挿通させるようにして操作カバー７０２を本体部７０１に当接させるとともに、第１、第２、及び第３指掛け凸部４３２ａ、４３２ｂ、４３２ｃの留め孔７１１と、第１、第２、及び第３被覆凸部７６１、７６２、７６３のねじ穴７５９とにねじが螺着されることで、操作カバー７０２と本体部７０１とが固定されている（回転操作体４０２が組み付けられている）。また、被覆凸部７６１、７６３の操作面ＳＨは、組付け状態において本体部７０１の指掛け凸部４３２ａ、４３２ｃの操作面ＳＨと略面一になる。
【０１２０】
尚、詳しくは後述するが、本実施形態では、操作カバー７０２の被覆リング７５１の正面壁部７５２についても、本体部７０１のリング部４３１（前壁部４３１ｃ）の形状に対応して、部分的に幅が異なっている。
【０１２１】
さて、本実施形態では、タッチリング４０４が、回転操作体４０２の本体部７０１と操作カバー７０２とにより挟まれて、全体が覆われるようになっており、回転操作体４０２の非操作状態においては、タッチリング４０４への接触を図ることができないようになっている。その一方で、回転操作体４０２を時計回り方向側に所定角度回動させると、タッチリング４０４の接触部７２１、７２２、７２３が露出して、接触を図ることができるようになっている。以下、かかる構成について、より詳しく説明する。
【０１２２】
上記のように、本実施形態では、本体部７０１前面の内リブ４３１ｅからリング部４３１外周縁までの距離（前壁部４３１ｃの幅）が部分的に異なっている。特に、本実施形態では、前壁部４３１ｃの幅の違いによってリング部４３１（指掛け凸部４３２ａ、４３２ｂ、４３２ｃの形成部位を除く）が４つのエリアに区画されている。より具体的には、本体部７０１は、ゼンマイばね４７５によって常に反時計回り方向に付勢されているため、回転操作体４０２の非操作状態においては、図１１に示すように、一対の連結部４３４ａ、４３４ｂのうち、第３指掛け凸部４３２ｃ側の連結部４３４ｂと第２の取付用ボス４１８とが当接し、第１指掛け凸部４３２ａ側の連結部４３４ａと第３の取付用ボス４１９とが当接した状態となっている。この状態（回転操作体４０２が基準位置にある状態）において、リング部４３２のうち、第１接触部７２１と前後に重なっている部位（本体側第１エリア７１４）と、第２接触部７２２と前後に重なっている部位（本体側第２エリア７１５）と、第３接触部７２３と前後に重なっている部位（本体側第３エリア７１６）と、いずれの接触部７２１、７２２、７２３とも前後に重なっていない部位（本体側第４エリア７１７）とに区分されている。
【０１２３】
また、ハンドル１８の中心軸Ｘから本体側第１エリア７１４の外周縁までの距離は、ハンドル１８の中心軸Ｘから第１接触部７２１の外周縁までの距離よりも長い。このため、回転操作体４０２の非操作状態において、第１接触部７２１を覆うことができる。また、ハンドル１８の中心軸Ｘから本体側第１エリア７１４の外周縁までの距離は、ハンドル１８の中心軸Ｘから第２接触部７２２の外周縁までの距離よりも短い。このため、図１２のように、回転操作体４０２を回動させることで、本体側第１エリア７１４の外周縁から外側に第２接触部７２２を突出させることができる。
【０１２４】
ハンドル１８の中心軸Ｘから本体側第２エリア７１５の外周縁までの距離は、ハンドル１８の中心軸Ｘから第２接触部７２２の外周縁までの距離よりも長い。このため、回転操作体４０２の非操作状態において、第２接触部７２２を覆うことができる。また、ハンドル１８の中心軸Ｘから本体側第２エリア７１５の外周縁までの距離は、ハンドル１８の中心軸Ｘから第３接触部７２３の外周縁までの距離よりも短い。このため、図１２のように、回転操作体４０２を回動させることで、本体側第２エリア７１５の外周縁から外側に第３接触部７２３を突出させることができる。
【０１２５】
ハンドル１８の中心軸Ｘから本体側第３エリア７１６の外周縁までの距離は、ハンドル１８の中心軸Ｘから第３接触部７２３の外周縁までの距離よりも長い。このため、回転操作体４０２の非操作状態において、第３接触部７２３を覆うことができる。
【０１２６】
ハンドル１８の中心軸Ｘから本体側第４エリア７１７の外周縁までの距離は、ハンドル１８の中心軸Ｘから第１接触部７２１の外周縁までの距離よりも短い。このため、図１２のように、回転操作体４０２を回動させることで、本体側第４エリア７１７の外周縁から外側に第１接触部７２１を突出させることができる。
【０１２７】
さらに、本実施形態では、回転操作体４０２が基準位置にある場合に、接触部７２１、７２２、７２３の正面視反時計回り方向側の端縁は、それぞれ対応する指掛け凸部４３２ａ、４３２ｂ、４３２ｃの操作面ＳＨよりも若干時計回り方向側に位置している。また、図１２に示すように、本体部７０１（回転操作体４０２）をある程度回動変位させると、各指掛け凸部４３２ａ、４３２ｂ、４３２ｃの操作面ＳＨと、各接触部７２１、７２２、７２３の外周縁とが交差するようにして、各接触部７２１、７２２、７２３がリング部４３１（前壁部４３１ｃ）の外周縁よりも外周側に突出する。これにより、指掛け凸部４３２ａ、４３２ｂ、４３２ｃの操作面ＳＨに触れている遊技者の指が自然と各接触部７２１、７２２、７２３に触れるようになっている。本実施形態では、各指掛け凸部４３２ａ、４３２ｂ、４３２ｃの操作面ＳＨの付根部（リング部４３１との境界部）付近から、各接触部７２１、７２２、７２３が露出するように構成されており、これによって、各指掛け凸部４３２ａ、４３２ｂ、４３２ｃの先端側の操作面ＳＨに十分指を掛けて回転操作体４０２を確実に回動操作することができる。
【０１２８】
さらに、図１３に示すように、回転操作体４０２を最大限回動させた場合（第１の取付用ボス４１７と連結部４３４ａとが当接し、第３の取付用ボス４１９と連結部４３４ｂとが当接した場合）、各接触部７２１、７２２、７２３の正面視時計回り方向側の端部は、対応する指掛け凸部４３２ａ、４３２ｂ、４３２ｃの操作面ＳＨよりも若干時計回り方向側に位置している（依然として覆われた状態となっている）。つまり、回転操作体４０２を最大限回動させた場合においても、指掛け凸部４３２ａ、４３２ｂ、４３２ｃの操作面ＳＨと各接触部７２１、７２２、７２３とが交差し、指掛け凸部４３２ａ、４３２ｂ、４３２ｃの操作面ＳＨに触れている遊技者の指が自然と各接触部７２１、７２２、７２３に触れるようになっている。
【０１２９】
加えて、接触部７２１、７２２、７２３のうち回転操作体４０２を回動操作することで初めに露出することとなる反時計回り側の端部については、外周方向に向けて時計回り方向側に傾斜して延び、さらに、コーナー部において面取り加工が施されている。このため、回転操作体４０２を回動操作して接触部７２１、７２２、７２３に触れた遊技者の指がスムースに接触部７２１、７２２、７２３の外縁に沿って摺動することとなる。また、第１接触部７２１と第２接触部７２２とが前後に重なった部位、及び、第２接触部７２２と第３接触部７２３とが前後に重なった部位が外部に露出する場合であっても、第１接触部７２１よりも一段高い第２接触部７２２の端縁や、第２接触部７２２よりも一段高い第３接触部７２３の端縁に遊技者の指が引っ掛かってしまうといった事態を防止することができる。
【０１３０】
また、図１４等に示すように、本実施形態では、操作カバー７０２の被覆リング７５１についても、本体部７０１のリング部４３１の形状に対応して、正面壁部７５２の幅が異なる４つのエリアに区画されている。すなわち、本体側第１エリア７１４の前面側を覆う部位（カバー側第１エリア７７１）と、本体側第２エリア７１５の前面側を覆う部位（カバー側第２エリア７７２）と、本体側第３エリア７１６の前面側を覆う部位（カバー側第３エリア７７３）と、本体側第４エリア７１７の前面側を覆う部位（カバー側第４エリア７７４）とに区分され、本体側第１エリア７１４〜本体側第４エリア７１７（の前壁部４３１ｃ）の外周縁と、対応するカバー側第１エリア７７１〜カバー側第４エリア７７４（の囲い壁部７５３）の外周縁とが略面一となっている。
【０１３１】
さらに、本実施形態では、カバー側第１エリア７７１、カバー側第２エリア７７２、カバー側第３エリア７７３、及びカバー側第４エリア７７４における囲い壁部７５３の後方への突出長が異なっている。
【０１３２】
カバー側第１エリア７７１においては、囲い壁部７５３によって第１接触部７２１の外周縁を覆うとともに、囲い壁部７５３が第２接触部７２２のカバー側第１エリア７７１側への相対移動を妨げないようにする必要がある。このため、カバー側第１エリア７７１の囲い壁部７５３の後縁部は、第１接触部７２１よりも後方（第１接触部７２１の後面と面一でもよい）で、かつ、第２接触部７２２よりも前方に位置する。
【０１３３】
カバー側第２エリア７７２においては、囲い壁部７５３によって第２接触部７２２の外周縁を覆うとともに、囲い壁部７５３が第３接触部７２３のカバー側第２エリア７７２側への相対移動を妨げないようにする必要がある。このため、カバー側第２エリア７７２の囲い壁部７５３の後端縁は、第２接触部７２２よりも後方（第２接触部７２２の後面と面一でもよい）で、かつ、第３接触部７２３よりも前方に位置する。
【０１３４】
カバー側第３エリア７７３においては、囲い壁部７５３によって第３接触部７２３の外周縁を覆うことができればよく、本実施形態では、カバー側第３エリア７７３の囲い壁部７５３が、回転操作体４０２の組付け状態において本体部７０１（前壁部４３１ｃ）に当接状態とされるまで延出している。
【０１３５】
カバー側第４エリア７７４においては、囲い壁部７５３が第１接触部７２１のカバー側第４エリア７７４側への相対移動を妨げないようにする必要がある。本実施形態では、第１接触部７２１は、リング本体４３１の外周面の前縁部に形成されており、回転操作体４０２の組付け状態において第１接触部７２１が操作カバー７０２の正面壁部７５２の後面に略当接することから、カバー側第４エリア７７４においては、囲い壁部７５３が省略されている。
【０１３６】
また、各被覆凸部７６１、７６２、７６３に関しても、対応する接触部７２１、７２２、７２３を収容できるように後面側が切欠き形成されるとともに、対応する接触部７２１、７２２、７２３の出没を行えるように操作面ＳＨが切欠き成形されている。従って、本実施形態では、操作カバー７０２の囲い壁部７５３と本体部７０１との間を離間させたり、囲い壁部７５３を省略したりして形成された隙間と、接触部７２１、７２２、７２３との干渉を避けるべく被覆凸部７６１、７６２、７６３後面側に形成された切欠き部とによって、回転操作体４０２を回動操作した場合に、接触部７２１、７２２、７２３を外部に突出させるためのスリット７５７が形成されている。
【０１３７】
以上のように構成することで、回転操作体４０２が非操作状態にある場合には、回転操作体４０２（本体部７０１及び操作カバー７０２）によってタッチリング４０４が完全に覆われ、その一方で、回転操作体４０２を回動させた場合には、タッチリング４０４の接触部７２１、７２２、７２３がスリット７５７を介して回転操作体４０２から露出し（回転操作体４０２の外周側に突出し）、指掛け凸部４３２ａ、４３２ｂ、４３２ｃ（及び被覆凸部７６１、７６２、７６３）に指を掛けて回転操作体４０２を回動操作する遊技者の指に接触するようになっている。このように露出した接触部７２１、７２３に遊技者の指が触れることで、タッチリング４０４への接触がタッチセンサ４５１により検出されることとなる。また、本実施形態では、接触部７２１、７２２、７２３が回転操作体４０２のリング部４３１の外周面よりも外周側に突出しているため、回転操作体４０２を回動操作すれば、遊技者の指が自然と接触部７２１、７２３に触れる（摺接する）ようになっている。
【０１３８】
尚、回転操作体４０２が所定量回動操作され、接触部７２１、７２３が露出して以降、回転操作体４０２を最大限回動させるに至るまでずっと接触部７２１、７２２、７２３が操作面ＳＨと交差するようにして露出状態とされる。加えて、本実施形態では、リング部４３１及び被覆リング７５１がリング体を構成し、指掛け凸部４３２ａ、４３２ｂ、４３２ｃ、及び被覆凸部７６１、７６２、７６３が指掛け部を構成する。
【０１３９】
次に、上記のように構成されてなるハンドル１８の組み付けの手順について説明する。
【０１４０】
先ず、本体部７０１のセンター取付部４３３に対し、第１のギヤ体４６６がねじ固定される。次に、ゼンマイばね４７５のコイル部４７６が第１のギヤ体４６６（収容溝）に設置されるとともに、一方のフック部４７７がばね用ボス４３７に位置合わせされ、金属製のねじで固定される。
【０１４１】
また、ハンドル基部４０１に対して、可変抵抗器４４５、タッチセンサ４５１、ストップスイッチ４５５、ストップレバー４５８、静電気消散用金具４０６等が所定位置に配置される。より具体的には、静電気消散用金具４０６は、一方の端部の接続孔４９９ａが台座部４２１のねじ穴４２２に位置合わせされるとともに、他方の端部の接続孔４９９ｂが隔壁部４１３に形成された図示しない取付孔と位置合わせされ、当該他方の端部が前記補強用板金２８（図３参照）と電気的に接続された配線と電気的に接続された状態で、隔壁部４１３にねじ固定される。但し、この時点では、静電気消散用金具４０６の前記一方の端部の接続孔４９９ａは、台座部４２１のねじ穴４２２に位置合わせしておくにとどめる（ねじ止めはしない）。
【０１４２】
また、タッチセンサ４５１は、台座部４２１を挟んで静電気消散用金具４０６とは反対側の位置に、金属製のリード部４５２が前方に延出するようにして設置される。さらに、可変抵抗器４４５が隔壁部４１３の連通孔４２６周縁部に後方から取付けられるとともに、隔壁部４１３の前方に突出した可変抵抗器４４５の回転軸４４７に対し、第２のギヤ体４４８が相互に所定の相対角度関係となるよう組み付けられる。また、ストップスイッチ４５５が設置されるとともに、支軸４２３に軸孔４６４を挿通させるようにして、ストップレバー４５８が設置される。
【０１４３】
その後、上記ように第１のギヤ体４６６及びゼンマイばね４７５が組付けられた本体部７０１が、ハンドル基部４０１に対し組み付けられる。これによって、本体部７０１に取着されている第１のギヤ体４６６の組み付け用ボス４６９が、中央ボス４１５に内挿される。この内挿は、上述したように、中央ボス４１５のスリット状の切欠凹部４１６に対し位置決め用突起４７３が位置合わせされた上で行われる。また、組み付け用ボス４６９の中央ボス４１５への内挿とともに、ハンドル基部４０１の大径部４１２が、本体部７０１の後面側環状溝４３０ａへと挿通され、さらには、第２のギヤ体４４８の外歯４４９と、第１のギヤ体４６６の外歯４７２とが所定の位置関係で噛合し合うこととなる。これにより、ハンドル基部４０１に対する本体部７０１の組み付けが完了する。組み付けが完了すれば、上記のとおり位置決め用突起４７３が隔壁部４１３の後側へと臨むため、組付用ボス４６９の中央ボス４１５に対する相対回動、つまり、ハンドル基部４０１に対する本体部７０１（回転操作体４０２）の相対回動が可能となる。
【０１４４】
また、本体部７０１が組付けられることで、第２開口部４３９Ｂに第１及び第２の取付用ボス４１７、４１８が挿通され、第１開口部４３９Ａに第３の取付用ボス４２９が挿通されるとともに、第２開口部４３９Ｂにタッチセンサ４５１のリード部４５２が挿通され（貫通状態とされ）、リード部４５２の先端部が本体部７０１よりも前方に位置する。
【０１４５】
加えて、この時点においては、ゼンマイばね４７５の他方のフック部４７８が未だ固定されていない。このため、静電気消散用金具４０６の一端部の接続孔４９９ａが台座部４２１のねじ穴４２２に位置合わせされた状態にあるところ、このねじ穴４２２に前記他方のフック部４７８が位置合わせされ、ねじで固定される。このように、ゼンマイばね４７５が取付けられることにより、本体部７０１（回転操作体４０２）が反時計回り方向に付勢されるとともに、本体部７０１がゼンマイばね４７５及び静電気消散用金具４０６等を介して電気的に設置されることとなる。従って、静電気を帯電した遊技者が本体部７０１に触れると、かかる静電気が本体部７０１、ゼンマイばね４７５、及び静電気消散用金具４０６等を介して、静電気放電を起こすことなく、かつ、比較的速やかにアースへと逃がされることとなる。
【０１４６】
続いて、カバー４０３のカバー本体４４０の金具固定部７３３に中継金具７４１を固定する。但し、この時点では、中継金具７４１の金具本体７４３に形成された２つの固定孔７４４のうちカバー４０３の内周側の固定孔７４４だけにねじを螺着する。
【０１４７】
その後、カバー４０３のガイドリブ４４１の外周側に、タッチリング４０４のリング本体４９１を嵌め込み、カバー４０３の係合凹部７３２にタッチリング４０４の係合突起７２５を嵌入させる。これにより、カバー４０３にタッチリング４０４が固定される。また、タッチリングの端子部４９２が、カバー４０３のガイドリブ４４１に形成された挿通凹部７３１に挿通され、端子部４９２に形成された端子孔４９３が、中継金具７４１の固定孔７４４（ねじ止めされていない方）と位置合わせされ、金具本体７４３ともども端子部４９２が金具固定部７３３にねじ固定される。これにより、カバー４０３とタッチリング４０４との固定状態がより安定するとともに、タッチリング４０４と中継金具７４１とが電気的に接続される。
【０１４８】
続いて、カバー４０３のガイドリブ４４１の内周側に本体部７０１の内リブ４３１ｅが相対的に挿入され、ハンドル基部４０１の第１〜第３の取付用ボス４１７〜４１９と、カバー４０３のカバーボス４４２〜４４４とが位置合わせされた上で、それぞれについて大径部４１２の後側からねじ止めが行われる。これにより、ハンドル基部４０１に対し、カバー４０３が固定される。このとき、本体部７０１よりも前方に突出しているタッチセンサ４５１のリード部４５２が、中継金具７４１の板バネ部７４５に圧接される。これにより、中継金具７４１を介して、タッチリング４０４とタッチセンサ４５１とが電気的に接続され、タッチリング４０４及びタッチセンサ４５１間における電気的導通が図られることとなる。従って、遊技者がタッチリング４０４に触れた場合には、その旨がタッチセンサ４５１により検出され得る。
【０１４９】
最後に、被覆リング７５１の内周側にカバー４０３を挿通させるようにして、操作カバー７０２を本体部７０１の前面側に当接させ、指掛け凸部４３２ａ、４３２ｂ、４３２ｃに形成された留め孔７１１と、被覆凸部７６１、７６２、７６３に形成されたねじ穴７５９とを位置合わせして、本体部７０１の後面側からねじ固定する。以上、ハンドル１８の組付けが完了する。
【０１５０】
尚、本実施形態では、（１）；回転操作体４０２を基準位置から時計回り方向側に最大限回動させると、第１接触部７２１の操作面ＳＨが、回転操作体４０２が基準位置にあったときの第２接触部７２２の操作面ＳＨの位置を通り過ぎて、当該第２接触部７２２の接触面ＳＨの位置よりも時計回り方向側に位置し、第２接触部７２２の操作面ＳＨが、回転操作体４０２が基準位置にあったときの第３接触部７２３の接触面ＳＨの位置よりも時計回り方向側に位置する。このため、回転操作体４０２の回動範囲が小さいものに比べ、回転操作体４０２の回動量に基づく遊技球の発射強さの調整（微調整）が難しくなってしまうといったおそれを抑制することができる。また、例えば、第２指掛け凸部４３２ｂ、第２被覆凸部７６２、及び第２接触部７２２を省略したような構成に比べ、ハンドル１８の操作性を向上させることができる
さらに、（２）；基準位置にある回転操作体４０２を時計回り方向側に所定量回動させてから回転操作体４０２が最大限回動された位置となるまで、各接触面ＳＨを操作する遊技者の指が接触部７２１、７２２、７２３と途切れることなく接触するように、各接触部７２１、７２２、７２３が延設されている。このため、遊技者がハンドル１８の操作を行っている際に、意図することなく遊技球が発射されなくなってしまうといった事態を回避することができる。
【０１５１】
しかしながら、上記（１）、（２）の構成を採用する場合、前後方向において（前方から見ると）第１接触部７２１と第２接触部７２２とが一部重なるとともに、第２接触部７２２と第３接触部７２３とが一部重なる。このため、例えば、接触部７２１、７２２、７２３がリング本体４９１の周方向において真直ぐに設けられている場合、第１接触部７２１の外周縁を覆う操作カバー７０２の囲い壁部７５３によって、回転操作体４０２を回動させても第２接触部７２２を露出させることができなくなり、第２接触部７２２の外周縁を覆う囲い壁部７５３によって、回転操作体４０２を回動させても第３接触部７２３を露出させることができなくなってしまう。このため、本実施形態では、各接触部７２１、７２２、７２３の形成位置を前後にずらし、これに対応して操作カバー７０２の囲い壁部７５３の後方への突出長を調節することで、かかる不具合を回避している。また、囲い壁部７５３によって各接触部７２１、７２２、７２３の外周縁を覆うことで、回転操作体４０２が非操作状態にあるときに（本体部７０１よりも先に、或いはほぼ同時に）接触部７２１、７２２、７２３に遊技者の指が触れてしまうといった事態を確実に防止することができる。さらに、回転操作体４０２の内側に異物が侵入してしまうといった事態を抑制することができるとともに、遊技者が回転操作体４０２を操作するときの遊技者の指と回転操作体４０２との接触面積が増え、操作性を向上させることができる。
【０１５２】
さらに、各接触部７２１、７２２、７２３の形成位置を前後にずらしただけでは、例えば、第１接触部７２１、第２接触部７２２、第３接触部７２３のリング本体４９１からの突出長が同じである場合、回転操作体４０２を回動させても、第１接触部７２１の外周縁を覆う囲い壁部７５３から外周側に第２接触部７２２を突出させることができない上、第２接触部７２２の外周縁を覆う囲い壁部７５３から外周側に第３接触部７２３を突出させることができない。このため、本実施形態では、第１接触部７２１、第２接触部７２２、第３接触部７２３の順に突出長を大きくし、回転操作体４０２を回動させることで各接触部７２１、７２２、７２３をリング本体４９１及び被覆リング７５１の外周側に確実に突出させることができ、遊技者が指掛け凸部４３２の操作面ＳＨに指を掛けて回転操作体４０２を操作することで、かかる遊技者の指に自然と接触部７２１、７２２、７２３が接触するように構成することができる。
【０１５３】
尚、本実施形態では、各接触部７２１、７２２、７２３の形成位置を前後にずらし、各接触部７２１、７２２、７２３の突出長を変えているが、特にこのような構成に限定されるものではない。例えば、各接触部７２１、７２２、７２３の突出長が一定でも、各接触部７２１、７２２、７２３の形成位置を上記のように前後にずらし、囲い壁部７５３が、回転操作体４０２の非操作状態において対応する接触部７２１、７２２、７２３の外周縁だけを覆うように構成すれば、回転操作体４０２を回動させた場合に、接触部７２１、７２２、７２３を回転操作体４０２よりも外周側に突出させることはできないものの、接触可能に露出させることができる。従って、回転操作体４０２の非操作状態においては各接触部７２１、７２２、７２３を触り難くし、回転操作体４０２を回動操作した状態においては、指掛け凸部４３２を押圧操作する遊技者の指が各接触部７２１、７２２、７２３に接触するように構成することができる。尚、当該構成を採用する場合、本体部７０１のリング部４３１の前壁部４３１ｃの外周縁は、前後に対面し得る接触部７２１、７２２、７２３の外周縁よりもリング部４３１の内周側に位置していることが望ましい。この場合、操作カバー７０２の囲い壁部７５３よりも内周側において露出した接触部７２１、７２２、７２３に遊技者の指をより接触させ易くすることができる。
【０１５４】
また、例えば、接触部７２１、７２２、７２３がリング本体４９１の周方向において真直ぐに一続きに設けられた場合でも、各接触部７２１、７２２、７２３の突出長を上記のように変化させるとともに、囲い壁部７５３に形成されるスリット７５７を、後方に開口するようにして形成するのではなく、接触部７２１、７２２、７２３の外周面と対向する部位だけを開口させるようにして、スリット７５７の後方にも囲い壁部７５３が存在するように長孔状に形成することで、回転操作体４０２の非操作状態においてスリット７５７を介して接触部７２１、７２２、７２３を視認することができるようになるものの、接触部７２１、７２２、７２３への接触を困難（事実上不可能）とし、回転操作体４０２を回動させることで、スリット７５７を介して回転操作体４０２の外周側に接触部７２１、７２２、７２３を突出させることができる。
【０１５５】
次に、パチンコ機１０の電気的構成について説明する。図１５は、本パチンコ機１０の電気的構成を示すブロック図である。主制御手段としての主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。
【０１５６】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【０１５７】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【０１５８】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、メイン処理によって電源切断時に実行され、逆にバックアップエリア５０３ａに書き込まれた各値の復帰は、電源入時（停電解消による電源入を含む。以下同様）のメイン処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１５９】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【０１６０】
かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、第１及び第２特別表示装置４３Ｌ、４３Ｒ、普通図柄表示装置４１等が接続されている。この構成により、上述した特別表示装置４３Ｌ、４３Ｒ、及び普通図柄表示装置４１は、主制御装置２６１により直接的に制御される。一方、装飾図柄表示装置４２は、サブ制御装置２６２を介して制御される。
【０１６１】
その他、便宜上、各種中継基板等の図示は省略するが、入出力ポート５０５には、入賞口スイッチ２２１、カウントスイッチ２２３、始動入賞ユニットスイッチ２２４ａ，２２４ｂ、スルーゲートスイッチ２２５などの各種検出スイッチや、各種基板などの各種電気部品が接続されている。つまり、主制御装置２６１には、各種ケーブルコネクタのコネクタを接続するための複数の端子部（基板側コネクタ）が設けられているが、これら端子部等により、入出力ポート５０５が構成される。
【０１６２】
サブ制御手段としてのサブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１６３】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、演出ボタン１２５、各種電飾部及びランプ１０２〜１０４が接続されている。
【０１６４】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する第１及び第２特別表示装置４３Ｌ、４３Ｒにて大当たりか否かを表示するようになっており、サブ制御装置２６２が制御する装飾図柄表示装置４２では、前記特別表示装置４３Ｌ、４３Ｒの表示に合わせた表示が行われる。
【０１６５】
また、払出制御装置３１１は、払出装置３５８により賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１６６】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【０１６７】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【０１６８】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、メイン処理によって電源切断時に実行され、バックアップエリア５１３ａに書き込まれた各値の復帰は電源入時のメイン処理において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電時処理としてのＮＭＩ割込み処理が即座に実行される。
【０１６９】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。
【０１７０】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【０１７１】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、コマンド判定処理により受信されたコマンドの判定が行われた場合にオフされる。
【０１７２】
コマンドバッファは、主制御装置２６１から送信されるコマンドを一時的に記憶するリングバッファで構成されている。
【０１７３】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８等がそれぞれ接続されている。
【０１７４】
カードユニット接続基板３１４は、パチンコ機１０前面の貸球操作部（球貸しボタン１２１及び返却ボタン１２２）と、遊技ホール等にてパチンコ機１０の側方に配置されるカードユニット（球貸しユニット）とにそれぞれ電気的に接続され、遊技者による球貸し操作の指令を取り込んでそれをカードユニットに出力するものである。なお、カードユニットを介さずに球貸し装置等から上皿１９に遊技球が直接貸し出される現金機では、カードユニット接続基板３１４を省略することも可能である。
【０１７５】
発射制御装置３１２は、発射装置６０による遊技球の発射を許可又は禁止するものであり、発射装置６０は、所定条件が整っている場合に駆動が許可される。発射制御装置３１２には、上述した可変抵抗器４４５、タッチセンサ４５１、及び、ストップスイッチ４５５が電気的に接続されており、可変抵抗器４４５からは抵抗値に関する信号が、タッチセンサ４５１からは遊技者が回転操作体４０２に触れているか否かに関する信号が、また、ストップスイッチ４５５からはストップレバー４５９が押圧操作されているか否かに関する信号が、それぞれ発射制御装置３１２に対し入力されるようになっている。そして、払出制御装置３１１から発射許可信号が出力されていること、遊技者がハンドル１８（回転操作体４０２）に触れている旨の信号がタッチセンサ４５１から出力されていること、ストップレバー４５９（押圧操作部４５６、突出部４５７）が押圧操作されている旨の信号がストップスイッチ４５５から出力されていないことを条件に、発射装置６０（ソレノイド）が駆動され、ハンドル１８の操作量（回転操作体４０２の回動量）に応じた強度で遊技球が１球ずつ発射される。尚、発射に際しては、前記可変抵抗器４４５から入力される抵抗値に関する信号に基づき、発射制御装置３１２により発射装置６０（ソレノイド）への供給電力が調整等され、結果として遊技球の発射速度が調整されるようになっている。
【０１７６】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、バスライン５３０を介して、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１７７】
表示制御装置４５のＣＰＵ５２１は、サブ制御装置２６２から送信される表示コマンドを、入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１７８】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１７９】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１８０】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１８１】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１８２】
電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。同様に、各種スイッチやモータ等には、これらが接続される制御装置を介して動作電源が供給されることとなる。
【０１８３】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１８４】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１８５】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１８６】
以上詳述したように、本実施形態のハンドル１８は、回転操作体４０２が非操作状態（基準位置）にある場合、タッチリング４０４（接触部７２１、７２２、７２３）が回転操作体４０２（本体部７０１及び操作カバー７０２）に覆われて、接触を図ることができないようになっている。一方、回転操作体４０２を所定角度時計回り方向に回動させることで、タッチリング４０４の接触部７２１、７２２、７２３が回転操作体４０２から露出し、指掛け凸部４３２ａ、４３２ｂ、４３２ｃを操作する遊技者の指が自然と接触部７２１、７２２、７２３に接触するようになっている。当該構成により、遊技者はハンドル１８の操作に際し、タッチリング４０４よりも先に必ず回転操作体４０２に触れるようになっている。
【０１８７】
さらに、本実施形態では、回転操作体４０２の本体部７０１が導電性樹脂で構成されている。つまり、遊技者がハンドル１８を操作するにあたり、遊技者の手がタッチリング４０４に触れる前に本体部７０１に触れることで、本体部７０１等を介して遊技者に帯電していた静電気が逃がされる。このため、遊技者がタッチリング４０４に触れた際に、タッチセンサ４５１を具備するタッチ検出回路に対して静電気に基づく高電圧が印加されてしまうといった事態を抑止することができる。結果として、静電気に起因するタッチ検出回路等への悪影響（静電破壊等）を抑止することができる。
【０１８８】
また、本体部７０１はタッチリング４０４とは電気的に絶縁されている（本体部７０１のうちタッチリング４０４に接触し得る前面側の部位にはメッキ加工が施されていない）ため、本体部７０１に流れた静電気がタッチリング４０４を介してタッチセンサ４５１側に流れてしまうといった事態を防止することができる。従って、静電気（放電しない場合も含む）による高電圧によってタッチ検出回路が静電破壊されてしまうといった事態をより確実に防止することができる。また、タッチ検出回路において、電圧が所定以上となる静電気が印加された場合に静電気をアースへ逃がすことのできる徐電手段を設けなくても、タッチ検出回路の静電破壊等を防止することができる。従って、タッチ検出回路の簡素化等を図ることができる。
【０１８９】
さらに、遊技者が意図的に徐電を行おうとしなくても、遊技者が遊技球を発射させるために必要な動作（回転操作体４０２の回動操作）を行えば、タッチリング４０４へ触れる前に本体部７０１に触れて徐電されることとなる。このため、遊技者の手を煩わせることなく、遊技者の徐電を行うとともに、スムースに遊技を進行させることができる。また、遊技者の徐電を行うための導電性部材（静電気誘導手段）をハンドル１８とは別に設けた場合、当該導電性部材に先に触れることを認知させるための構成（案内板など）を設けることが考えられるが、本実施形態ではそのような構成を設けなくても済み、構成の複雑化、製造作業性の低下、コストアップ、意匠性の低下、遊技機前面側に案内用の部材の設置スペースを確保する必要が生じる等の各種不具合を回避することができる。
【０１９０】
加えて、本体部７０１は電気的に接地されているため、本体部７０１に静電気が帯電することはなく、遊技者が本体部７０１（回転操作体４０２）に触れることで、遊技者に帯電していた静電気を遊技者から確実に逃がすことができる。
【０１９１】
さらに、回転操作体４０２に指掛け凸部４３２ａ、４３２ｂ、４３２ｃ（及び被覆凸部７６１、７６２、７６３）が設けられ、回転操作体４０２を回動操作することで、タッチリング４０４の接触部７２１、７２２、７２３を、指掛け凸部４３２ａ、４３２ｂ、４３２ｃ及び被覆凸部７６１、７６２、７６３の操作面ＳＨにおいて形成されたスリット７５７を介してリング部４３１及びリング本体４９１の外周面側に突出させることができる。すなわち、指掛け凸部４３２ａ、４３２ｂ、４３２ｃが設けられることで、回転操作体４０２の操作性が向上するとともに、遊技者が回転操作体４０２を握るときの指の位置が定まることとなる。さらに、タッチリング４０４の接触部７２１、７２２、７２３が指掛け凸部４３２ａ、４３２ｂ、４３２ｃ（及び被覆凸部７６１、７６２、７６３）から露出してくるため、指掛け部４３２ａ、４３２ｂ、４３２ｃに指を掛けて回転操作体４０２を操作すれば遊技者の指が自然と接触部７２１、７２２、７２３に触れることとなる。その上、接触部７２１、７２２、７２３をリング部４３１の外周面側に突出させることも可能に構成されているため、接触部７２１、７２２、７２３が遊技者の指により触れやすいようになっている。従って、回転操作体４０２を操作することで遊技者の指をタッチリング４０４に確実に触れさせることができ、回転操作体４０２を操作したのにもかかわらず遊技者の指がタッチリング４０４に触れないことに起因して遊技球が発射されないといった事態を回避することができる。
【０１９２】
また、本体部７０１は、静電気拡散性を有する導電性樹脂（本例では表面抵抗率が１０5〜１０9Ω／ｓｑ）で構成されている。つまり、表面抵抗率が１０5〜１０9Ω／ｓｑの本体部７０１は、表面抵抗率が１０5Ω／ｓｑ未満の材料で構成されたものに比べ、遊技者に帯電している静電気を比較的ゆっくりと逃がすことができ、帯電した遊技者が本体部７０１に触れても静電気放電が生じ難い。従って、遊技者が回転操作体４０２（操作部７０１）に触れた際に静電気放電が起きることで、遊技者が不快な思いをしてしまうといった事態を防止することができる。その上、上記のように、遊技者がハンドル１８を操作するにあたり、遊技者の手がタッチリング４０４に触れる前に本体部７０１に触れることで、本体部７０１等を介して遊技者に帯電していた静電気が逃がされるため、その後、遊技者がタッチリング４０４に触れる際に遊技者の手とタッチリング４０４との間に静電気放電が起きてしまうといった事態を抑止することができる。
【０１９３】
さらに、表面抵抗率が１０5〜１０9Ω／ｓｑの本体部７０１は、表面抵抗率が１０11Ω／ｓｑ以上の材料で構成されたものに比べて、遊技者に帯電していた静電気を比較的速やかに逃がすことができる。このため、遊技者が本体部７０１に触れてからタッチリング４０４に触れるまでの時間が短くても、遊技者に帯電している静電気をより確実に減らすことができる。結果として、遊技者の手とタッチリング４０４との間に静電気放電が起きてしまうといった事態をより確実に抑止することができる。また、遊技者が本体部７０１に触れてからタッチリング４０４に触れるまでの時間を稼ぐべく、ハンドル１８の形状をいびつに大きく変更しなくても済むため、構成の複雑化、操作性の低下等を抑制するとともに、タッチリング４０４に遊技者の手が触れ難くなるといった事態を抑制することができる。
【０１９４】
尚、回転操作体４０２の表面抵抗率が１０5Ω／ｓｑ未満の場合、静電気放電が発生しやすくなってしまうことが懸念される。また、本体部７０１の表面抵抗率が１０11Ω／ｓｑを超える場合、静電気を逃がす速度が比較的遅くなるため、遊技者が回転操作体４０２に触れてからタッチリング４０４に触れるまでの時間が短いと、遊技者に帯電している静電気を十分に減らすことができず、タッチリング４０４に触れた際に依然として静電気放電を起こしてしまうことが懸念される。
【０１９５】
さらに、例えば、タッチセンサ４５１を、静電気拡散性を有する導電性樹脂で構成した場合、遊技者がハンドル１８に触れたことを好適に検出できなくなってしまう（反応が遅くなったりする等してしまう）ことが懸念される。これに対し、本実施形態では、上記の導電性樹脂で構成された本体部７０１とは別に、表面に金属メッキ層を具備し、タッチセンサ４５１と電気的に接続されるタッチリング４０４が設けられているため、遊技者がハンドル１８に触れたことを好適に検出することができる。
【０１９６】
また、本実施形態では、遊技者の操作に応じて遊技球の発射速度を変更可能にするために設けられた回転操作体４０２の本体部７０１が静電気拡散性を有する導電性樹脂で構成され、当該回転操作体４０２によって静電気誘導手段が構成されているため、遊技者に帯電している静電気を逃がすための静電気誘導手段を別途設ける場合に比べ、ハンドル１８の大型化や構造の複雑化、製造作業性の低下等を抑制することができる。
【０１９７】
（第２実施形態）
以下、第２実施形態について、特徴部分であるハンドル１８を中心に図１６を参照して説明する。尚、ハンドル１８の基本構成については、上記第１実施形態と同様であるため、その説明を省略するとともに、同じ部材名称及び部材番号を用いて説明する。
【０１９８】
（タッチリング４０４）
本実施形態のタッチリング４０４は、ハンドル基部４０１に対して回転可能に設けられている。図１６に示すように、タッチリング４０４は、円筒状のリング本体４９１と、リング本体４９１から外周側に突出する第１、第２、第３接触部８０１、８０２、８０３と、リング本体４９１の中心に位置する取付盤８０５と、取付盤８０５から相反する２方向に延び、端部がリング本体４９１にそれぞれ連結されてなる桁部８０６ａ、８０６ｂとを備えている。タッチリング４０４は、樹脂により形成されているものの、その表面全域は、導電性を有する金属メッキ層で覆われている。また、リング本体４９１の後縁部には、ハンドル基部４０１の大径部４１２の前縁部が挿通される図示しない後面側環状溝が形成されている。
【０１９９】
（第１のギヤ体４６６）
取付盤８０５の後面側には第１のギヤ体４６６が取付けられている。当該第１のギヤ体４６６は、可変抵抗器４４５の回転軸４４７に固定された第２のギヤ体４４８と噛み合っており、第１のギヤ対４６６及び第２のギヤ体４４８を介して、タッチリング４０４の回動量が可変抵抗器４４５によって検出されるようになっている。
【０２００】
（タッチセンサ４５１）
また、本実施形態のタッチセンサ４５１は、上記第１実施形態において静電気消散用金具４０６が配設されていた位置、すなわち、第１の取付用ボス４１７及び第２の取付用ボス４２８が突出形成された台座部４２１と、中央ボス４１５との間に配設されている。また、タッチセンサ４５１のリード部４５２は、前方に延出するとともに、その先端部が屈曲されている。尚、当該リード部４５２の前端部は、回転操作体４０２よりも後方に位置している。
【０２０１】
（ゼンマイばね４７５）
さらに、本実施形態のゼンマイばね４７５は、導電性を有する金属素材よりなり、コイル部４７６が第１のギヤ体４６６に配設され、一方のフック部４７７がタッチリング４０４（桁部８０６ａ）の後面側に固定され、他方のフック部４７８がタッチセンサ４５１のリード部４５２に係止されている。これにより、タッチリング４０４がゼンマイばね４７５の付勢力によって正面視で反時計回り方向側に付勢されるとともに、金属製のゼンマイばね４７５を介して、タッチリング４０４とタッチセンサ４５１とが電気的に接続され、タッチセンサ４５１によりタッチリング４０４に対して遊技者の手が触れたことを検知可能に構成されている。
【０２０２】
尚、ゼンマイばね４７５の付勢力により、反時計回り方向側に応力を受けるタッチリング４０４は、非操作状態において、一方の桁部８０６ｂが第２の取付用ボス４１８に当接するとともに、他方の桁部８０６ａが第３の取付用ボス４１９に当接することで、回転操作体４０２のそれ以上の反時計回り方向への回動が規制される。このときの第２のギヤ体４４８（回転軸４４７）の相対回動位置が、回動操作量ゼロの基準状態となり、この状態における可変抵抗器４４５の抵抗器本体４４６の抵抗値が、回動操作量ゼロに対応した値となる。
【０２０３】
（回転操作体４０２）
本実施形態の回転操作体４０２は、上記第１実施形態のように２つの部材には分かれておらず、単体で構成されている。また、回転操作体４０２は基本的に上記第１実施形態の本体部７０１と同様の構成を具備しているが、第１のギヤ体４６６を取付けるための構成が省略されているとともに、リング部４３１の内壁部４３１ｂが省略されている。また、外壁部４３１ａのうち各指掛け凸部４３２ａ、４３２ｂ、４３２ｃに対応する部位が開口形成され、各指掛け凸部４３２ａ、４３２ｂ、４３２ｃの内側の空間とリング部４３１の内周側の空間とが連通している。さらに、上記タッチリング４０４のリング本体４９１は、回転操作体４０２の外壁部４３１ａよりも一回り小さく構成されている。加えて、各指掛け凸部４３２ａ、４３２ｂ、４３２ｃの内側の空間は、対応する接触部８０１、８０２、８０３よりも大きく構成されている。以上の構成により、回転操作体４０２のリング部４３１の内側に、タッチリング４０４のリング本体４９１を収容するとともに、各指掛け凸部４３２ａ、４３２ｂ、４３２ｃの内側に各接触部８０１、８０２、８０３を収容することができるようになっている。尚、タッチリング４０４を回転操作体４０２の内側に挿入した状態においては、タッチリング４０４のリング本体４９１の外周面と、回転操作体４０２の外壁部４３１ａの内側面とが略当接するように構成されている。
【０２０４】
また、センター取付部４３３は、円盤状のベース板４３５と、ベース板４３５の中央部から前方に突出する円筒状の支持突起８１１と、ベース板４３５から前方に突出する略Ｌ字状の係止フック８１２とを備えている。加えて、リング部４３１は、外壁部４３１ａを前壁部４３１ｃよりも前方に延出させるようにして形成された外リブ４３１ｄを備え、内リブ４３１ｅとの間に、カバー４０３のガイドリブ４４１が挿通される前面側環状溝４３０ｂが形成されている。
【０２０５】
また、回転操作体４０２は、上記第１実施形態の本体部７０１と同様に、静電気拡散性を有する導電性樹脂材料（表面抵抗率が１０5〜１０9Ω／ｓｑ）により構成されている。つまり、回転操作体４０２は、静電気が帯電している物体に接触された場合に静電気放電（ＥＳＤ）を起こすことなく、かつ、物体に帯電している静電気を比較的速やかに逃がすことのできる程度の導電性を有している。さらに、本実施形態では、回転操作体４０２の内側面（リング部４３１の外壁部４３１ａの内側面、前壁部４３１ｃの裏面、及び指掛け凸部４３２ａ、４３２ｂ、４３２ｃの内側面）は絶縁材料でコーティングされている。尚、当該絶縁処理の方法は特に限定されるものではなく、回転操作体４０２のうちタッチリング４０４に接触する部位が絶縁材料で構成されていればよい。例えば、塗膜を形成する以外にも、絶縁材料を取着（貼着）したり、回転操作体４０２の一部を絶縁材料で構成したりする方法が挙げられる。
【０２０６】
（静電気消散用金具４０６）
本実施形態の静電気消散用金具４０６は、台座部４２１を挟んでタッチセンサ４５１とは反対側（上記第１実施形態においてタッチセンサ４５１が設けられていた部位）に組み付けられている。また、静電気消散用金具４０６の後端部は、上記第１実施形態と同様に、ハンドル基部４０１の隔壁部４１３にねじ固定されるとともに、図示しない配線を介して、電気的に接地されている補強用板金２８（図３参照）と電気的に接続されている。
【０２０７】
さらに、本実施形態の静電気消散用金具４０６は、上記第１実施形態のものよりも長く構成されており、ハンドル１８の組付け状態において回転操作体４０２の開口部４３９Ｂを貫通して回転操作体４０２の前方にまで延在している。尚、静電気消散用金具４０６は、第１の取付用ボス４１７と第２の取付用ボス４２８との間の部位から前方に延出しているため、静電気消散用金具４０６によって回転操作体４０２の回動が妨げられることはない。
【０２０８】
（操作用ゼンマイばね８２１）
また、本実施形態では、回転操作体４０２を正面視で反時計回り方向側に付勢する操作用ゼンマイばね８２１が設けられている。操作用ゼンマイばね８２１は、導電性を有する金属素材よりなり、コイル状に巻回されたコイル部８２２と、コイル部８２２の両端から外方に向けて延び、先端がＬ字状に曲げられたフック部８２３、８２４とを備えている。操作用ゼンマイばね８２１は、コイル部８２２の内側に回転操作体４０２の支持突起８１１を挿通させるようにして設置され、一方のフック部８２３が回転操作体４０２の係止フック８１２に係止され、他方のフック部８２４が第２開口部４３９Ｂを介して回転操作体４０２の前方に突出した静電気消散用金具４０６の前端部近傍に係止されている。これにより、回転操作体４０２は、操作用ゼンマイばね８２１の付勢力によって反時計回り方向に付勢されるとともに、操作用ゼンマイばね８２１及び静電気消散用金具４０６等を介して、電気的に接地されている。
【０２０９】
また、操作用ゼンマイばね８２１の付勢力により、反時計回り方向に回動応力を受ける回転操作体４０２は、非操作状態において、一方の連結部４３４ｂが第２の取付用ボス４１８に当接するとともに、他方の連結部４３４ａが第３の取付用ボス４１９に当接することで、回転操作体４０２のそれ以上の反時計回り方向への回動が規制される。
【０２１０】
尚、回転操作体４０２の前面側に形成された前面側環状溝４３０ｂにガイドリブ４４１を挿通させるようにして、カバー４０３をハンドル基部４０１に固定する（ハンドル基部４０１の第１〜第３の取付用ボス４１７〜４１９と、カバー４０３のカバーボス４４２〜４４４とをねじ固定する）ことで、回転操作体４０２及びタッチリング４０４が、カバー４０３とハンドル基部４０１（大径部４１２）とに挟まれるようにして、ハンドル基部４０１に対し回転可能に取付けられることとなる。
【０２１１】
さて、本実施形態では、指掛け凸部４３２ａ、４３２ｂ、４３２ｃの各操作面ＳＨ、及びリング部４３１（外壁部４３１ａ）のうち操作面ＳＨに連接する部位に対して、回転操作体４０２を操作した際に、各指掛け凸部４３２ａ、４３２ｂ、４３２ｃの内側に収容された接触部８０１、８０２、８０３を指掛け凸部４３２ａ、４３２ｂ、４３２ｃの外側に露出させるためのスリット８３１が形成されている。
【０２１２】
すなわち、本実施形態では、回転操作体４０２及びタッチリング４０４の非操作状態において、タッチリング４０４の接触部８０１、８０２、８０３が回転操作体４０２の指掛け凸部４３２ａ、４３２ｂ、４３２ｃの内側に収容され、接触を図ることができないように構成されている。より詳しくは、指掛け凸部４３２ａ、４３２ｂ、４３２ｃと連結部４３４ａ、４３４ｂとの位置関係と、接触部８０１、８０２、８０３と桁部８０６ａ、８０６ｂとの位置関係とがずれており、指掛け凸部４３２ａ、４３２ｂ、４３２ｃの操作面ＳＨと接触部８０１、８０２、８０３の反時計回り方向側の縦辺部（接触辺部８０９）とを前後に位置合わせした場合、連結部４３４ａ、４３４ｂに対して桁部８０６ａ、８０６ｂが若干反時計回り方向側にずれている。
【０２１３】
その一方で、遊技者が指掛け凸部４３２ａ、４３２ｂ、４３２ｃの操作面ＳＨに指を掛けて回転操作体４０２をある程度回動させると、接触部８０１、８０２、８０３がスリット８３１から指掛け凸部４３２ａ、４３２ｂ、４３２ｃの外側に臨み、指掛け凸部４３２ａ、４３２ｂ、４３２ｃの操作面ＳＨを押圧操作している遊技者の指に接触することとなる。また、遊技者の指に接触部８０１、８０２、８０３が接触した状態からさらに回転操作体４０２を時計回り方向に回動させると、回転操作体４０２とともにタッチリング４０４についても時計回り方向に回動することとなる。
【０２１４】
また、例えば、回転操作体４０２が時計回り方向に最大限回動され、連結部４３４ａと第１の取付用ボス４１７とが当接し、連結部４３４ｂと第３の取付用ボス４１９とが当接した場合においても、タッチリング４０４の桁部８０６ａ、８０６ｂはどちらも取付用ボス４１７〜４１９と当接しない。さらに、回転操作体４０２及びタッチリング４０２を時計回り方向に回動させた状態から、指掛け凸部４３２ａ、４３２ｂ、４３２ｃの操作面ＳＨ及び接触部８０１、８０２、８０３の接触辺部８０９を指で支持しつつ、回転操作体４０２及びタッチリング４０４を反時計回り方向に回動させると、回転操作体４０２の連結部４３４ａ、４３４ｂが取付用ボス４１８、４１９に当接する前の段階で、タッチリング４０４の桁部８０６ａ、８０６ｂが取付用ボス４１８、４１９に当接する。結果的に、タッチリング４０４及び回転操作体４０２の非操作状態において、各接触部８０１、８０２、８０３は、対応する指掛け凸部４３２ａ、４３２ｂ、４３２ｃの操作面ＳＨよりも時計回り方向側に位置する（指掛け凸部４３２ａ、４３２ｂ、４３２ｃの内側に収容された状態となる）。
【０２１５】
加えて、本実施形態のスリット８３１は、指掛け凸部４３２ａ、４３２ｂ、４３２ｃの操作面ＳＨの外周側端部近傍にまで延在している。また、指掛け凸部４３２ａ、４３２ｂ、４３２ｃの操作面ＳＨと、各接触部８０１、８０２、８０３の接触辺部８０９とが面一となった状態において、接触辺部８０９の外周側端部はスリット８３１の外周側端部近傍に位置している。
【０２１６】
尚、本実施形態のスリット８３１は、指掛け凸部４３２ａ、４３２ｂ、４３２ｃの操作面ＳＨだけでなく、リング部４３１の操作面ＳＨに連接する部位にも連続的に形成されているため、例えば、回転操作体４０２だけを時計回り方向に回動させた場合、スリット８３１を介して接触部８０１、８０２、８０３を操作面ＳＨから外方に若干突出させることができる。これにより、回転操作体４０２を回動操作する遊技者の指に接触部８０１、８０２、８０３がより接触し易くなっている。また、スリット８３１は、リング部４３１（外壁部４３１ａ）において、指掛け凸部４３２ａ、４３２ｂ、４３２ｃの操作面ＳＨの近傍部位のみに形成されている。このため、回転操作体４０２及びタッチリング４０４を時計回り方向に所定角度回動させた状態から、回転操作体４０２のみを押さえ、タッチリング４０４を自由にした（タッチリング４０４に手が触れないようにした）場合であっても、接触部８０１、８０２、８０３がリング部４３１（外壁部４３１ａ）において形成されたスリット８３１の反時計回り方向側の縁部に引っ掛かるため、タッチリング４０４のみが基準位置に戻ってしまうといった事態を回避することができる。
【０２１７】
以上のように構成されることで、遊技者は、ハンドル１８を操作する際に、タッチリング４０４に触れる前に必ず回転操作体４０２に触れることになる。また、タッチリング４０４も回動可能に構成することで、回転操作体４０２の回動の妨げとなることなく、接触部８０１、８０２、８０３を指掛け凸部４３２ａ、４３２ｂ、４３２ｃの突出方向先端部近傍まで位置させることができ、指掛け凸部４３２ａ、４３２ｂ、４３２ｃの操作面ＳＨを押圧操作する指がより確実に接触部８０１、８０２、８０３に接触するように構成することができる。従って、回転操作体４０２を操作する遊技者の指がタッチリング４０４に触れないことに起因して遊技球が発射されないといった事態をより確実に抑止することができる。加えて、ゼンマイばね４７５によりタッチリング４０４が反時計回り方向側に付勢されるため、回転操作体４０２を操作した際にタッチリング４０４の接触部８０１、８０２、８０３を確実に露出状態とする（遊技者の指に触れさせる）ことができる。
【０２１８】
以上詳述したように、第２実施形態では、回転操作体４０２が静電気拡散性を有する導電性樹脂（本例では表面抵抗率が１０5〜１０9Ω／ｓｑ）で構成されており、ハンドル１８の操作に際して先ず回転操作体４０２に触れることで、体に帯電していた静電気を比較的速やかに逃がされ、静電気放電が起きることも防止しつつ、タッチ検出回路に静電気が流れることを防止することができる。従って、基本的に上記第１実施形態と同様の作用効果が奏される。
【０２１９】
また、第２実施形態では、回転操作体４０２が基準位置（非操作状態）にある場合、タッチリング４０４（接触部８０１、８０２、８０３）が回転操作体４０２に覆われて、接触を図ることができないようになっている。一方、回転操作体４０２を所定角度時計回り方向に回動させることで、タッチリング４０４の接触部８０１、８０２、８０３が、指掛け凸部４３２ａ、４３２ｂ、４３２ｃの操作面ＳＨに形成されたスリット８３１から露出し、遊技者の指に自然と接触するようになっている。当該構成により、遊技者はハンドル１８の操作に際し、タッチリング４０４よりも先に必ず回転操作体４０２に触れるようになっている。従って、上記第１実施形態と同様に、遊技者が回転操作体４０２に触れる前にタッチリング４０４に触れることに起因して、タッチリング４０４と遊技者の手との間に静電気放電が起きてしまうといった事態をより確実に防止することができる。
【０２２０】
さらに、第２実施形態では、タッチリング４０４についても回動可能に構成されており、遊技者が回転操作体４０２を時計回り方向側に所定角度回動させ、指掛け凸部４３２ａ、４３２ｂ、４３２ｃの操作面ＳＨを押圧操作する遊技者の指にタッチリング４０４の接触部８０１、８０２、８０３が触れた以降は、回転操作体４０２とともにタッチリング４０４についても回動するようになっている。
【０２２１】
すなわち、回転操作体４０２を操作することでタッチリング４０４の接触部８０１、８０２、８０３が露出し、自然とタッチリング４０４への接触が図れるような構成を採用する場合、回転操作体４０２の指掛け凸部４３２ａ、４３２ｂ、４３２ｃを押圧操作する遊技者の指の軌道上に接触部８０１、８０２、８０３を設ける必要があるが、タッチリング４０４が変位不可能に固定されていると、タッチリング４０４によって遊技者の回転操作体４０２への操作が阻害されないように、遊技者の指の軌道の大部分を空けるようにして接触部８０１、８０２、８０３を設けることになる。ところが、この場合、遊技者の指掛け凸部４３２ａ、４３２ｂ、４３２ｃの操作面ＳＨへの指の掛け方によって（例えば、指掛け凸部４３２ａ、４３２ｂ、４３２ｃの突出方向先端部にだけ触れるようにして）、遊技者が回転操作体４０２を操作しても遊技者の手が接触部８０１、８０２、８０３に接触しなくなってしまうことが懸念される。
【０２２２】
これに対し、本実施形態では、タッチリング４０４が回転操作体４０２と同方向に変位可能に構成されているため、指掛け凸部４３２ａ、４３２ｂ、４３２ｃの操作面ＳＨを押圧操作する遊技者の指の軌道上に接触部８０１、８０２、８０３を設けても、接触部８０１、８０２、８０３により回転操作体４０２を操作する遊技者の手（指）の動きが阻害されてしまうといった事態を回避することができる。特に、本実施形態では、スリット８３１が指掛け凸部４３２ａ、４３２ｂ、４３２ｃの操作面ＳＨの外周側端部近傍にまで延設されている上、操作面ＳＨと、各接触部８０１、８０２、８０３の接触辺部８０９とが面一となった状態において、接触辺部８０９の外周側端部がスリット８３１の外周側端縁近傍に位置している。従って、回転操作体４０２を操作する遊技者の指が確実にタッチリング４０４に接触するよう構成することができ、回転操作体４０２を操作した遊技者の手がタッチリング４０４に触れないことに起因して遊技球が発射されないといった事態を防止することができる。
【０２２３】
また、タッチリング４０４がハンドル基部４０１に対して変位不可能に設けられている場合、タッチリング４０４によって回転操作体４０２の変位が阻害されないようにするための構成や、回転操作体４０２が非操作状態にあるときにタッチリング４０４を覆うための構成が複雑化する（第１実施形態において、タッチリング４０４の接触部７２１、７２２、７２３の形成位置を前後にずらすとともに、接触部７２１、７２２、７２３の突出長を変え、これに合わせるようにして、さらに、操作カバー７０２の正面壁部７５２の幅や、囲い壁部７５３の後方への延出長を変える）おそれがあるが、本実施形態のようにタッチリング４０４も回動可能に構成することで、かかる不具合を回避することができる。
【０２２４】
加えて、例えば、タッチリング４０４が変位不可能に設けられている場合には、タッチリング４０４を露出させるべく、回転操作体４０２に対して比較的広範囲にスリット（第１実施形態ではスリット７５７）を形成する必要があるが、本実施形態ではスリット８３１の形成範囲を極力小さくすることができる。従って、スリット８３１を介してハンドル１８の内部に異物が侵入してしまうといった事態を抑制したり、遊技者が回転操作体４０２を操作するときの遊技者の指と回転操作体４０２との接触面積が増え、操作性を向上させることができたり、スリット８３１を形成することでの回転操作体４０２の強度の低下を抑制したりすることができる。
【０２２５】
（第３実施形態）
以下、第３実施形態について、特徴部分であるハンドル１８を中心に、図１８〜図２１を参照して説明する。
【０２２６】
図１８〜図２１に示すように、ハンドル１８は、前面枠セット１４に固定されたハンドル基部１４０１と、ハンドル基部１４０１に対して回動可能に組付けられた操作部としての回転操作体１４０２と、回転操作体１４０２の前面側においてハンドル基部１４０１に固定された略半球状のカバー１４０３と、表面にメッキ加工が施されたタッチリング１４０４と、回転操作体１４０２とタッチリング１４０４との間に介在する絶縁リング１４０５とを備えている。また、回転操作体１４０２に固定された第１のギヤ体１４６６と、変位量検出手段としての可変抵抗器１４４５と、第１のギヤ体１４６６と可変抵抗器１４４５とを連動させる第２のギヤ体１４４８と、タッチ検出手段としてのタッチセンサ１４５１を備えている。さらに、回転操作体１４０２をアースさせるための静電気消散用金具１４０６と、回転操作体１４０２を反時計回り方向に付勢するゼンマイばね１４７５と、遊技球の発射を停止させるためのストップスイッチ１４５５と、ストップスイッチ１４５５の操作に用いられるストップレバー１４５８とを備えている。
【０２２７】
（ハンドル基部１４０１）
図１９、９に示すように、ハンドル基部１４０１は、全体として略円筒状をなしており、後側に位置する小径部１４１１と前側に位置する大径部１４１２とが隔壁部１４１３により隔てられている。また、大径部１４１２の後端部には、大径部１４１２の外周面から外周側に突出する支持リブ１４２０が形成されている。さらに、大径部１４１２には、部分的に切り欠かれることで形成されてなる第１切欠き部１４１４ａ（図２１で左下の部位）と第２切欠き部１４１４ｂ（図２１で右下の部位）とが設けられている。また、隔壁部１４１３の中心には、筒状の中央ボス１４１５が一体形成されている。中央ボス１４１５の前部は前方に向けて縮径するテーパ状に形成されるとともに、当該中央ボス１４１５の前部の一部には切欠凹部１４１６が形成されている。
【０２２８】
さらに、隔壁部１４１３には、第１、第２及び第３の取付用ボス１４１７、１４１８、１４１９が前方に突出形成されている。第１及び第２の取付用ボス１４１７、１４１８は、隔壁部１４１３から前方に突出形成された台座部１４２１上において互いに近接する位置に形成されており、第３の取付用ボス１４１９は、中央ボス１４１５を挟んで台座部１４２１とは反対側の位置に形成されている。また、台座部１４２１には、第１及び第２の取付用ボス１４１７、１４１８の間において、ねじ穴１４２２が形成されている。
【０２２９】
また、隔壁部１４１３からは、第３の取付用ボス１４１９の近傍位置（上方）において、支軸１４２３が前方に突出形成されている。さらに、隔壁部１４１３には、各種配線等を後側へ導くための図示しない挿通孔が形成されている。尚、ハンドル基部１４０１は絶縁体（ＡＢＳ等）で構成されている。
【０２３０】
（回転操作体１４０２）
回転操作体１４０２は、円環状のリング部１４３１と、リング部１４３１の外周において突出形成された複数の指掛け凸部１４３２と、リング部１４３１の中心に位置するセンター取付部１４３３と、センター取付部１４３３から相反する２方向に延び、端部がリング部１４３１にそれぞれ連結されてなる連結部１４３４ａ、１４３４ｂとを備えている。本実施形態では、回転操作体１４０２は、静電気拡散性を有する静電気拡散性材料としての導電性樹脂材料（表面抵抗率が１０5〜１０9Ω／ｓｑ）により構成されている。つまり、回転操作体１４０２は、静電気が帯電している物体に接触された場合に静電気放電（ＥＳＤ）を起こすことなく、かつ、物体に帯電している静電気を比較的速やかに逃がすことのできる程度の導電性を有している。
【０２３１】
リング部１４３１には、その後面側において、ハンドル基部１４０１の大径部１４１２が挿入可能な後面側環状溝１４３０ａ（図２０参照）と、前面側において、カバー１４０３の後端縁（後述するガイドリブ１４４１）が挿入可能な前面側環状溝１４３０ｂ（図１９参照）とが形成されている。より具体的には、リング部１４３１は、回転操作体１４０２の外周面を形成する円筒状の外壁部１４３１ａと、外壁部１４３１ａの内周側において外壁部１４３１ａとの間に所定の隙間が形成されるようにして設けられた円筒状の内壁部１４３１ｂと、外壁部１４３１ａと内壁部１４３１ｂとの前縁部同士を連結する前壁部１４３１ｃと、外壁部１４３１ａ及び内壁部１４３１ｂを前方に延長させるようにして前壁部１４３１ｃよりも前方に突出する外リブ１４３１ｄ及び内リブ１４３１ｅとを備えている。外壁部１４３１ａ及び内壁部１４３１ｂは互いに同心円となっており、外壁部１４３１ａ及び内壁部１４３１ｂ間の隙間により後面側環状溝１４３０ａが構成されている。また、外リブ１４３１ｄ及び内リブ１４３１ｅ間の隙間により前面側環状溝１４３０ｂが構成されている。
【０２３２】
尚、指掛け凸部１４３２は、遊技者が指を引っ掛けて回転操作体１４０２を把持・回動操作を行いやすくするためのものである。本実施形態の指掛け凸部１４３２は、主として親指が掛けられる第１指掛け凸部１４３２ａと、主として人指し指が掛けられる第２指掛け凸部１４３２ｂと、主として中指が掛けられる第３指掛け凸部１４３２ｃとからなる。また、本実施形態では、遊技球を発射させる際に、回転操作体１４０２を正面視で時計回り方向に回動させるよう構成されているため、当該回動操作に際して遊技者の指に押圧される各指掛け凸部１４３２の反時計回り方向側の面（操作面）は、ハンドル１８の遠心方向に沿って延びている（リング部１４３１の外周面に対してほぼ垂直に延びている。さらに、各指掛け凸部１４３２は後方に開口した形状をなしている（図２０参照）。尚、回転操作体１４０２を基準位置に戻すときには、遊技者が回転操作体１４０２を反時計回り方向に回動させなくても、ゼンマイばね１４７５の付勢力によって戻るため、指掛け凸部１４３２の時計回り方向側の面は緩斜面となっている。
【０２３３】
センター取付部１４３３は、円盤状のベース板１４３５と、ベース板１４３５の外周縁から後方に延出する周壁部１４３６（図２０参照）と、周壁部１４３６の内周側においてベース板１４３５から後方に突出成形された第１のギヤ体用ボス１４３７（図２０参照）とを備えている。本実施形態では、第１のギヤ体用ボス１４３７は２箇所に形成され、それぞれ後側に向かって開口形成されるとともに内周に雌ねじ部を有している。また、２つの連結部１４３４ａ、１４３４ｂのうち一方の連結部１４３４ａには、後側に向かって開口形成されるとともに内周に雌ねじ部を有するばね用ボス１４３８（図２０参照）が設けられている。
【０２３４】
かかる構成下、センター取付部１４３３の外周面と、連結部１４３４ａ、１４３４ｂの両側面と、リング部１４３１の内周面とによって略円弧状をなす第１開口部１４３９Ａ及び第２開口部１４３９Ｂが形成されている。本実施形態では、ハンドル１８の組付け状態において、第２開口部１４３９Ｂに対して第１及び第２の取付用ボス１４１７、１４１８が挿通され、第１開口部１４３９Ａに対して第３の取付用ボス１４１９が挿通された状態となる。開口部１４３９Ｂは、回転操作体１４０２の回動方向において、開口部１４３９Ａよりも形成幅が大きく、本実施形態では、第２の取付用ボス１４１８と正面視右側（第３指掛け凸部１４３２ｃ側）の連結部１４３４ｂとが当接した場合、第３の取付用ボス１４１９と正面視左側（第１指掛け凸部１４３２ａ側）の連結部１４３４ａとが当接し、第１の取付用ボス１４１７と正面視左側の連結部１４３４ａとが当接した場合、第３の取付用ボス１４１９と正面視右側の連結部１４３４ｂとが当接するようになっている。また、ハンドル１８の組付け状態においては、各取付用ボス１４１７、１４１８、１４１９の前端縁と、開口部１４３９Ａ、１４３９Ｂの周縁部（ベース板１４３５の前面、連結部１４３４ａ、１４３４ｂの前縁部等）とが略面一となる。
【０２３５】
（カバー１４０３）
カバー部４０３は、略半球状をなすカバー本体１４４０と、カバー本体１４４０の後縁部よりも若干内周側においてカバー本体１４４０から後方に延出し、前記回転操作体１４０２の前面側環状溝１４３０ｂに挿入されるガイドリブ１４４１と、前記ハンドル基部１４０１の第１〜第３の取付用ボス１４１７〜１４１９に相対向するようにして、カバー本体１４４０から後方に突出成形され、内周に雌ねじ部を有するカバーボス１４４２、１４４３、１４４４とを備えている。ガイドリブ１４４１の外径は、カバー本体１４４０の後端縁の外径よりも若干小さく構成されている。そして、回転操作体１４０２の開口部１４３９Ａ，１４３９Ｂに挿通された第１〜第３の取付用ボス１４１７、１４１８、１４１９と、カバーボス１４４２、１４４３、１４４３とが、位置合わせされた後（カバーボス１４４２、１４４３、１４４４の後端部を取付用ボス１４１７、１４１８、１４１９に挿入した後）、ハンドル基部１４０１（隔壁部１４１３）の後面側からねじで固定される。尚、カバー１４０３は絶縁体（ＡＢＳ等）で構成されている。
【０２３６】
（タッチリング１４０４）
タッチリング１４０４は、円環状をなすとともに、回転操作体１４０２よりも後方においてハンドル基部１４０１の大径部１４１２の外周側に嵌め込まれ、ハンドル基部１４０１の支持リブ１４２０の前面と当接状態とされるリング本体１４９１と、リング本体１４９１から内周側に突出し、大径部１４１２に形成された第２切欠き部１４１４ｂに挿通される端子部１４９２とを備えている。タッチリング１４０４は、樹脂により形成されているものの、その表面全域は、導電性を有する金属メッキ層で覆われている。本実施形態では、タッチリング１４０４、より具体的には、タッチリング１４０４の表面に形成された金属メッキ層がタッチ部に相当する。さらに、端子部１４９２には、前後に貫通する端子孔１４９３が形成されており、タッチリング１４０４のハンドル基部１４０１への組付け状態において、端子孔１４９３は大径部１４１２の内周側に位置している。加えて、リング本体１４９１の前縁部側には、第１切欠き部１４１４ａに対応して後側許容凹部１４９４が形成されている。
【０２３７】
本実施形態では、図１８（ｂ）に示すように、回転操作体１４０２がタッチリング１４０４よりも前方に配置されている上、回転操作体１４０２（リング部１４３１）の外径が、タッチリング１４０４の外径よりも大きくなっている。これにより、タッチリング１４０４よりも先に回転操作体１４０２に触れ易くなっている。また、回転操作体１４０２（リング部１４３１）の外周面が後方に向けて若干縮径している。これにより、回転操作体１４０２を触れた遊技者の指が、回転操作体１４０２の外周面によりタッチリング１４０４側に案内されてタッチリング１４０４に触れ易いようになっている。さらに、タッチリング１４０４（リング本体１４９１）は、支持リブ１４２０及び後述する絶縁リング１４０５よりも若干外径が大きくなっている。これにより、ハンドル１８を操作する際に、遊技者の指が回転操作体１４０２及びタッチリング１４０４に触れ易いようになっている。
【０２３８】
（タッチセンサ１４５１）
タッチセンサ１４５１は、例えば静電容量の変化に基づき、人手が触れたことを検知することができるものである。タッチセンサ１４５１は、金属製のリード部１４５２を備え、リード部１４５２には前後に貫通するリード孔１４５３が形成されている。また、タッチセンサ１４５１は、第２切欠き部１４１４ｂ近傍の隔壁部１４１３に対し、リード部１４５２が第２切欠き部１４１４ｂ側に突出する向きで組み付けられている（図２１参照）。さらに、かかる組付け状態においては、タッチセンサ１４５１のリード部１４５２と、タッチリング１４０４の端子部１４９２とが前後に当接するとともに、リード部１４５２のリード孔１４５３と、端子部１４９２の端子孔１４９３とが位置合わせされてねじ固定されている。これにより、タッチリング１４０４とタッチセンサ１４５１とが電気的に接続され、タッチセンサ１４５１によりタッチリング１４０４に対して遊技者の手が触れたことを検知可能に構成されている。
【０２３９】
（絶縁リング１４０５）
絶縁リング１４０５は、タッチリング１４０４と回転操作体１４０２とを電気的に絶縁させるためのものであり、絶縁体（ＡＢＳ等）で構成されるとともに、タッチリング１４０４と回転操作体１４０２との間において、ハンドル基部１４０１の大径部１４１２の外周側に嵌め込まれている。また、絶縁リング１４０５には、内周側に突出する位置決め凸部１４９６が設けられており、組み付け状態において当該位置決め凸部１４９６は大径部１４１２に形成された第２切欠き部１４１４ｂに挿通状態とされる。これにより、ハンドル基部１４０１に対する絶縁リング１４０５の位置決めが行われる。尚、当該位置決め凸部１４９６の突出長は、タッチリング１４０４の端子部１４９２の突出長よりも短く、タッチリング１４０４及び絶縁リング１４０５をハンドル基部１４０１に組み付けても、位置決め凸部１４９６によって端子部１４９２の端子孔１４９３が覆われないようになっている。加えて、絶縁リング１４０５の後縁部側には、第１切欠き部１４１４ａに対応して前側許容凹部１４９７が形成されている。
【０２４０】
（第１のギヤ体１４６６）
第１のギヤ体１４６６は、円板状のベース部１４６７と、ベース部１４６７から後側に向けて突出する略円筒状の筒壁部１４６８と、筒壁部１４６８よりも内周側において、ベース部１４６７の中心から後側へ突出する組付用ボス１４６９とを備えている。ベース部１４６７には、回転操作体１４０２のセンター取付部１４３３に設けられた２箇所の第１のギヤ体用ボス１４３７に相対するようにして透孔１４７０が形成されており、これら透孔１４７０と第１のギヤ体用ボス１４３７の雌ねじ部とが位置合わせされた状態でねじ止め固定されている。また、前記筒壁部１４６８には、前記２箇所の透孔１４７０に対応するようにしてスリット１４７１（図２０参照）が形成されている。これにより、筒壁部１４６８は、２つに分断されている。２つの筒壁部１４６８のうち、一方の筒壁部１４６８の外周には外歯１４７２が設けられている。
【０２４１】
また、組付用ボス１４６９の先端部には、位置決め用突起１４７３が外周方向に突出するようにして形成されている。ハンドル基部１４０１に対する回転操作体１４０２の組み付けに際しては、組付用ボス１４６９が前記ハンドル基部１４０１の中央ボス１４１５に内挿されるのであるが、当該内挿は、前記中央ボス１４１５のスリット状の切欠凹部１４１６に対し位置決め用突起１４７３が位置合わせされない限り、不可能となっている。尚、内挿が完了した場合には、前記位置決め用突起１４７３が前記隔壁部１４１３の後側へと臨むため、組付用ボス１４６９の中央ボス１４１５に対する相対回動、つまり、ハンドル基部１４０１に対する回転操作体１４０２の相対回動が可能となる。
【０２４２】
（可変抵抗器１４４５）
可変抵抗器１４４５は、抵抗器本体１４４６と、抵抗器本体１４４６から突出する回転軸１４４７とを有している。そして、ハンドル基部１４０１の隔壁部１４１３に形成された連通孔１４２６（図２１参照）に対して回転軸１４４７を挿通させるようにして、抵抗器本体１４４６が隔壁部１４１３の後面側に設けられた図示しない設置部に取付けられている。また、回転軸１４４７は、断面非円形状（略Ｄ字状）をなし、抵抗器本体１４４６に対し３６０゜自由回転可能となっている。抵抗器本体１４４６は、前記回転軸１４４７の回転角度に応じて抵抗値を可変とし、その抵抗値に関する信号を出力可能となっている。
【０２４３】
（第２のギヤ体１４４８）
可変抵抗器１４４５の回転軸１４４７には、第２のギヤ体１４４８が挿通状態で嵌合されている。第２のギヤ体１４４８の外周領域のうち４分の３ほどの区間には、外歯１４４９が形成されている。尚、ハンドル基部１４０１に対し回転操作体１４０２が組み付けられた場合には、第１のギヤ体１４６６の外歯１４７２と前記第２のギヤ体１４４８の外歯１４４９とが噛合するようになっている。
【０２４４】
（静電気消散用金具１４０６）
中央ボス１４１５と台座部１４２１との間には、静電気消散用金具１４０６が設けられている。静電気消散用金具１４０６は、その両端部が互いに反対方向に折り曲げ形成されるとともに、折り曲げられた両端部においてそれぞれ接続孔１４９９ａ、１４９９ｂが形成されている。当該静電気消散用金具１４０６は、一端部に形成された接続孔１４９９ａが、台座部１４２１に形成されたねじ穴１４２２と合致するようにして配置されている。さらに、静電気消散用金具１４０６の他端部は、ハンドル基部１４０１の隔壁部１４１３にねじ固定されるとともに、図示しない配線を介して、前面枠セット１４の後面側に設けられ、電気的に接地されている補強用板金２８（図３参照）と電気的に接続されている。本実施形態では、静電気消散用金具１４０６や補強用板金２８等が接地手段を構成する。
【０２４５】
（ゼンマイばね１４７５）
付勢手段としてのゼンマイばね１４７５は、導電性を有する金属素材よりなり、図２０に示すように、コイル状に巻回されたコイル部１４７６と、コイル部１４７６の両端から外方に向けて延び、先端が環状に曲げられたフック部１４７７、１４７８とを備えている。コイル部１４７６は、第１のギヤ体１４６６の組付用ボス１４６９と筒壁部１４６８との間に形成された収容溝内に収容されている。そして、一方のフック部１４７７が、前記回転操作体１４０２の一方の連結部１４３４ａに形成されたばね用ボス１４３８（図２０参照）の雌ねじ部に位置合わせされた状態で金属製のねじで固定されている。さらに、他方のフック部１４７８は、ハンドル基部１４０１の台座部１４２１のねじ穴１４２２（図１９参照）に対し、静電気消散用金具１４０６の一端部を挟んだ状態で（接続孔１４９９ａとともに）金属製のねじで固定されている。これにより、回転操作体１４０２がゼンマイばね１４７５の付勢力によって反時計回り方向に付勢されるとともに、電気的に接地されている静電気消散用金具１４０６と回転操作体１４０２とが電気的に接続され、結果的に、回転操作体１４０２が電気的に接地される（アースされる）こととなる。尚、ゼンマイばね１４７５は、フック部１４７７、１４７８において金属部分が露出しているが、中間部位の表面には絶縁処理が施されていることとしてもよい。
【０２４６】
また、ゼンマイばね１４７５の付勢力により、反時計回り方向に回動応力を受ける回転操作体１４０２は、非操作状態において、一方の連結部１４３４ｂが第２の取付用ボス１４１８に当接するとともに、他方の連結部１４３４ａが第３の取付用ボス１４１９に当接することで、回転操作体１４０２のそれ以上の反時計回り方向への回動が規制される。尚、このときの第２のギヤ体１４４８（回転軸１４４７）の相対回動位置が、回動操作量ゼロの基準状態となり、この状態における可変抵抗器１４４５の抵抗器本体１４４６の抵抗値が、回動操作量ゼロに対応した値となる。
【０２４７】
一方、遊技者がゼンマイばね１４７５の付勢力に抗して回転操作体１４０２を時計回り方向へと回動操作させると、回転操作体１４０２のセンター取付部１４３３に取付けられた第１のギヤ体１４６６も時計回り方向へと回動する。第１のギヤ体１４６６の外歯１４７２には、第２のギヤ体１４４８の外歯１４４９が噛合しているので、第１のギヤ体１４６６の回動に伴い、第２のギヤ体１４４８は反時計方向へと回動する。第２のギヤ体１４４８が回動すると、回転軸１４４７も回動することとなり、可変抵抗器１４４５の抵抗器本体１４４６は、回転軸１４４７の回転角度に応じた抵抗値をとることとなり、その抵抗値に関する信号が出力される。
【０２４８】
尚、回転操作体１４０２と静電気消散用金具１４０６とをゼンマイばね１４７５によって電気的に接続することにより、両者間をケーブル等の配線で電気的に接続する場合に比べ、ハンドル基部１４０１内部の煩雑化を防止したり、ケーブル等の引き回し等の煩雑さを解消したりすることができ、結果的に作業性の向上を図ることができる。
【０２４９】
（ストップスイッチ１４５５）
図２１に示すように、ストップスイッチ１４５５は、舌片状の押圧操作部１４５６と、突出部１４５７とを備え、前記大径部１４１２内（中央ボス１４１５の上側）において隔壁部１４１３に対しねじ固定されている。突出部１４５７は、ストップスイッチ１４５５に内蔵されたばねの付勢力によって常には突出状態に維持されており、これにより、押圧操作部１４５６が突出方向へと押し出された状態となっている。一方、押圧操作部１４５６が押された場合には、突出部１４５７が付勢力に抗して没入することとなる。
【０２５０】
（ストップレバー１４５８）
図２１等に示すように、ストップレバー１４５８は、ハンドル基部１４０１の隔壁部１４１３から前方に突出形成された支軸１４２３に軸支される軸孔１４６４と、第３の取付用ボス１４１９に挿通される長孔１４６５とを有するレバー本体部１４５９と、レバー本体部１４５９からハンドル１８の外周側に延出し、大径部１４１２の第１切欠き部１４１４ａを介して大径部１４１２よりも外側に突出する操作部１４６１と、ストップスイッチ１４５５の押圧操作部１４５６と当接可能な押圧作用部１４６２とを備えている。そして、操作部１４６１がハンドル１８内周側に押圧操作されると、ストップレバー１４５８は支軸１４２３を中心に回動し、押圧作用部１４６２によって押圧操作部１４５６の先端が押圧される。押圧操作部１４５６が押されることで突出部１４５７が没入し、これによりストップスイッチ１４５５によってストップレバー１４５８の押圧操作が検出される。
【０２５１】
また、本実施形態では、操作部１４６１が絶縁リング１４０５とタッチリング１４０４とによって前後に挟まれる格好となるが、第１切欠き部１４１４ａに対応して絶縁リング１４０５及びタッチリング１４０４に形成された前側許容凹部１４９７及び後側許容凹部１４９４によって、第１切欠き部１４１４ａに挿通される操作部１４６１をタッチリング１４０４及び絶縁リング１４０５よりも外周側に突出させることができるようになっている。これにより、タッチリング１４０４及び絶縁リング１４０５によってストップレバー１４５８の操作が阻害されることなく、タッチリング１４０４と絶縁リング１４０５とを前後に当接させることができる。
【０２５２】
さらに、ストップレバー１４５８には、レバー本体部１４５９から前方に突出する引っ掛け部１４６０が設けられている。回転操作体１４０２の非操作状態においては、ゼンマイばね１４７５によって常に反時計回り方向に付勢される回転操作体１４０２の後面側に形成された押圧部１４２７（図２０参照）と当該引っ掛け部１４６０とが圧接するとともに、これに伴って押圧作用部１４６２と押圧操作部１４５６とが圧接し、突出部１４５７が没入させられこととなる。つまり、回転操作体１４０２が基準位置にある場合には、（遊技者がタッチリング１４０４に手を触れても）遊技球が発射されないようになっている。
【０２５３】
次に、上記のように構成されてなるハンドル１８の組み付けの手順について説明する。
【０２５４】
先ず、回転操作体１４０２のセンター取付部１４３３に対し、第１のギヤ体１４６６がねじ固定される。次に、ゼンマイばね１４７５のコイル部１４７６が第１のギヤ体１４６６（収容溝）に設置されるとともに、一方のフック部１４７７がばね用ボス４３７に位置合わせされ、金属製のねじで固定される。
【０２５５】
また、ハンドル基部１４０１に対して、先ず、大径部１４１２の外周側にタッチリング１４０４が嵌め込まれる。タッチリング１４０４の嵌め込みに際しては、端子部１４９２が第２切欠き部１４１４ｂに挿通される。これにより、タッチリング１４０４の位置決めが行われる。さらに、可変抵抗器１４４５、タッチセンサ１４５１、ストップスイッチ１４５５、ストップレバー１４５８、静電気消散用金具１４０６等が所定位置に配置される。
【０２５６】
より具体的には、タッチセンサ１４５１は、金属製のリード部１４５２がタッチリング１４０４の端子部１４９２の前面に当接するようにして設置されることで、リード部１４５２のリード孔１４５３と端子部１４９２の端子孔１４９３とが位置合わせされ、リード部１４５２と端子部１４９２とがねじで固定される。これにより、表面に金属メッキ層を有するタッチリング１４０４とタッチセンサ１４５１とが電気的に接続され、タッチリング１４０４及びタッチセンサ１４５１間における電気的導通が図られることとなる。従って、遊技者がタッチリング１４０４に触れた場合には、その旨がタッチセンサ１４５１により検出され得る。
【０２５７】
また、静電気消散用金具１４０６に関しては、一方の端部の接続孔１４９９ａが台座部１４２１のねじ穴１４２２に位置合わせされるとともに、他方の端部の接続孔１４９９ｂが隔壁部１４１３に形成された図示しない取付孔と位置合わせされ、当該他方の端部が前記補強用板金２８（図３参照）と電気的に接続された配線と電気的に接続された状態で、隔壁部１４１３にねじ固定される。但し、この時点では、静電気消散用金具１４０６の前記一方の端部の接続孔１４９９ａは、台座部１４２１のねじ穴１４２２に位置合わせしておくにとどめる（ねじ止めはしない）。
【０２５８】
さらに、可変抵抗器１４４５が隔壁部１４１３の連通孔１４２６周縁部に後方から取付けられるとともに、隔壁部１４１３の前方に突出した可変抵抗器１４４５の回転軸１４４７に対し、第２のギヤ体１４４８が相互に所定の相対角度関係となるよう組み付けられる。また、ストップスイッチ１４５５が設置されるとともに、支軸１４２３に軸孔１４６４を挿通させるようにして、ストップレバー１４５８が設置される。
【０２５９】
その後、絶縁リング１４０５が大径部１４１２の外周側に嵌め込まれ、位置決め凸部１４９６を第２切欠き部１４１４ｂに挿通状態とされる。さらに、上記ように第１のギヤ体１４６６及びゼンマイばね１４７５が組付けられた回転操作体１４０２が、ハンドル基部１４０１に対し組み付けられる。
【０２６０】
そして、回転操作体１４０２に取着されている第１のギヤ体１４６６の組み付け用ボス４６９が、中央ボス１４１５に内挿される。この内挿は、上述したように、中央ボス１４１５のスリット状の切欠凹部１４１６に対し位置決め用突起１４７３が位置合わせされた上で行われる。また、組み付け用ボス４６９の中央ボス１４１５への内挿とともに、ハンドル基部１４０１の大径部１４１２が、回転操作体１４０２の後面側環状溝１４３０ａへと挿通され、さらには、第２のギヤ体１４４８の外歯１４４９と、第１のギヤ体１４６６の外歯１４７２とが所定の位置関係で噛合し合うこととなる。これにより、ハンドル基部１４０１に対する回転操作体１４０２の組み付けが完了する。組み付けが完了すれば、上記のとおり位置決め用突起１４７３が隔壁部１４１３の後側へと臨むため、組付用ボス１４６９の中央ボス１４１５に対する相対回動、つまり、ハンドル基部１４０１に対する回転操作体１４０２の相対回動が可能となる。
【０２６１】
また、この時点においては、ゼンマイばね１４７５の他方のフック部１４７８が未だ固定されていない。このため、静電気消散用金具１４０６の一端部の接続孔１４９９ａが台座部１４２１のねじ穴１４２２に位置合わせされた状態にあるところ、このねじ穴１４２２に前記他方のフック部１４７８が位置合わせされ、ねじで固定される。このように、ゼンマイばね１４７５が取付けられることにより、回転操作体１４０２が反時計回り方向に付勢されるとともに、回転操作体１４０２がゼンマイばね１４７５及び静電気消散用金具１４０６等を介して電気的に設置されることとなる。従って、静電気を帯電した遊技者が回転操作体１４０２に触れると、かかる静電気が回転操作体１４０２、ゼンマイばね１４７５、及び静電気消散用金具１４０６等を介して、静電気放電を起こすことなく、かつ、比較的速やかにアースへと逃がされることとなる。
【０２６２】
そして、最後に、カバー１４０３のガイドリブ１４４１が前面側環状溝１４３０ｂへと挿通され、ハンドル基部１４０１の第１〜第３の取付用ボス１４１７〜１４１９と、カバー１４０３のカバーボス１４４２〜１４４４とが位置合わせされた上で、それぞれについて大径部１４１２の後側からねじ止めが行われることでハンドル基部１４０１に対し、カバー１４０３が固定される。
【０２６３】
以上詳述したように、本実施形態のハンドル１８は、回転操作体１４０２が静電気拡散性を有する導電性樹脂（本例では表面抵抗率が１０5〜１０9Ω／ｓｑ）で構成されている。つまり、遊技者がハンドル１８を操作するにあたり、遊技者の手がタッチリング１４０４に触れる前に回転操作体１４０２に触れることで、回転操作体１４０２等を介して遊技者に帯電していた静電気が逃がされるため、その後、遊技者がタッチリング１４０４に触れる際に遊技者の手とタッチリング１４０４との間に静電気放電が起きてしまうといった事態を抑止することができる。
また、表面抵抗率が１０5〜１０9Ω／ｓｑの回転操作体１４０２は、表面抵抗率が１０5Ω／ｓｑ未満の材料で構成されたものに比べ、遊技者に帯電している静電気を比較的ゆっくりと逃がすことができ、帯電した遊技者が回転操作体１４０２に触れても静電気放電が生じ難い。結果として、ハンドル１８の操作に際して静電気放電が起きることで、遊技者が不快な思いをしてしまうといった事態を防止することができる。
【０２６４】
さらに、表面抵抗率が１０5〜１０9Ω／ｓｑの回転操作体１４０２は、表面抵抗率が１０11Ω／ｓｑ以上の材料で構成されたものに比べて、遊技者に帯電していた静電気を比較的速やかに逃がすことができる。このため、遊技者が回転操作体１４０２に触れてからタッチリング１４０４に触れるまでの時間が短くても、遊技者に帯電している静電気をより確実に減らすことができる。結果として、遊技者の手とタッチリング１４０４との間に静電気放電が起きてしまうといった事態をより確実に抑止することができる。また、遊技者が回転操作体１４０２に触れてからタッチリング１４０４に触れるまでの時間を稼ぐべく、ハンドル１８の形状をいびつに大きく変更しなくても済むため、構成の複雑化、操作性の低下等を抑制するとともに、タッチリング１４０４に遊技者の手が触れ難くなるといった事態を抑制することができる。
【０２６５】
尚、回転操作体１４０２の表面抵抗率が１０5Ω／ｓｑ未満の場合、静電気放電が発生しやすくなってしまうことが懸念される。また、回転操作体１４０２の表面抵抗率が１０11Ω／ｓｑを超える場合、静電気を逃がす速度が比較的遅くなるため、遊技者が回転操作体１４０２に触れてからタッチリング１４０４に触れるまでの時間が短いと、遊技者に帯電している静電気を十分に減らすことができず、タッチリング１４０４に触れた際に依然として静電気放電を起こしてしまうことが懸念される。
【０２６６】
加えて、遊技者が意図的に徐電を行おうとしなくても、回転操作体１４０２に触れることで、帯電している静電気を逃がすことができる。つまり、ハンドル１８の操作を行うことで自然と徐電されるため、遊技者の手を煩わせることなくスムースに遊技を進行させることができる。
【０２６７】
また、回転操作体１４０２は、静電気消散用金具１４０６等を介して電気的に接地されているため、回転操作体１４０２に静電気が帯電することはなく、遊技者が回転操作体１４０２に触れることで、遊技者に帯電していた静電気を遊技者から確実に逃がすことができる。
【０２６８】
さらに、例えば、タッチセンサ１４５１を、静電気拡散性を有する導電性樹脂で構成した場合、遊技者がハンドル１８に触れたことを好適に検出できなくなってしまう（反応が遅くなったりする等してしまう）ことが懸念される。これに対し、本実施形態では、上記の導電性樹脂で構成された回転操作体１４０２とは別に、表面に金属メッキ層を具備し、タッチセンサ１４５１と電気的に接続されるタッチリング１４０４が設けられているため、遊技者がハンドル１８に触れたことを好適に検出することができる。
【０２６９】
また、本実施形態では、遊技者の操作に応じて遊技球の発射速度を変更可能にするために設けられた回転操作体１４０２が静電気拡散性を有する導電性樹脂で構成され、当該回転操作体１４０２によって放電防止手段が構成されているため、遊技者に帯電している静電気を逃がすための放電防止手段を別途設ける場合に比べ、ハンドル１８の大型化や構造の複雑化、製造作業性の低下等を抑制することができる。
【０２７０】
さらに、本実施形態では、回転操作体１４０２とタッチセンサ１４５１とは電気的に絶縁されている。このため、回転操作体１４０２に流れた静電気がタッチセンサ１４５１を介してタッチセンサ１４５１側に流れてしまい、静電気（放電しない場合も含む）による高電圧によってタッチセンサ１４５１を具備する回路（タッチ検出回路）が破壊（静電破壊）されてしまう等といった事態を防止することができる。また、タッチ検出回路において、電圧が所定以上となる静電気が印加された場合に静電気をアースへ逃がすことのできる徐電手段を設けなくても、タッチ検出回路の静電破壊等を防止することができる。従って、タッチ検出回路の簡素化等を図ることができる。
【０２７１】
また、本実施形態では、タッチリング１４０４が回転操作体１４０２の後方に設けられるとともに、回転操作体１４０２がタッチリング１４０４よりもハンドル１８の外周側に突出している。このため、遊技者が回転操作体１４０２を操作する場合に、タッチリング１４０４へ触れるよりも先に回転操作体１４０２に触れやすくなっているため、遊技者の手が回転操作体１４０２に触れるよりも先にタッチリング１４０４へ触れてしまうことで遊技者の手とタッチリング１４０４との間に静電気放電が起きてしまうといった事態をより確実に抑制することができる。また、タッチリング１４０４よりも先に回転操作体１４０２に触れることを認知させるための構成を設けなくても済み、構成の複雑化、製造作業性の低下、コストアップ、意匠性の低下、パチンコ機１０前面に案内用のスペースを確保する必要が生じる等の各種不具合を回避することができる。
【０２７２】
なお、上述した実施形態の記載内容に限定されず、例えば次のように実施してもよい。
【０２７３】
（ａ）上記実施形態では、回転操作体４０２でタッチ部としてのタッチリング４０４を覆うように構成され、また、上記第１実施形態では、タッチリング４０４がカバー４０３に固定され、さらに、上記第２実施形態では回転操作体４０２とタッチリング４０４とが別々に回動可能に構成されているが、特にこのような構成に限定されるものではなく、例えば、図１７に示すように構成してもよい。
【０２７４】
図１７に示すタッチリング４０４は、その周方向においてメッキ加工が施されたメッキ部９３１（図１７で散点模様を付した部位）と、施されていない非メッキ部９３２とを備え、導電性樹脂で構成された回転操作体４０２の前面側に固定される（絶縁部材を介在させてもよい）。本例では、タッチリング４０４のほぼ上半分が非メッキ部９３２であり、ほぼ下半分がメッキ部９３１となっている。また、タッチリング４０４が回転操作体４０２に固定された状態では、メッキ部９３１と非メッキ部９３２との境界部が、第１指掛け凸部４３２ａの操作面ＳＨと一致する。さらに、タッチリング４０４は、カバー４０３の内側面に沿った形状をなしており、カバー４０３の組付け状態においては、カバー４０３のカバー本体４４０の内側に挿入され、カバー４０３の内側面に略当接する。尚、タッチリング４０４のメッキ部９３１はタッチセンサ４５１と電気的に接続され、回転操作体４０２は電気的に設置されている。また、本例では、メッキ部９３１がタッチ部に相当する。
【０２７５】
また、カバー４０３には、回転操作体４０２が非操作状態にあるときの非メッキ部９３２と対応する位置において、開口部９３５が形成されている。すなわち、回転操作体４０２が非操作状態（基準位置）にある場合、タッチリング４０４のうち開口部９３５から非メッキ部９３２のみが露出した格好となっている。その一方で、回転操作体４０２を回動させると、回転操作体４０２に固定されたタッチリング４０４についても回動し、開口部９３５からメッキ部９３１が露出することとなる。このように開口部９３５からメッキ部９３１が露出すると、カバー４０３のカバー本体４４０の後縁部に摺接させつつ第１指掛け突起４３２ａの操作面ＳＨ等を押圧した遊技者の親指がメッキ部９３１に接触し、タッチセンサ４５１によって遊技者のハンドル１８への接触が検知されることとなる。当該構成を採用する場合においても、基本的に上記実施形態と同様の作用効果が奏される。
【０２７６】
尚、本例では、カバー４０３のカバー本体４４０の前面とタッチリング４０４の外周面との間に段差ができてしまう上、回転操作体４０２を操作する遊技者の指がカバー本体４４０の後縁部に摺接しないと上手く上記作用効果が奏されないが、上記第２実施形態では、タッチリング４０４の接触部８０１、８０２、８０３が回転操作体４０２の指掛け凸部４３２ａ、４３２ｂ、４３２ｃの操作面ＳＨから露出し、さらに、接触部８０１、８０２、８０３を操作面ＳＨと面一とさせる（操作面ＳＨから外側に突出させる）ことも可能である。このため、上記第２実施形態の方が回転操作体４０２を操作する遊技者の手（指）にタッチリング４０４を接触させるといった作用効果が一層確実に奏される。
【０２７７】
また、例えば、カバー４０３に切欠き部を形成し、当該切欠き部に対応して少なくとも前面が金属よりなり、タッチセンサ４５１と電気的に接続されるタッチ部をカバー４０３に固定し、カバー４０３のカバー本体４４０の前面とタッチ部の前面とを面一にするとともに、回転操作体４０２の前面側に対し、回転操作体４０２の非操作状態において前記タッチ部の前面側を覆う被覆部材を、カバー４０３のハンドル基部４０１への取付後に取付けることとしてもよい。当該構成を採用する場合においても、回転操作体４０２の非操作状態においてはタッチ部を接触不能とし、回転操作体４０２を操作することでタッチ部を露出させ、遊技者の手と接触させるよう構成することができる。また、本態様例では、タッチ部とカバー４０３との間に段差が形成されないため、回転操作体４０２の操作に際して、遊技者の手がより自然にタッチ部に触れやすくなる。
【０２７８】
（ｂ）上記１実施形態では本体部７０１が静電気拡散性（表面抵抗率が１０5〜１０9Ω／ｓｑ）を有する導電性樹脂で構成され、第２実施形態では回転操作体４０２が静電気拡散性を有する導電性樹脂で構成されているが、これらの部材は導電性を有していればよく、表面抵抗率が１０5Ω／ｓｑ以下の材料で構成することとしてもよい。この場合にも、遊技者がタッチリング４０４に触れる前に遊技者に帯電している静電気を逃がすことができ、遊技者に帯電していた静電気によってタッチ検出回路が破壊されてしまうといった事態を防止することができる。但し、当該構成を採用する場合には、遊技者が回転操作体４０２に触れた際に静電気放電が起きてしまうおそれがあるため、静電気拡散性を有する材料で構成することが望ましい。
【０２７９】
また、上記第１実施形態において、操作カバー７０２についても静電気拡散性を有する材料により構成してアースすることとしてもよい。この場合、静電気誘導手段としての静電気拡散性材料で構成された部位と遊技者の指との接触面積を増やすことができ、静電気誘導手段と遊技者の手との間に静電気放電が発生することを防止するとともに、静電気誘導手段に触れた遊技者から静電気を速やかに逃がすといった作用効果が一層確実に奏される。但し、当該構成を採用する場合には、操作カバー７０２に流れた静電気がタッチリング４０４に流れ込まないように、操作カバー７０２のうちタッチリング４０４と接触し得る部位（後面側）を絶縁材料で構成する（後面側にはメッキ加工しない）こととする。
【０２８０】
さらに、上記第１及び第２実施形態において、カバー４０３を静電気拡散性を有する材料で構成してアースすることとしてもよい。この場合、遊技者に帯電している静電気をより逃がし易くなる上、カバー４０３に静電気が帯電しなくなり、カバー４０３へのゴミ等の付着を防止することができる。尚、このようにカバー４０３を静電気拡散性を有する材料で構成する場合、回転操作体４０２を絶縁材料で構成することも可能である。この場合にも、遊技者がタッチリング４０４よりも先にカバー４０３に触れることで、上記実施形態と同様の作用効果が奏される。また、当該構成を採用する場合、カバー４０３を外周方向に大きく形成したり、カバー４０３の径が最大となる後端部の前後の幅を大きく形成したりして、遊技者がハンドル１８を操作する際に、回転操作体４０２よりも先にカバー４０３に接触しやすくするように構成することが望ましい。但し、回転操作体４０２は、遊技球を発射させるために必ず触れなければならない部位であるのに対し、カバー４０３は触れなくても済む部位であるため、遊技者に帯電している静電気をタッチリング４０４に触れる前に確実に除去するといった観点からすると、上記実施形態のように回転操作体４０２を導電性樹脂で構成してアースすることが望ましい。
【０２８１】
加えて、上記実施形態では、回転操作体４０２に絶縁処理を施しているが、タッチリング４０４の回転操作体４０２との接触部位、及び、回転操作体４０２のタッチリング４０４との接触部位のうち少なくとも一方を絶縁体で構成すれば、同様の作用効果が奏される。例えば、タッチリング４０４のうち回転操作体４０２に接触し得る部位へのメッキ加工を回避し、それ以外の部位の部位をメッキ加工することで、タッチリング４０４とタッチセンサ４５１と電気的導通を図るよう構成したりすることとしてもよい。
【０２８２】
（ｃ）上記実施形態では、第１のギヤ体４６６が固定された回転操作体４０２と可変抵抗器４４５とが第２のギヤ体４４８を介して連動するよう構成され、回転操作体４０２の回転中心と可変抵抗器４４５の回転軸４４７とがずれているが、例えば、回転操作体４０２と可変抵抗器４４５とを直接接続する等して、両者の回転軸を一致させることとしてもよい。但し、可変抵抗器４４５の回転軸４４７が回転操作体４０２に直接接続されていると、回転操作体４０２が前後に傾けられた場合に（例えば、ハンドル基部４０１又はカバー４０３と回転操作体４０２との間に無理やり異物が挿入された場合に）可変抵抗器４４５が壊れ易くなってしまうおそれがある。このため、第２のギヤ体４４８を介在させることが望ましい。
【０２８３】
また、上記実施形態では、ハンドル１８内にタッチセンサ４５１が設けられているが、ハンドル１８の外部に設けることも可能である。さらに、ゼンマイばね４７５の各端部の接続固定の手法は特に限定されるものではなく、例えば、両端部に関して係止固定でもよいし、場合によっては溶接固定、はんだ固定でもよい。加えて、上記実施形態では、発射装置６０としてソレノイド式発射装置を採用しているが、いわゆるモータ式の発射装置を採用してもよい。
【０２８４】
（ｄ）上記第１実施形態では、タッチリング４０４の各接触部７２１、７２２、７２３に対応させて、本体部７０１のリング部４３１の前壁部４３１ｃの幅を部分的に変更しているが、少なくとも操作カバー７０２の正面壁部７５２の幅が変更されていれば、回転操作体４０２の非操作状態において各接触部７２１、７２２、７２３を覆い、接触困難とするといった作用効果が奏される。尚、上記第１実施形態のように、本体部７０１のリング部４３１の前壁部４３１ｃの幅についても変更することで、本体部７０１と操作カバー７０２との間に形成される隙間を極力少なくすることができ、かかる隙間からの異物の侵入を抑制したり、本体部７０１と操作カバー７０２との当接面積が増えることに起因して組付け状態の安定化を図ったりすることができる。
【０２８５】
（ｅ）上記第１実施形態では、第１接触部７２１と第２接触部７２２とが一部前後に重なり、第２接触部７２２と第３接触部７２３とが一部前後に重なっているが、（第１及び第２接触部７２１、７２２のうち突出長が短い方である）第１接触部７２１のうち第２接触部７２２と前後に重なった部位、及び、（第２及び第３接触部７２２、７２３のうち突出長が短い方である）第２接触部７２２のうち第３接触部７２３と前後に重なった部位を省略してもよい。すなわち、接触部７２１、７２２、７２３が互いに前後に重なった部位が露出した場合、遊技者の指は外周側に突出している方に接触することとなるため、突出長の短い方は不要である。尚、第２、第３接触部７２２、７２３の反時計回り方向側の端縁がリング本体４９１の外周側に向けて時計回り方向側に傾斜していることにより、第１接触部７２１（の外周縁）に摺接している指をスムースに第２接触部７２２（の外周縁）に案内することができ、第２接触部７２２に摺接している指をスムースに第３接触部７２３に案内することができる。
【０２８６】
（ｆ）上記実施形態では、第１〜第３指掛け凸部４３２ａ、４３２ｂ、４３２ｃが設けられているが、特に指掛け凸部の数は限定されるものではなく、例えば、第２指掛け凸部４３２ｂを省略することとしてもよい。この場合、第１実施形態において、第２接触部７２２が省略され、第１及び第３接触部７２１、７２３が前後に重ならなくなるため、第１及び第３接触部７２１、７２３の形成位置を前後にずらしたり、リング本体４９１からの突出長を変えたりする必要がなくなる。さらに、回転操作体４０２に関しては、第１指掛け凸部４３２ａ、第３指掛け凸部４３２ｃの操作面ＳＨとの連接部において切欠き部（回転操作体４０２を回動させたときに第１及び第３接触部７２１、７２３を露出させることができるように、リング部４３１の前壁部４３１ｅ及び被覆リング７５１の正面壁部７５２を回転操作体４０２内周側に一段下げるようにして凹部を形成するとともにその部位の囲い壁部７５３を省略することで、上記第１実施形態と同様の作用効果が奏される。従って、構成の簡素化を図ることができる。
【０２８７】
尚、回転操作体４０２を基準位置から所定量変位させた状態で保持する場合、手の姿勢を楽にするべく、親指を第１指掛け凸部４３２ａから離し、その他の指を第２指掛け凸部４３２ｂや第３指掛け凸部４３２ｃに掛けて回転操作体４０２を保持することが考えられる。また、親指以外の指を掛ける指掛け凸部４３２が１つであると、遊技者によっては、指掛け凸部４３２の位置が合わなかったり、回転操作体４０２に力を掛け難かったりして、親指を離すと回転操作体４０２を保持しにくいと感じるおそれがある。これに対し、本実施形態のように第１指掛け凸部４３２ａの他、少なくとも２つの指掛け凸部４３２ｂ、４３２ｃが設けられることにより、かかる不具合を抑制することができる。
【０２８８】
（ｇ）上記第２実施形態では、タッチリング４０４に第１のギヤ体４６６が取付けられ、タッチリング４０４の回動量を可変抵抗器４４５が検出するよう構成されているが、上記第１実施形態と同様に、可変抵抗器４４５が回転操作体４０２の回動量を検出するよう構成することとしてもよい。例えば、第２実施形態のタッチリング４０４の取付盤８０５の中央部に開口部を設け、かかる開口部を介して第１のギヤ体４６６を回転操作体４０２に取付けるとともに、一端部がタッチリング４０４に固定されたゼンマイばね４７５の他端部を回転操作体４０２に固定して、タッチリング４０４が正面視で反時計回り方向側に付勢されるよう構成してもよい。
【０２８９】
（ｈ）上記実施形態では、回転操作体４０２を基準位置から時計回り方向に所定角度回動させることでタッチリング４０４を露出させて接触が図れるように構成されているが、特にこのような構成に限定されるものではなく、ハンドル１８を操作する遊技者の手がタッチセンサ４５１に電気的に接続されている金属製のタッチ部に触れるよりも先に、電気的に接地されている導電性樹脂製の静電気誘導手段に接触するよう構成されていればよい。例えば、回転操作体４０２に金属メッキ層を形成してタッチセンサ４５１に電気的に接続し、回転操作体４０２のリング部４３１にその周方向に沿ってスリットを形成するとともに、回転操作体４０２の内周側において、回転操作体４０２の外周方向に出没可能に構成され、付勢手段により回転操作体４０２の外周側に付勢される導電性樹脂製の静電気誘導手段を設け、静電気誘導手段を電気的に接地させるとともに、静電気誘導手段の一部を回転操作体４０２のスリットに挿通させて付勢手段の付勢力に基づき回転操作体４０２の外周側に突出させることとしてもよい。この場合、回転操作体４０２を回動操作させるにあたり、遊技者の手は先ず静電気誘導手段に接触し、さらに付勢手段の付勢力に抗して静電気誘導手段を没入させることで回転操作体４０２に接触する。従って、上記実施形態と同様の作用効果が奏される。
【０２９０】
また、上記実施形態では、遊技者に帯電している静電気をアースへと逃がすための静電気誘導手段がハンドル１８に設けられているが、特にこのような構成に限定されるものではなく、遊技者がタッチリング４０４に触れる前に触れる位置に静電気誘導手段が設けられていればよい。例えば、前方に開口するボックスの内側にハンドル１８を収容するとともに、ボックスの入口に対して暖簾状に導電性を有する静電気誘導手段を設け、遊技者がハンドル１８を操作するべくボックスに手を挿入させる際に手が静電気誘導手段に触れることで、遊技者に帯電していた静電気が静電気誘導手段等を介してアースに逃がされるよう構成してもよい。
【０２９１】
（ｉ）上記実施形態では、静電気誘導手段として導電性樹脂を採用しているが、その他の静電気拡散性を有する材料（静電気拡散性材料）を採用してもよい。例えば、その他の導電性高分子（導電性ゴム、導電性繊維等）、導電性ガラス等が挙げられる。
【０２９２】
また、上記実施形態において、回転操作体４０２を電気的に接地させたり、タッチリング４０４をタッチセンサ４５１と電気的に接続したりするのにケーブルを用いてもよい。但し、この場合には、ハンドル基部４０１内部の煩雑化や、ケーブル等の引き回し等による作業性の低下等を招くおそれがあるため、上記実施形態のように、ゼンマイばね４７５や静電気消散用金具４０６等を用いて接続を行うことが望ましい。
【０２９３】
（ｊ）上記第２実施形態では、回転操作体４０２のリング部４３１にも指掛け凸部４３２ａ、４３２ｂ、４３２ｃとの連接部においてスリット８３１が指掛け凸部４３２ａ、４３２ｂ、４３２ｃの操作面ＳＨに形成されたスリット８３１と連続的に形成されているが、特にこのような構成に限定されるものではない。例えば、各接触部８０１、８０２、８０３の付根部に対して、回転操作体４０２を回動操作した場合に、リング部４３１の端縁が挿入される切り込み部を形成したり、各接触部８０１、８０２、８０３の先端部側に対して反時計回り方向側に凸となる凸部を形成したりする場合、リング部４３１にスリット８３１を形成しなくても、指掛け凸部４３２ａ、４３２ｂ、４３２ｃの操作面ＳＨに形成されたスリット８３１を介して、各接触部８０１、８０２、８０３をリング部４３１の外周面側に突出させることができる。
【０２９４】
（ｋ）上記第１実施形態では、タッチリング４０４がカバー４０３のガイドリブ４４１の外周側に固定されているが、ガイドリブ４４１の内周側にタッチリング４０４を固定してもよい。また、上記第１実施形態において、接触部７２１、７２２、７２３の外周縁を凹凸形状（波形状）としてもよい。この場合、回転操作体４０２を基準位置から所定角度回動させた状態において、接触部７２１、７２２、７２３に指が掛かりやすく、比較的容易に回転操作体４０２を一定の位置で保持しておく（遊技球の発射強さを一定にしておく）ことができる。尚、上記第１実施形態においては、接触部７２１、７２２、７２３を極力回転操作体４０２の前面側に相対位置させることが望ましい。この場合、遊技者の指が露出状態とされた接触部７２１、７２２、７２３により触れやすくなる。但し、上記第１実施形態では、接触部７２１、７２２、７２３の形成位置を前後にずらす必要があるため、当該構成下においては、接触部７２１、７２２、７２３のうち１つ（第１実施形態では第１接触部７２１）をリング本体４９１の外周面の前縁部から延出させることが望ましい。
【０２９５】
（ｌ）上記第１実施形態では、接触部７２１、７２２、７２３の反時計回り方向側の端縁が指掛け凸部４３２ａ、４３２ｂ、４３２ｃの操作面ＳＨと面一になってから、回転操作体４０２が時計回り方向に最大限回動された状態となるまで間、回転操作体４０２がいずれの回動位置にあっても遊技球を発射させることができるよう構成されているが、特にこのような構成に限定されるものではない。すなわち、第１実施形態のタッチリング４０４が固定的に設けられている構成を採用すれば、回転操作体４０２の回動範囲のうち、回転操作体４０２が所定位置にある場合に、遊技者のハンドル１８への接触が検知されないようにして、遊技領域のうち所定の領域へ遊技球を飛ばすことができないように構成することもできる。
【０２９６】
例えば、従来、ハンドル１８を操作すると、内レール構成部５１と外レール構成部５２とからなるレール５０から遊技領域に遊技球が飛び出さない程度の強さで遊技球を発射することも可能であるが、これは、遊技球がレール５０を逆流して遊技球の発射を阻害したり、遊技球が遊技領域に達しないことで無駄な時間を使ってしまったりするだけなので、接触部７２１、７２２、７２３のリング本体４９１の周方向における長さを調節して、遊技球がレール５０から遊技領域に飛び出す程度（戻り球防止部材５３を越える程度）の発射強さとなる回転操作体４０２の回動量のときに遊技者の指がはじめて接触部７２１、７２２、７２３に接触し得るように構成することとしてもよい。
【０２９７】
また、例えば、各接触部７２１、７２２、７２３のうち、リング本体４９１の周方向における中間位置を絶縁材料で構成する（メッキ加工を止める）ことも可能である。すなわち、遊技領域において、遊技球を打出しても入賞装置への入賞が見込めない等の領域が存在する場合、回転操作体４０２の回動量がその領域に遊技球が打出される程度となっている場合に遊技球が発射されないように構成することもできる。
【０２９８】
さらに、例えば、遊技領域の正面視で右側の部位に特定の入賞装置を設け、通常時は、回転操作体４０２を最大限回動させても、タッチリング４０４に触れることができず、前記特定の入賞装置に遊技球を入球させることができないが、所定条件が成立することで、回転操作体４０２を最大限回動させた場合に、タッチリング４０４に触れることができる状態となり、前記特定の入賞装置に遊技球を入球させることができるように構成することとしてもよい。この態様例としては、前記所定条件が成立した場合にタッチリング４０４の接触部７２１、７２２、７２３が接触可能な位置に移動する、前記所定条件が成立した場合に接触部７２１、７２２、７２３を覆っていた部材が移動する、各接触部７２１、７２２、７２３の時計回り方向側の部位を反時計回り方向側の部位と絶縁しておき、時計回り方向側の部位に関しては、各接触部７２１、７２２、７２３への遊技者の接触を、前記所定条件が成立した場合にのみ検出する等が挙げられる。
【０２９９】
（ｍ）上記実施形態では、上入賞口３３ａに遊技球が入球した場合と、下入賞口３３ｂに入球した場合とで、大当たり状態の種別の振り分けが異なるよう構成されているが、同じにしてもよい。また、大当たり状態の種別の内容は特に限定されるものではなく、例えば、２ラウンドの大当たりの後、低確率状態が付与されるような種別を設定してもよい。
【０３００】
さらに、上記実施形態では、始動入球手段が２つ（上入賞口３３ａ及び下入賞口３３ｂ）設けられているが１つでもよいし、３つ以上設けてもよい。また、上入賞口３３ａに遊技球が入球した場合に払出される遊技球の数と、下入賞口３３ｂに入球した場合に払出される遊技球の数とが異なることとしてもよい。加えて、上記実施形態では、始動入球手段（上入賞口３３ａ及び下入賞口３３ｂ）が上下に並んで配置され、かつ、通常モードにおいては、下入賞口３３ｂへの入球がほとんど望めない構成となっているが、特にこのような構成に限定されるものではない。例えば、２つの始動入球手段を左右に配置してもよいし、開閉部材３３ｃを省略してもよい。
【０３０１】
加えて、上記実施形態では、上入賞口３３ａへの入球に基づく第１変動表示よりも、下入賞口３３ｂへの入球に基づく第２変動表示の方が優先して消化されるように構成されているが、特にこのような構成に限定されるものではなく、上入賞口３３ａ及び下入賞口３３ｂに入球があった順番通りに対応する変動表示が実行される構成としてもよい。
【０３０２】
（ｎ）上記実施形態とは異なるタイプのパチンコ機として実施してもよい。また、パチンコ機以外にも、アレンジボール機、それに類する雀球等の各種遊技機、回胴式遊技機としてのスロットマシンや、スロットマシンとパチンコ機とを融合した形式の遊技機などとして実施してもよい。加えて、上記実施形態では、遊技媒体として遊技球を採用しているが、メダルを発射するタイプの遊技機に適用することもできる。
【０３０３】
［付記］
上記実施形態から把握できる技術的思想について、以下に記載する。
【０３０４】
従来、遊技機の一種として、例えばパチンコ機等が知られている。パチンコ機は、遊技球を用いて遊技が行われ、当該遊技球が移動可能な遊技領域を備えるとともに、発射装置にて発射された遊技球がかかる遊技領域に案内される構成となっている。また、パチンコ機の前面側にはハンドルが設けられている。ハンドルは、回動操作可能な回転操作体と、回転操作体の回動量を検出可能な可変抵抗器とを備えている。また、近年のハンドルには、ハンドルを操作する遊技者の手が触れる位置に金属製のタッチ部が設けられ、遊技者がハンドルに触れていることが電気的に検出されている場合に、遊技球の発射が許容されるようになっている（例えば、特開２００６−２７１４８０号公報参照）。
【０３０５】
ところで、遊技者に静電気が帯電していると、かかる静電気によって、遊技者の手がハンドルに触れていることを電気的に検出するタッチ検出回路に悪影響を及ぼす（静電破壊等）おそれがある。
【０３０６】
本発明は、上記例示した問題点等を解決するためになされたものであり、その目的は、静電気に起因する不具合を抑制することのできる遊技機を提供することにある。
【０３０７】
手段１．遊技者が操作可能な位置に設けられる操作手段と、
前記操作手段の操作に基づいて遊技球を発射させる発射手段とを備えるとともに、
遊技球を発射させるために必要な動作を遊技者が行う際に遊技球が発射される状態となる前の段階で遊技者が触れる位置において、導電性を有し、電気的に接地されている静電気誘導手段を備えていることを特徴とする遊技機。
【０３０８】
近年の操作手段には、操作手段の操作に際して遊技者の手が触れる位置に導電性を有する（金属製の）タッチ部等が設けられ、遊技者の手が操作手段に触れていることが電気的に検出されている場合に、遊技球の発射が許容されるようになっている。ところで、遊技者に静電気が帯電していると、かかる静電気によって、遊技者の手が操作手段に触れていることを検出するタッチ検出回路に悪影響を及ぼす（静電破壊される）おそれがある。
【０３０９】
これに対し、本手段１によれば、遊技球を発射させるために必要な動作を遊技者が行う際に、遊技球が発射される状態となる前の段階で遊技者が触れる位置において、導電性を有する静電気誘導手段が設けられ、遊技者が静電気誘導手段に触れることで、遊技者に帯電していた静電気が逃がされるよう構成されている。つまり、遊技者が操作手段を操作するにあたり、遊技者の手がタッチ検出回路を構成する導電性部品（金属部品）に触れる前に静電気誘導手段に触れることで、タッチ部に静電気が流れ込むといった事態を抑止することができる。従って、静電気に起因するタッチ検出回路等への悪影響を抑止することができる。尚、静電気誘導手段は、操作手段を操作するために動作する遊技者の手の軌道上に設けられていればよく、操作手段に設けられてもよいし、操作手段とは別に設けられてもよい。
【０３１０】
手段２．遊技者が操作可能な位置に固定される基部と、前記基部に対して相対変位可能に組み付けられる操作部と、遊技者が前記操作部を操作する場合に遊技者の手が接触する位置に設けられたタッチ部と、前記操作部の変位量を検出可能な変位量検出手段とを具備する操作手段と、
前記タッチ部と電気的に接続され、遊技者が前記タッチ部へ接触したことを検出可能なタッチ検出手段と、
前記タッチ検出手段により前記タッチ部への接触が検出されている場合に、前記変位量検出手段により検出された前記操作部の変位量に応じた強さで遊技球を発射させる発射手段とを備えた遊技機であって、
前記操作手段は、少なくとも遊技者が前記操作部の操作を開始するにあたって前記タッチ部よりも先に遊技者の手が触れる位置において、導電性を有する材料よりなる静電気誘導手段を備え、
前記静電気誘導手段は、電気的に接地されているとともに、前記タッチ部とは電気的に絶縁されていることを特徴とする遊技機。
【０３１１】
手段２によれば、操作手段は、遊技者が操作部を操作する場合に、タッチ部よりも先に遊技者の手が触れる位置において、導電性を有する材料よりなる静電気誘導手段を備えている。従って、遊技者が操作手段を操作するにあたり、遊技者の手がタッチ部に触れる前に静電気誘導手段に触れることで、静電気誘導手段等を介して遊技者に帯電していた静電気が逃がされるため、その後、遊技者がタッチ部に触れた際に、タッチ検出手段を具備するタッチ検出回路に対して静電気に基づく高電圧が印加されてしまうといった事態を抑止することができる。結果として、静電気に起因するタッチ検出回路等への悪影響（静電破壊等）を抑止することができる。
【０３１２】
また、静電気誘導手段はタッチ部とは電気的に絶縁されているため、静電気誘導手段に流れた静電気がタッチ部を介してタッチ検出手段側に流れてしまうといった事態を防止することができる。従って、静電気（放電しない場合も含む）による高電圧によってタッチ検出回路が静電破壊されてしまうといった事態をより確実に防止することができる。また、タッチ検出回路において、電圧が所定以上となる静電気が印加された場合に静電気をアースへ逃がすことのできる徐電手段を設けなくても、タッチ検出回路の静電破壊等を防止することができる。従って、タッチ検出回路の簡素化等を図ることができる。
【０３１３】
さらに、遊技者が意図的に静電気誘導手段に触れようとしなくても、遊技者が操作部を操作する場合に、タッチ部へ触れる前に静電気誘導手段に触れやすくなっている。このため、遊技者の手が静電気誘導手段に触れるよりも先に（徐電されることなく）タッチ部へ触れてしまうことで、上記作用効果が奏されなくなってしまうといった事態を抑制しつつ、遊技者の手を煩わせることなくスムースに遊技を進行させることができる。また、静電気誘導手段に先に触れることを認知させるための構成（案内板など）を設けなくても済み、構成の複雑化、製造作業性の低下、コストアップ、意匠性の低下、遊技機前面側に案内用の部材の設置スペースを確保する必要が生じる等の各種不具合を回避することができる。加えて、静電気誘導手段は電気的に接地されているため、静電気誘導手段に静電気が帯電することはなく、遊技者が静電気誘導手段に触れることで、遊技者に帯電していた静電気を遊技者から確実に逃がすことができる。
【０３１４】
尚、「遊技者が前記操作部の操作を開始するにあたって前記タッチ部よりも先に遊技者の手が触れる位置」とあるのは、操作部が非操作状態にある場合において遊技者が絶対にタッチ部よりも先に静電気誘導手段に触れるといった構成だけではなく、遊技者が普通に操作部を操作する場合に静電気誘導手段よりも先にタッチ部に触れることはないが、遊技者が意図的に先にタッチ部に触れようとした場合には、触れることも可能であるような構成も含む趣旨である。
【０３１５】
手段３．前記タッチ部は、前記操作部が非操作状態にある場合に、遊技者が接触不可能または困難な位置に設けられ、
前記静電気誘導手段は、前記操作部が非操作状態にある場合でも、遊技者が接触可能な位置に設けられ、
遊技者が前記操作部を操作することで、前記タッチ部が遊技者の手と接触可能となるように露出することを特徴とする手段２に記載の遊技機
手段３によれば、遊技者が操作部を操作する場合に、静電気誘導手段に触れた後でないとタッチ部に触れることができないようになっている。従って、遊技者が静電気誘導手段に触れる前にタッチ部に触れてしまうといった事態をより確実に回避することができる。また、操作部を操作することでタッチ部への接触が図れる状態となることから、操作手段の操作に際してタッチ部を露出させるべく遊技者に余分な動作を強要するといった必要もなく、操作性の低下等を回避することができる。
【０３１６】
尚、「基準位置にある前記回転操作体を特定方向に変位させることで前記発射手段による遊技球の発射速度（強さ）が上昇する構成であって、前記静電気誘導手段は、前記回転操作体が基準位置から前記特定方向に所定量変位した位置に達するまでは接触不能に構成され、前記回転操作体が前記所定量変位した位置から前記特定方向に最大限変位するまでの間ずっと遊技者の手と接触可能な露出状態となっていること」としてもよい。この場合、操作手段を最大限変位させた状態でも遊技球を発射することができる。
【０３１７】
尚、「接触不能又は接触困難」とあるのは、操作部が非操作状態にある場合において遊技者が絶対にタッチ部に触れることができないといった構成だけではなく、遊技者が普通に操作部を操作する場合にタッチ部に触れることはないが、遊技者が意図的にタッチ部に触れようとした場合には、触れることも可能であるような構成も含む趣旨である。
【０３１８】
手段４．前記タッチ部は、前記操作部の非操作状態において、前記操作部により覆われていることを特徴とする手段３に記載の遊技機。
【０３１９】
手段４によれば、操作部の非操作状態においてタッチ部を覆う部材を別途設ける場合に比べ、構成の簡素化を図ることができる上、操作部の操作に基づいてタッチ部を露出させる機構を別途設けることなく、操作部を操作することでタッチ部を露出させるよう構成することができる。
【０３２０】
手段５．前記操作部は、前記基部に対して回動可能に設けられる略環状のリング部と、前記リング部から外周側に突出する指掛け凸部とを備え、
前記タッチ部は、略環状のリング本体と、前記リング本体から外周側に突出する接触部とを備え、
前記指掛け凸部の側面には、前記操作部を回動変位させた場合に、前記接触部を前記指掛け凸部の側面から前記リング部の外周面側に突出させることのできるスリットが形成されていることを特徴とする手段４に記載の遊技機。
【０３２１】
手段５によれば、操作部に指掛け凸部が設けられ、操作部を回動操作することで、タッチ部の接触部を、指掛け凸部の側面に形成されたスリットを介してリング部の外周面側に突出させることができる。すなわち、指掛け凸部が設けられることで、操作部の操作性が向上するとともに、遊技者が操作部を握るときの指の位置が定まることとなる。さらに、タッチ部の接触部が指掛け凸部から露出してくるため、指掛け部に指を掛けて操作部を操作すれば遊技者の指が自然とタッチ部の接触部に触れることとなる。その上、接触部をリング部の外周面側に突出させることも可能に構成されているため、接触部が遊技者の指により触れやすいようになっている。従って、操作部を操作することで遊技者の指をタッチ部に確実に触れさせることができ、操作部を操作したのにもかかわらず遊技者の指がタッチ部に触れないことに起因して遊技球が発射されないといった事態を回避することができる。
【０３２２】
手段６．前記タッチ部は、遊技者の手と接触可能に露出された状態において、前記操作部と同方向に変位可能に構成されていることを特徴とする手段３乃至５のいずれかに記載の遊技機。
【０３２３】
上記手段３のように、操作部を操作することでタッチ部が露出して、自然とタッチ部への接触が図れるようにする場合、操作部を操作する遊技者の手や指の軌道上にタッチ部を設ける必要があるが、タッチ部が変位不可能に固定されていると、タッチ部によって遊技者の操作部への操作が阻害されないように、遊技者の手や指の軌道の大部分を空けるようにしてタッチ部を設けることになる。ところが、この場合、遊技者の操作部の握り方によって、遊技者が操作部を操作しても遊技者の手がタッチ部に接触しなくなってしまうことが懸念される。
【０３２４】
これに対し、本手段６によれば、タッチ部が操作部と同方向に変位可能に構成されているため、操作部を操作する遊技者の手や指の軌道上にタッチ部を設けても、タッチ部により操作部を操作する遊技者の手の動きが阻害されてしまうといった事態を回避することができる。従って、操作部を操作する遊技者の指が確実にタッチ部に接触するよう構成することができ、操作部を操作した遊技者の手がタッチ部に触れないことに起因して遊技球が発射されないといった事態を防止することができる。
【０３２５】
特に、上記手段５の構成を採用することにより、操作部の指掛け凸部の操作面と、指掛け凸部に形成されたスリットを介して露出するタッチ部の接触部とを面一としたり、接触部を指掛け凸部の外側に突出させたりすることができるため、操作部を操作する遊技者の手（指）にタッチ部を接触させるといった作用効果が一層確実に奏される。
【０３２６】
また、タッチ部が変位不可能に設けられている場合、タッチ部によって操作部の変位が阻害されないようにするための構成や、操作部が非操作状態にあるときにタッチ部を覆うための構成が複雑化するおそれがあるが、本手段の構成を採用することで、かかる不具合を回避することができる。
【０３２７】
加えて、上記手段４に記載のようにタッチ部を操作部で覆った場合、例えば、タッチ部が基部に対して変位不可能に設けられている場合には、タッチ部を露出させるべく、操作部に対して比較的広範囲にスリットを形成する必要があるが、本手段のようにタッチ部を操作部とともに変位可能に構成することで、かかるスリットの形成範囲を極力小さくすることができる。従って、スリットを介して操作手段の内部に異物が侵入してしまうといった事態を抑制したり、遊技者が操作部を操作するときの遊技者の指と操作部との接触面積が増え、操作性を向上させることができたり、スリットを形成することでの操作部の強度の低下を抑制したりすることができる。
【０３２８】
尚、「前記タッチ部は、遊技者が前記操作部を操作して前記操作部が所定量変位した後、前記操作部を操作する遊技者の指が接触する位置に設けられるとともに、遊技者が前記操作部を操作することに伴って前記タッチ部についても変位すること」としてもよい。
【０３２９】
手段７．前記タッチ部は、前記操作部の非操作状態において前記操作部により覆われ、前記操作部を操作することで、前記タッチ部が遊技者の手と接触可能に露出し、当該タッチ部の露出状態において前記操作部を操作することで、前記タッチ部が前記操作部と同方向に変位可能に構成されていることを特徴とする手段３に記載の遊技機。
【０３３０】
手段７によれば、基本的に上記手段４及び手段６の作用効果が奏される。
【０３３１】
手段８．前記静電気誘導手段は、遊技者が前記操作部を操作する場合に遊技者の手が接触する位置において、前記タッチ部よりも緩やかに電気を逃がす（通す）ことのできる静電気拡散性を有する材料で構成されていることを特徴とする手段２乃至７のいずれかに記載の遊技機。
【０３３２】
手段８によれば、静電気誘導手段は、静電気導電性（一般に表面抵抗率が１０5Ω／ｓｑ以下）を有する材料（以下、静電気導電性材料と称する）と、静電気防止性（一般に表面抵抗率が１０11〜１０14Ω／ｓｑ）を有する材料（以下、静電気防止性材料と称する）との間の表面抵抗率を有する静電気拡散性（一般に表面抵抗率が１０5〜１０11Ω／ｓｑ）を有する材料（以下、静電気拡散性材料と称する）で構成されている。
【０３３３】
つまり、静電気拡散性材料で構成された静電気誘導手段は、表面抵抗率が１０5Ω／ｓｑ未満の材料（例えば、静電気導電性材料）で構成されたものに比べ、遊技者に帯電している静電気を比較的ゆっくりと逃がすことができ、帯電した遊技者が静電気誘導手段に触れても静電気放電が生じ難い。結果として、操作手段の操作に際して静電気放電が起きることで、遊技者が不快な思いをしてしまうといった事態を防止することができる。
【０３３４】
また、遊技者が操作手段を操作するにあたり、遊技者の手がタッチ部に触れる前に静電気誘導手段に触れることで、静電気誘導手段等を介して遊技者に帯電していた静電気が逃がされるため、その後、遊技者がタッチ部に触れる際に遊技者の手とタッチ部との間に静電気放電が起きてしまうといった事態を抑止することができる。
【０３３５】
さらに、静電気拡散性材料で構成された静電気誘導手段は、表面抵抗率が１０11Ω／ｓｑを超える材料（例えば、静電気防止性材料）で構成されたものに比べて、遊技者に帯電していた静電気を比較的速やかに逃がすことができる。このため、遊技者が静電気誘導手段に触れてからタッチ部に触れるまでの時間が短くても、遊技者に帯電している静電気をより確実に減らすことができる。結果として、遊技者の手とタッチ部との間に静電気放電が起きてしまうといった事態をより確実に抑止することができる。また、遊技者が静電気誘導手段に触れてからタッチ部に触れるまでの時間を稼ぐべく、操作手段の形状をいびつに大きく変更しなくても済むため、構成の複雑化、操作性の低下等を抑制するとともに、タッチ部に遊技者の手が触れ難くなるといった事態を抑制することができる。
【０３３６】
尚、静電気誘導手段の表面抵抗率が１０5Ω／ｓｑ未満の場合、静電気放電が発生しやすくなってしまうことが懸念される。また、静電気誘導手段の表面抵抗率が１０11Ω／ｓｑを超える場合、静電気を逃がす速度が比較的遅くなるため、遊技者が静電気誘導手段に触れてからタッチ部に触れるまでの時間が短いと、遊技者に帯電している静電気を十分に減らすことができず、タッチ部に触れた際に依然として静電気放電を起こしてしまうことが懸念される。また、静電気誘導手段の表面抵抗率は１０5〜１０9Ω／ｓｑであることとしてもよい。この場合、表面抵抗率が１０9Ω／ｓｑを超える場合に比べ、遊技者に帯電している静電気を比較的速やかに逃がすといった作用効果がより確実に奏される。
【０３３７】
加えて、例えば、タッチ部を静電気拡散性材料で構成した場合、遊技者が操作手段に触れたことを好適に検出できなくなってしまう（反応が遅くなったりする等してしまう）ことが懸念される。これに対し、本手段では、静電気拡散性材料で構成された静電気誘導手段とは別にタッチ部が設けられているため、タッチ部を静電気導電性材料で構成することができ、遊技者が操作手段に触れたことを好適に検出することができる。
【０３３８】
尚、静電気拡散性材料としては、導電性高分子（導電性樹脂、導電性ゴム、導電性繊維等）、導電性ガラス等が挙げられる。また、所定の部材の表面に静電気拡散性材料よりなる薄い層（塗膜も含む）を形成することで静電気誘導手段を構成してもよいが、かかる層が損傷すると各種不具合を招くおそれがあり、また、操作手段は遊技者に操作されるなどして比較的損傷・劣化する可能性が高い部位であるため、静電気誘導手段は極力厚肉（全部を静電気拡散性材料で構成する場合を含む）であることが望ましい。尚、タッチ部は、遊技者が前記操作部を操作する場合に遊技者の手が接触する位置に設けられた部材を、導電性を有する金属で形成することで構成されてもよいし、絶縁材料の表面に金属製のメッキ層を形成することで構成されてもよいし、樹脂材料に導電性材料（ステンレスファイバー等）を含有させることで導電性を上げた（電気抵抗率を下げた）材料により構成されてもよい。また、タッチ部を静電気拡散性材料で構成してしまうと、遊技者がタッチ部を触れたことを好適に検出できなくなってしまうおそれがあるので、タッチ部は静電気導電性材料（金属等）で構成されることが望ましく、タッチ部とは別に静電気誘導手段を静電気拡散性材料で構成することが望ましい。
【０３３９】
手段９．前記操作部が前記静電気誘導手段を備えていることを特徴とする手段２乃至８のいずれかに記載の遊技機。
【０３４０】
手段９によれば、操作部が静電気誘導手段を具備しているため、静電気誘導手段を単独で構成する場合に比べ、操作手段の大型化や構造の複雑化、製造作業性の低下等を抑制することができる。
【０３４１】
以下に、上記各手段が適用される各種遊技機の基本構成を示す。
【０３４２】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０３４３】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０３４４】
Ｃ．上記各手段における前記遊技機、又は、上記各弾球遊技機は、パチンコ機又はパチンコ機に準ずる遊技機であること。
【符号の説明】
【０３４５】
１０…パチンコ機、１２…内枠、１４…前面枠セット、１８…ハンドル、２８…補強用板金、３０…遊技盤、６０…発射装置、４０１…ハンドル基部、４０２…回転操作体、４０３…カバー、４０４…タッチリング、４０６…静電気消散用金具、４３１…リング部、４３１ｃ…前壁部、４３２（４３２ａ，４３２ｂ，４３２ｃ）…指掛け凸部、４４５…可変抵抗器、４５１…タッチセンサ、４７５…ゼンマイばね、４９１…リング本体、７０１…本体部、７０２…操作カバー、７２１，７２２，７２３…接触部、７４１…中継金具、７５１…被覆リング、７５２…正面壁部、７５３…囲い壁部、７６１，７６２，７６３…被覆凸部、７５７…スリット、８０１，８０２，８０３…接触部、８２１…操作用ゼンマイばね、８３１…スリット、ＳＨ…操作面。
【図１】
0005493726.tif 000002
【図２】
0005493726.tif 000003
【図３】
0005493726.tif 000004
【図４】
0005493726.tif 000005
【図５】
0005493726.tif 000006
【図６】
0005493726.tif 000007
【図７】
0005493726.tif 000008
【図８】
0005493726.tif 000009
【図９】
0005493726.tif 000010
【図１０】
0005493726.tif 000011
【図１１】
0005493726.tif 000012
【図１２】
0005493726.tif 000013
【図１３】
0005493726.tif 000014
【図１４】
0005493726.tif 000015
【図１５】
0005493726.tif 000016
【図１６】
0005493726.tif 000017
【図１７】
0005493726.tif 000018
【図１８】
0005493726.tif 000019
【図１９】
0005493726.tif 000020
【図２０】
0005493726.tif 000021
【図２１】
0005493726.tif 000022